(57)【要約】【課題】  消費電力の低減とモータ及びモータ軸受部の耐久性の向上が図れる複数の印刷機又は印刷機の複数の各部の同期制御方法及び装置を提供する。【解決手段】  主印刷機Ａと従属印刷機Ｂの機械軸１１，１１１にそれぞれ原動モータ１５，１１５を設け、前記主印刷機Ａの回転に対して従属印刷機Ｂの回転を同期制御する複数の印刷機の同期制御装置において、前記原動モータ１５，１１５に原動モータ・ブレーキ１６，１１６をそれぞれ付設すると共に、停止指令により従属印刷機Ｂの原動モータ１１５の同期制御を解除すると共に両印刷機Ａ，Ｂの前記原動モータ・ブレーキ１６，１１６をそれぞれ起動させる駆動制御装置１９，２０を設けた。【選択図】        図２９
2005304109.tif 000002
【特許請求の範囲】
【請求項１】
複数の印刷機又は印刷機の複数の各部にそれぞれ駆動用モータを設け、
前記複数の駆動用モータの少なくとも１つの駆動用モータの回転を同期するように制御する複数の印刷機又は印刷機の複数の各部の同期制御方法において、
前記複数の駆動用モータの少なくとも１つの駆動用モータの回転を制動する制動手段が設けられ、
停止指令により前記制動手段が設けられた駆動用モータの同期制御を解除すると共に、前記制動手段を起動させることを特徴とする複数の印刷機又は印刷機の複数の各部の同期制御方法。
【請求項２】
前記制動手段が設けられた駆動用モータの回転速度を検出する速度検出手段を設け、
前記停止指令により前記複数の駆動用モータの駆動速度の減速を開始し、
前記速度検出手段の検出する回転速度が予め定められた回転速度以下になった時、前記制動手段が設けられた駆動用モータの同期制御を解除すると共に、前記制動手段を起動させることを特徴とする請求項１記載の複数の印刷機又は印刷機の複数の各部の同期制御方法。
【請求項３】
前記予め定められた回転速度がゼロであることを特徴とする請求項２記載の複数の印刷機又は印刷機の複数の各部の同期制御方法。
【請求項４】
入力された回転速度指令に基づいて同期基準信号を発生する仮想マスタ・ジェネレータが設けられ、
前記同期基準信号は速度指令と位相指令から構成され、
前記仮想マスタ・ジェネレータからの同期基準信号に同期するように前記複数の駆動用モータを制御することを特徴とする請求項１記載の複数の印刷機又は印刷機の複数の各部の同期制御方法。
【請求項５】
前記制動手段が設けられた駆動用モータの回転速度を検出する速度検出手段が設けられ、
前記停止指令により前記複数の駆動用モータの駆動速度の減速を開始し、
前記速度検出手段の検出する回転速度が予め定められた回転速度以下になった時、前記制動手段が設けられた駆動用モータの同期制御を解除すると共に、前記制動手段を起動させることを特徴とする請求項４記載の複数の印刷機又は印刷機の複数の各部の同期制御方法。
【請求項６】
前記予め定められた回転速度がゼロであることを特徴とする請求項５記載の複数の印刷機又は印刷機の複数の各部の同期制御方法。
【請求項７】
第１の駆動用モータと第２の駆動用モータが設けられ、
前記第２の駆動用モータの回転を制動する制動手段が設けられ、
前記第１の駆動用モータ又は前記第２の駆動用モータの回転速度を検出する速度検出手段が設けられ、
前記停止指令により前記第１の駆動用モータ及び前記第２の駆動用モータの駆動速度の減速を開始し、
前記速度検出手段の検出する回転速度が予め定められた回転速度以下になった時、前記第２の駆動用モータの同期制御を解除すると共に、前記制動手段を起動させることを特徴とする請求項１記載の複数の印刷機又は印刷機の複数の各部の同期制御方法。
【請求項８】
前記予め定められた回転速度がゼロであることを特徴とする請求項７記載の複数の印刷機又は印刷機の複数の各部の同期制御方法。
【請求項９】
前記駆動用モータの同期制御の解除は、前記駆動用モータのモータ・ドライバの起動信号を切ることを特徴とする請求項１，４又は７記載の複数の印刷機又は印刷機の複数の各部の同期制御方法。
【請求項１０】
複数の印刷機又は印刷機の複数の各部にそれぞれ駆動用モータを設け、
前記複数の駆動用モータの少なくとも１つの駆動用モータの回転を同期するように制御する複数の印刷機又は印刷機の複数の各部の同期制御装置において、
前記複数の駆動用モータの少なくとも１つの駆動用モータの回転を制動する制動手段と、
停止指令により前記制動手段が設けられた駆動用モータの同期制御を解除すると共に、前記制動手段を起動させる制御手段と、
を設けたことを特徴とする複数の印刷機又は印刷機の複数の各部の同期制御装置。
【請求項１１】
前記制動手段が設けられた駆動用モータの回転速度を検出する速度検出手段を設け、
前記制御手段は、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする請求項１０記載の複数の印刷機又は印刷機の複数の各部の同期制御装置。
【請求項１２】
前記予め定められた回転速度がゼロであることを特徴とする請求項１１記載の複数の印刷機又は印刷機の複数の各部の同期制御装置。
【請求項１３】
入力された回転速度指令に基づいて同期基準信号を発生する仮想マスタ・ジェネレータが設けられ、
前記同期基準信号は速度指令と位相指令から構成され、
前記制御手段は、前記仮想マスタ・ジェネレータからの同期基準信号に同期するように前記複数の駆動用モータを制御することを特徴とする請求項１０記載の複数の印刷機又は印刷機の複数の各部の同期制御装置。
【請求項１４】
前記制動手段が設けられた駆動用モータの回転速度を検出する速度検出手段が設けられ、
前記制御手段は、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする請求項１３記載の複数の印刷機又は印刷機の複数の各部の同期制御装置。
【請求項１５】
前記予め定められた回転速度がゼロであることを特徴とする請求項１４記載の複数の印刷機又は印刷機の複数の各部の同期制御装置。
【請求項１６】
第１の駆動用モータと第２の駆動用モータが設けられ、
前記第２の駆動用モータの回転を制動する制動手段が設けられ、
前記第１の駆動用モータ又は前記第２の駆動用モータの回転速度を検出する速度検出手段が設けられ、
前記制御手段は、前記停止指令により前記第１の駆動用モータ及び前記第２の駆動用モータの駆動速度の減速を開始し、前記速度検出手段の検出する回転速度が予め定められた回転速度以下になった時、前記第２の駆動用モータの同期制御を解除すると共に、前記制動手段を起動させることを特徴とする請求項１０記載の複数の印刷機又は印刷機の複数の各部の同期制御装置。
【請求項１７】
前記予め定められた回転速度がゼロであることを特徴とする請求項１６記載の複数の印刷機又は印刷機の複数の各部の同期制御装置。
【請求項１８】
前記駆動用モータの同期制御の解除は、前記駆動用モータのモータ・ドライバの起動信号を切ることを特徴とする請求項１０，１３又は１６記載の複数の印刷機又は印刷機の複数の各部の同期制御装置。
【発明の詳細な説明】
【技術分野】
【０００１】
本発明は、ウェブ輪転印刷機に適用して好適な複数の印刷機又は印刷機の複数の各部の同期制御方法及び装置に関する。
【背景技術】
【０００２】
従来、複数の印刷機又は印刷機の複数の各部（印刷ユニットや折機等）を同期して駆動する同期駆動制御装置では、例えば特許文献１に示すように、印刷機の停止中も同期制御を行なっていた。
【０００３】
即ち、特許文献１には、ウェブ輪転印刷機などに適用される同期制御装置に関し、特に、主機と複数の従機とからなる電動機もしくは該電動機により駆動されるそれぞれの機械軸の回転位相及び回転速度を精度よく同期駆動させる原点合わせ機能を備えた同期制御装置に関するものが記載され、その同期制御にあたっては、先ず、主機電動機のロータリ・エンコーダの出力と主機機械軸原点検出器の出力から、位相検出器により主機の電動機軸と機械軸の位相を常時検出する。また、従機電動機のロータリ・エンコーダの出力と従機機械軸原点検出器の出力から、位相検出器により従機の電動機軸と機械軸の位相を常時検出する。そして、機械軸位相偏差検出器により主機の機械軸と従機の機械軸の位相偏差を求め、また、電動機軸位相偏差検出器により、主機の電動機軸と従機の電動機軸の位相偏差を求め、その出力に基づき、主機と従機の機械軸の原点合わせを行い、引き続き主機と従機の電動機軸の原点合わせを行なって主機と従機の同期制御を行なうようになっている。
【０００４】
【特許文献１】特開２００１−３０９６８１
【発明の開示】
【発明が解決しようとする課題】
【０００５】
しかしながら、特許文献１のものにあっては、ウェブ輪転印刷機の停止中も同期制御（電動機の位置制御及び“０”速度制御）を行なっているため、停止中にも電動機及び電動機駆動回路に電流が流れることになる。そのため、消費電力が増大すると共に、電動機に熱が発生して電動機及び電動機の軸受部のグリースが劣化することから電動機及び電動機の軸受部の耐久性が低下するという問題点があった。
【０００６】
依って、本発明の目的は、消費電力の低減とモータ及びモータ軸受部の耐久性の向上が図れる複数の印刷機又は印刷機の複数の各部の同期制御方法及び装置を提供することにある。
【課題を解決するための手段】
【０００７】
前記目的を達成するための本発明に係る複数の印刷機又は印刷機の複数の各部の同期制御方法は、複数の印刷機又は印刷機の複数の各部にそれぞれ駆動用モータを設け、前記複数の駆動用モータの少なくとも１つの駆動用モータの回転を同期するように制御する複数の印刷機又は印刷機の複数の各部の同期制御方法において、前記複数の駆動用モータの少なくとも１つの駆動用モータの回転を制動する制動手段が設けられ、停止指令により前記制動手段が設けられた駆動用モータの同期制御を解除すると共に、前記制動手段を起動させることを特徴とする。
【０００８】
また、前記制動手段が設けられた駆動用モータの回転速度を検出する速度検出手段を設け、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする。
【０００９】
また、前記予め定められた回転速度がゼロであることを特徴とする。
【００１０】
また、入力された回転速度指令に基づいて同期基準信号を発生する仮想マスタ・ジェネレータが設けられ、前記同期基準信号は速度指令と位相指令から構成され、前記仮想マスタ・ジェネレータからの同期基準信号に同期するように前記複数の駆動用モータを制御することを特徴とする。
【００１１】
また、前記制動手段が設けられた駆動用モータの回転速度を検出する速度検出手段が設けられ、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする。
【００１２】
また、前記予め定められた回転速度がゼロであることを特徴とする。
【００１３】
また、第１の駆動用モータと第２の駆動用モータが設けられ、前記第２の駆動用モータの回転を制動する制動手段が設けられ、前記第１の駆動用モータ又は前記第２の駆動用モータの回転速度を検出する速度検出手段が設けられ、前記停止指令により前記第１の駆動用モータ及び前記第２の駆動用モータの駆動速度の減速を開始し、前記速度検出手段の検出する回転速度が予め定められた回転速度以下になった時、前記第２の駆動用モータの同期制御を解除すると共に、前記制動手段を起動させることを特徴とする。
【００１４】
また、前記予め定められた回転速度がゼロであることを特徴とする。
【００１５】
また、前記駆動用モータの同期制御の解除は、前記駆動用モータのモータ・ドライバの起動信号を切ることを特徴とする。
【００１６】
前記目的を達成するための本発明に係る複数の印刷機又は印刷機の複数の各部の同期制御装置は、複数の印刷機又は印刷機の複数の各部にそれぞれ駆動用モータを設け、前記複数の駆動用モータの少なくとも１つの駆動用モータの回転を同期するように制御する複数の印刷機又は印刷機の複数の各部の同期制御装置において、前記複数の駆動用モータの少なくとも１つの駆動用モータの回転を制動する制動手段と、停止指令により前記制動手段が設けられた駆動用モータの同期制御を解除すると共に、前記制動手段を起動させる制御手段と、を設けたことを特徴とする。
【００１７】
また、前記制動手段が設けられた駆動用モータの回転速度を検出する速度検出手段を設け、前記制御手段は、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする。
【００１８】
また、前記予め定められた回転速度がゼロであることを特徴とする。
【００１９】
また、入力された回転速度指令に基づいて同期基準信号を発生する仮想マスタ・ジェネレータが設けられ、前記同期基準信号は速度指令と位相指令から構成され、前記制御手段は、前記仮想マスタ・ジェネレータからの同期基準信号に同期するように前記複数の駆動用モータを制御することを特徴とする。
【００２０】
また、前記制動手段が設けられた駆動用モータの回転速度を検出する速度検出手段が設けられ、前記制御手段は、前記停止指令により前記複数の駆動用モータの駆動速度の減速を開始し、前記速度検出手段の検出する回転速度が予め定められた回転速度以下になった時、前記制動手段が設けられた駆動用モータの同期制御を解除すると共に、前記制動手段を起動させることを特徴とする。
【００２１】
また、前記予め定められた回転速度がゼロであることを特徴とする。
【００２２】
また、第１の駆動用モータと第２の駆動用モータが設けられ、前記第２の駆動用モータの回転を制動する制動手段が設けられ、前記第１の駆動用モータ又は前記第２の駆動用モータの回転速度を検出する速度検出手段が設けられ、前記制御手段は、前記停止指令により前記第１の駆動用モータ及び前記第２の駆動用モータの駆動速度の減速を開始し、前記速度検出手段の検出する回転速度が予め定められた回転速度以下になった時、前記第２の駆動用モータの同期制御を解除すると共に、前記制動手段を起動させることを特徴とする。
【００２３】
また、前記予め定められた回転速度がゼロであることを特徴とする。
【００２４】
また、前記駆動用モータの同期制御の解除は、前記駆動用モータのモータ・ドライバの起動信号を切ることを特徴とする。
【発明の効果】
【００２５】
前記構成の本発明によれば、印刷機の停止時には、駆動用モータによる同期制御を止めて同駆動用モータに付設された制動手段を起動させることにより、複数の印刷機又は印刷機の複数の各部の同期状態が保持される。これにより、停止中にもモータ及びモータ・ドライバに電流を流さずに済み、消費電力の低減とモータ及びモータ軸受部の耐久性の向上が図れる。
【発明を実施するための最良の形態】
【００２６】
以下、本発明に係る複数の印刷機又は印刷機の複数の各部の同期制御方法及び装置を実施例により図面を用いて詳細に説明する。
【実施例１】
【００２７】
図１は本発明の実施例１を示す複数の印刷機の同期制御装置の概略構成図、図２は中央制御装置のブロック図、図３は仮想マスタ・ジェネレータのブロック図、図４は各印刷機の駆動制御装置のブロック図、図５−ａは中央制御装置の動作フロー図、図５−ｂは中央制御装置の動作フロー図、図５−ｃは中央制御装置の動作フロー図、図６は中央制御装置の動作フロー図、図７は中央制御装置の動作フロー図、図８−ａは仮想マスタ・ジェネレータの動作フロー図、図８−ｂは仮想マスタ・ジェネレータの動作フロー図、図８−ｃは仮想マスタ・ジェネレータの動作フロー図、図９−ａは仮想マスタ・ジェネレータの動作フロー図、図９−ｂは仮想マスタ・ジェネレータの動作フロー図、図１０−ａは仮想マスタ・ジェネレータの動作フロー図、図１０−ｂは仮想マスタ・ジェネレータの動作フロー図、図１１は仮想マスタ・ジェネレータの動作フロー図、図１２−ａは各印刷機の駆動制御装置の動作フロー図、図１２−ｂは各印刷機の駆動制御装置の動作フロー図、図１２−ｃは各印刷機の駆動制御装置の動作フロー図、図１３は各印刷機の駆動制御装置の動作フロー図、図１４−ａは各印刷機の駆動制御装置の動作フロー図、図１４−ｂは各印刷機の駆動制御装置の動作フロー図である。
【００２８】
図１に示すように、ウェブ輪転印刷機からなる第１印刷機Ａにおいては、給紙部１及びインフィード部２から連続的に供給される巻取紙（ウェブ）Ｗ１は、先ず第１〜第４印刷ユニット３〜６を通過する際に、各種の印刷が施され、次いで乾燥機７を通過する際に、加熱されて乾燥させられ、引き続きクーリング部８を通過する際に冷却させられ、その後ドラッグ部９を通過する際、テンション制御又は方向の変更が行なわれた後、折機１０により所定の形状に断裁され折り畳まれることになる。
【００２９】
前記第１〜第４印刷ユニット３〜６や折機１０は機械軸（ラインシャフト）１１を介して印刷機の原動モータ（駆動用モータ）１５に駆動されるようになっている。原動モータ１５には当該原動モータ１５の回転を制動する電磁ブレーキ等の原動モータ・ブレーキ（制動手段）１６と当該原動モータ１５の回転速度を検出するロータリ・エンコーダ（速度検出手段）１８が付設されている。また、原動モータ１５は印刷機の駆動制御装置１４により駆動制御され、この駆動制御装置１４に前記ロータリ・エンコーダ１８の検出信号が入力されると共に機械軸１１に設けられた機械原点位置検出器１７からの検出信号が入力されている。
【００３０】
一方、第２印刷機Ｂにおいては、給紙部１０１及びインフィード部１０２から連続的に供給される巻取紙（ウェブ）Ｗ２は、先ず第１〜第４印刷ユニット１０３〜１０６を通過する際に、各種の印刷が施され、次いで乾燥機１０７を通過する際に、加熱されて乾燥させられ、引き続きクーリング部１０８を通過する際に冷却させられ、その後ドラッグ部１０９を通過する際、テンション制御又は方向の変更が行なわれた後、折機１１０により所定の形状に断裁され折り畳まれることになる。
【００３１】
前記第１〜第４印刷ユニット１０３〜１０６や折機１１０は機械軸（ラインシャフト）１１１を介して原動モータ（駆動用モータ）１１５に駆動されるようになっている。原動モータ１１５には当該原動モータ１１５の回転を制動する電磁ブレーキ等の原動モータ・ブレーキ（制動手段）１１６と当該原動モータ１１５の回転速度を検出するロータリ・エンコーダ１１８（速度検出手段）が付設されている。また、原動モータ１１５は印刷機の駆動制御装置１１４により駆動制御され、この駆動制御装置１１４に前記ロータリ・エンコーダ１１８の検出信号が入力されると共に機械軸１１１に設けられた機械原点位置検出器１１７からの検出信号が入力されている。
【００３２】
そして、前記駆動制御装置１４及び１１４は、仮想マスタ・ジェネレータ１３を介して中央制御装置１２に接続され、この中央制御装置１２により第１印刷機Ａと第２印刷機Ｂとが同期制御（運転）されるようになっている。即ち、本実施例では、第１印刷機Ａと第２印刷機Ｂの双方にて印刷されたウェブＷ１，Ｗ２をともに第２印刷機Ｂの折機１１０に導いて折りたたむようになっている。
【００３３】
図２に示すように、中央制御装置１２は、ＣＰＵ４０とＲＯＭ４１とＲＡＭ４２との他に、印刷機の緩動速度用メモリ４３、設定速度用メモリ４４、原点合わせ準備時間用メモリ４５、仮想マスタ・ジェネレータに設定速度を送信する時間間隔用メモリ４６、印刷機の原動モータのブレーキを作動させる印刷機の速度用メモリ４７、現在の各印刷機の速度用メモリ４８、同期運転停止した印刷機の番号用メモリ４９及び内部クロック・カウンタ５０が各入出力装置５１〜５４及びインタフェース５５と共に母線（ＢＵＳ）５６で接続されてなる。
【００３４】
入出力装置５１には、キーボートや各種スイッチ及びボタン等の入力装置５７とＣＲＴやランプ等の表示器５８とプリンタやＦ・Ｄドライブ等の出力装置５９が接続される。入出力装置５２には、速度設定器６０が接続される。入出力装置５３には、第１印刷機の原動モータ・ブレーキ用回路６１を介して第１印刷機の原動モータ・ブレーキ１６が接続されると共に第２印刷機の原動モータ・ブレーキ用回路６２を介して第２印刷機の原動モータ・ブレーキ１１６が接続される。入出力装置５４には、Ａ／Ｄ変換器６３及びＦ／Ｖ変換器６４を介して第１印刷機の原動モータ用ロータリ・エンコーダ１８が接続されると共にＡ／Ｄ変換器６５及びＦ／Ｖ変換器６６を介して第２印刷機の原動モータ用ロータリ・エンコーダ１１８が接続される。そして、インタフェース５５には、後述する仮想マスタ・ジェネレータ１３が接続される。
【００３５】
図３に示すように、仮想マスタ・ジェネレータ１３は、ＣＰＵ７０とＲＯＭ７１とＲＡＭ７２との他に、現在の設定速度用メモリ７３、前回の設定速度用メモリ７４、仮想の機械軸の現在位置用メモリ７５、各印刷機の現在位置の補正値用メモリ７６、修正した各印刷機の仮想の機械軸の現在位置用メモリ７７、仮想マスタ・ジェネレータに設定速度を送信する時間間隔用メモリ７８、仮想の現在位置の修正値用メモリ７９、修正した仮想の機械軸の現在位置用メモリ８０、機械軸の原点合わせ完了信号を受信した印刷機の番号用メモリ８１、仮想のモータ軸の現在位置用メモリ８２、仮想のモータ軸の現在位置の修正値用メモリ８３と、修正した仮想のモータ軸の現在位置用メモリ８４、修正した各印刷機の仮想のモータ軸の現在位置用メモリ８５、モータ軸の原点合わせ完了信号を受信した印刷機の番号用メモリ８６、増速時の速度修正値用メモリ８７、減速時の速度修正値用メモリ８８、同期運転停止信号を受信した印刷機の番号用メモリ８９がインタフェース９０と共に母線（ＢＵＳ）９１で接続されてなる。そして、インタフェース９０には、前述した中央制御装置１２と後述する第１印刷機の駆動制御装置１４及び第２印刷機の駆動制御装置１１４が接続される。
【００３６】
図４に示すように、各印刷機の駆動制御装置１４（１１４）は、ＣＰＵ１２０とＲＯＭ１２１とＲＡＭ１２２との他に、現在の設定速度用メモリ１２３、指令速度用メモリ１２４、仮想の機械軸の現在位置用メモリ１２５、機械軸位置検出用カウンタのカウント値用メモリ１２６、機械軸の現在位置用メモリ１２７、機械軸の現在位置の差用メモリ１２８、機械軸の現在位置の差の絶対値用メモリ１２９、機械軸の位置の差の許容値用メモリ１３０、機械軸の現在位置の差−設定速度の補正値変換テーブル用メモリ１３１、設定速度の補正値用メモリ１３２、仮想のモータ軸の現在位置用メモリ１３３、モータ軸位置検出用カウンタのカウント値用メモリ１３４、モータ軸の現在位置用メモリ１３５、モータ軸の現在位置の差用メモリ１３６、モータ軸の現在位置の差の絶対値用メモリ１３７、モータ軸の位置の差の許容値用メモリ１３８、モータ軸の現在位置の差−設定速度の補正値変換テーブル用メモリ１３９が各入出力装置１４０〜１４２及びインタフェース１４３と共に母線（ＢＵＳ）１４４で接続されてなる。
【００３７】
入出力装置１４０には、Ｄ／Ａ変換器１４５を介して印刷機の原動モータ・ドライバ１４６が接続され、この原動モータ・ドライバ１４６が印刷機の原動モータ１５（１１５）と印刷機の原動モータ用ロータリ・エンコーダ１８（１１８）に接続されている。入出力装置１４１には、機械軸位置検出用カウンタ１４７を介して機械原点位置検出器１７（１１７）が接続される。入出力装置１４２には、モータ軸位置検出用カウンタ１４８を介して前記印刷機の原動モータ用ロータリ・エンコーダ１８（１１８）に接続されている。そして、インタフェース１４３には、前述した仮想マスタ・ジェネレータ１３が接続される。
【００３８】
このように構成されるため、第１印刷機Ａと第２印刷機Ｂの同期制御にあたって、先ず中央制御装置１２は、図５−ａ，図５−ｂ，図５−ｃ，図６及び図７に示す動作フローにしたがって動作する。
【００３９】
即ち、ステップＰ１で同期運転スイッチがＯＮされ、ステップＰ２で印刷機駆動スイッチがＯＮされると、ステップＰ３で各印刷機の原動モータ・ブレーキ用回路６１，６２に作動解除信号が出力される。次に、ステップＰ４で仮想マスタ・ジェネレータ１３に原点合わせ準備開始指令が送信されると、ステップＰ５で緩動速度用メモリ４３より緩動速度が読み込まれる。次に、ステップＰ６で設定速度用メモリ４４に緩動速度が書き込まれると、ステップＰ７で仮想マスタ・ジェネレータ１３に設定（緩動）速度が送信される。次に、ステップＰ８で内部クロック・カウンタ（経過時間のカウント用）５０のカウントが開始されると、ステップＰ９で原点合わせ準備時間用メモリ４５より原点合わせ準備時間が読み込まれる。次に、ステップＰ１０で内部クロック・カウンタ５０のカウント値が読み込まれ、ステップＰ１１で内部クロック・カウンタ５０のカウント値が原点合わせ準備時間以上になると、ステップＰ１２で仮想マスタ・ジェネレータ１３に原点合わせ準備完了指令が送信される。
【００４０】
次に、ステップＰ１３で仮想マスタ・ジェネレータ１３に原点合わせ開始指令が送信された後、ステップＰ１４で緩動速度用メモリ４３より緩動速度が読み込まれると、ステップＰ１５で設定速度用メモリ４４に緩動速度が書き込まれる。次に、ステップＰ１６で内部クロック・カウンタ５０のカウントが開始されると、ステップＰ１７で仮想マスタ・ジェネレータに設定速度を送信する時間間隔用メモリ４６より仮想マスタ・ジェネレータ１３に設定速度を送信する時間間隔が読み込まれる。次に、ステップＰ１８で内部クロック・カウンタ５０のカウント値が読み込まれると、ステップＰ１９で内部クロック・カウンタ５０のカウント値が仮想マスタ・ジェネレータ１３に設定速度を送信する時間間隔以上か否かを判断し、可であればステップＰ２０で設定速度用メモリ４４より設定（緩動）速度が読み込まれた後、ステップＰ２１で仮想マスタ・ジェネレータ１３に設定（緩動）速度が送信され、その後ステップＰ１６に戻る。
【００４１】
前記ステップＰ１９で否であれば、ステップＰ２２で仮想マスタ・ジェネレータ１３より原点合わせ完了信号が送信されたか否かを判断し、可であればステップＰ２３で仮想マスタ・ジェネレータ１３より原点合わせ完了信号が受信される。次に、ステップＰ２４で仮想マスタ・ジェネレータに設定速度を送信する時間間隔用メモリ４６より仮想マスタ・ジェネレータ１３に設定速度を送信する時間間隔が読み込まれる。次に、ステップＰ２５で内部クロック・カウンタ５０のカウント値が読み込まれ、ステップＰ２６で内部クロック・カウンタ５０のカウント値が仮想マスタ・ジェネレータ１３に設定速度を送信する時間間隔以上になると、ステップＰ２７で設定速度用メモリ４４より設定（緩動）速度が読み込まれ、その後、ステップＰ２８で仮想マスタ・ジェネレータ１３に設定（緩動）速度が送信される。
【００４２】
次に、ステップＰ２９で内部クロック・カウンタ５０のカウントが開始されると、ステップＰ３０で速度設定器６０に設定速度が入力されたか否かを判断し、可であればステップＰ３１で速度設定器６０より設定速度が読み込まれ、記憶された後、ステップＰ３２で仮想マスタ・ジェネレータに設定速度を送信する時間間隔用メモリ４６より仮想マスタ・ジェネレータ１３に設定速度を送信する時間間隔が読み込まれる。前記ステップＰ３０で否であれば、直ぐ前記ステップＰ３２に移行する。次に、ステップＰ３３で内部クロック・カウンタ５０のカウント値が読み込まれると、ステップＰ３４で内部クロック・カウンタ５０のカウント値が仮想マスタ・ジェネレータ１３に設定速度を送信する時間間隔以上か否かを判断し、可であればステップＰ３５で設定速度用メモリ４４より設定速度が読み込まれた後、ステップＰ３６で仮想マスタ・ジェネレータ１３に設定速度が送信され、その後ステップＰ２９に戻る。
【００４３】
前記ステップＰ３４で否であれば、ステップＰ３７で印刷機の停止信号が入力されたか否かを判断し、否であればステップＰ３０に戻る。一方、可であればステップＰ３８で仮想マスタ・ジェネレータに設定速度を送信する時間間隔用メモリ４６より仮想マスタ・ジェネレータ１３に設定速度を送信する時間間隔が読み込まれる。次に、ステップＰ３９で内部クロック・カウンタ５０のカウント値が読み込まれ、ステップＰ４０で内部クロック・カウンタ５０のカウント値が仮想マスタ・ジェネレータ１３に設定速度を送信する時間間隔以上になると、ステップＰ４１で設定速度用メモリ４４より設定速度が読み込まれる。その後、ステップＰ４２で仮想マスタ・ジェネレータ１３に設定速度が送信され、ステップＰ４９に移行する。
【００４４】
前記ステップＰ２２で否であれば、ステップＰ４３で印刷機の停止信号が入力されたか否かを判断し、否であればステップＰ１７に戻る。一方、可であればステップＰ４４で仮想マスタ・ジェネレータに設定速度を送信する時間間隔用メモリ４６より仮想マスタ・ジェネレータ１３に設定速度を送信する時間間隔が読み込まれる。次に、ステップＰ４５で内部クロック・カウンタ５０のカウント値が読み込まれ、ステップＰ４６で内部クロック・カウンタ５０のカウント値が仮想マスタ・ジェネレータ１３に設定速度を送信する時間間隔以上になると、ステップＰ４７で設定速度用メモリ４４より設定（緩動）速度が読み込まれる。その後、ステップＰ４８で仮想マスタ・ジェネレータ１３に設定（緩動）速度が送信され、ステップＰ４９に移行する。
【００４５】
次に、ステップＰ４９で設定速度用メモリ４４にゼロが書き込まれ、ステップＰ５０で内部クロック・カウンタ５０のカウントが開始されると、ステップＰ５１で仮想マスタ・ジェネレータに設定速度を送信する時間間隔用メモリ４６より仮想マスタ・ジェネレータ１３に設定速度を送信する時間間隔が読み込まれる。次に、ステップＰ５２で内部クロック・カウンタ５０のカウント値が読み込まれ、ステップＰ５３で内部クロック・カウンタ５０のカウント値が仮想マスタ・ジェネレータ１３に設定速度を送信する時間間隔以上になると、ステップＰ５４で設定速度用メモリ４４より設定速度（ゼロ）が読み込まれる。
【００４６】
次に、ステップＰ５５で仮想マスタ・ジェネレータ１３に設定速度（ゼロ）が送信された後、ステップＰ５６で印刷機の原動モータのブレーキを作動させる印刷機の速度用メモリ４７より印刷機の原動モータのブレーキを作動させる印刷機の速度が読み込まれる。次に、ステップＰ５７で各印刷機の原動モータ１５，１１５のロータリ・エンコーダ１８，１１８に接続されたＦ／Ｖ変換器６４，６６の出力が読み込まれ、ステップＰ５８でその読み込まれた各印刷機の原動モータ１５，１１５のロータリ・エンコーダ１８，１１８に接続されたＦ／Ｖ変換器６４，６６の出力より、現在の各印刷機の速度が演算され、記憶される。
【００４７】
次に、ステップＰ５９で前記演算で求めた現在のすべての印刷機の速度が印刷機の原動モータのブレーキを作動させる印刷機の速度以下か否かを判断し、否であればステップＰ５０に戻る。一方、可であればステップＰ６０で仮想マスタ・ジェネレータ１３に同期運転停止指令が送信される。次に、ステップＰ６１で仮想マスタ・ジェネレータ１３より同期運転停止した印刷機の番号が送信されると、ステップＰ６２で仮想マスタ・ジェネレータ１３から同期運転停止した印刷機の番号が受信され、記憶される。次に、ステップＰ６３で同期運転停止した印刷機の原動モータ・ブレーキ用回路に作動信号が出力されると、ステップＰ６４ですべての印刷機が同期運転停止がなされたか否かを判断し、否であればステップＰ６１に戻る。一方、可であればステップＰ６５で同期運転スイッチがＯＦＦされると動作が終了する。尚、ステップＰ６５で同期運転スイッチがＯＦＦされないでステップＰ６６で印刷機駆動スイッチがＯＮされればステップＰ３に戻る。
【００４８】
次に、仮想マスタ・ジェネレータ１３は、図８−ａ，図８−ｂ，図８−ｃ，図９−ａ，図９−ｂ，図１０−ａ，図１０−ｂ及び図１１に示す動作フローにしたがって動作する。
【００４９】
即ち、ステップＰ１で中央制御装置１２より原点合わせ準備開始指令が送信されたか否かを判断し、否であれば後述するステップＰ６３に移行する一方、可であればステップＰ２で中央制御装置１２より原点合わせ準備開始指令が受信される。次に、ステップＰ３で各印刷機の駆動制御装置１４，１１４に原点合わせ準備開始指令が送信され、ステップＰ４で中央制御装置１２より設定(緩動)速度が送信されると、ステップＰ５で中央制御装置１２より設定(緩動)速度が受信され現在の設定速度用メモリ７３に記憶される。
【００５０】
次に、ステップＰ６で各印刷機の駆動制御装置１４，１１４に現在の設定速度(緩動)が送信された後、ステップＰ７で中央制御装置１２より原点合わせ準備完了指令が送信されると、ステップＰ８で中央制御装置１２より原点合わせ準備完了指令が受信される。次に、ステップＰ９で各印刷機の駆動制御装置１４，１１４に原点位置合わせ準備完了指令が送信された後、ステップＰ１０で中央制御装置１２より原点合わせ開始指令が送信されると、ステップＰ１１で中央制御装置１２より原点合わせ開始指令が受信される。次に、ステップＰ１２で各印刷機の駆動制御装置１４，１１４に原点合わせ開始指令が送信されると、ステップＰ１３で仮想の機械軸の現在位置用メモリ７５にゼロ位置が入力されると共にステップＰ１４で仮想のモータ軸の現在位置用メモリ８２にゼロ位置が入力される。
【００５１】
次に、ステップＰ１５で中央制御装置１２より設定(緩動)速度が送信されると、ステップＰ１６で中央制御装置１２より設定(緩動)速度が受信され、現在の設定速度用メモリ７３及び前回の設定速度用メモリ７４に記憶される。次に、ステップＰ１７で仮想の機械軸の現在位置用メモリ７５より仮想の機械軸の現在位置が読み込まれた後、ステップＰ１８で各印刷機の現在位置の補正値用メモリ７６より各印刷機の現在位置の補正値が読み込まれる。次に、ステップＰ１９で前記読み込まれた仮想の機械軸の現在位置に、前記読み込まれた各印刷機の現在位置の補正値を加算し、修正した各印刷機の仮想の機械軸の現在位置が演算され、記憶された後、ステップＰ２０で各印刷機の駆動制御装置１４，１１４に現在の設定速度(緩動)及び前記演算で求められた修正した各印刷機の仮想の機械軸の現在位置が送信される。
【００５２】
次に、ステップＰ２１で中央制御装置１２より設定(緩動)速度が送信されたか否かを判断し、可であればステップＰ２２で中央制御装置１２より設定(緩動)速度が受信され、現在の設定速度用メモリ７３に記憶される。次に、ステップＰ２３で前回の設定速度用メモリ７４より前回の設定速度が読み込まれた後、ステップＰ２４で仮想マスタ・ジェネレータに設定速度を送信する時間間隔用メモリ７８より、中央制御装置１２より仮想マスタ・ジェネレータ１３に設定速度を送信する時間間隔が読み込まれる。次に、ステップＰ２５で前記読み込まれた前回の設定速度及び中央制御装置１２より仮想マスタ・ジェネレータ１３に設定速度を送信する時間間隔より、仮想の現在位置の修正値が演算され、記憶された後、ステップＰ２６で仮想の機械軸の現在位置用メモリ７５より仮想の機械軸の現在位置が読み込まれる。
【００５３】
次に、ステップＰ２７で前記読み込まれた仮想の機械軸の現在位置に、前記演算で求められた仮想の現在位置の修正値を加算し、修正した仮想の機械軸の現在位置が演算され、記憶された後、ステップＰ２８で仮想のモータ軸の現在位置用メモリ８２より仮想のモータ軸の現在位置が読み込まれる。次に、ステップＰ２９で前記読み込まれた仮想のモータ軸の現在位置に、前記演算で求められた仮想の現在位置の修正値を加算し、修正した仮想のモータ軸の現在位置が演算され、記憶された後、ステップＰ３０で各印刷機の現在位置の補正値用メモリ７６より各印刷機の現在位置の補正値が読み込まれる。次に、ステップＰ３１で前記演算で求められた修正した仮想の機械軸の現在位置に、前記読み込まれた各印刷機の現在位置の補正値を加算し、修正した各印刷機の仮想の機械軸の現在位置が演算され、記憶された後、ステップＰ３２で各印刷機の駆動制御装置１４，１１４に現在の設定(緩動)速度及び演算で求められた修正した各印刷機の仮想の機械軸の現在位置が送信される。
【００５４】
次に、ステップＰ３３で修正した仮想の機械軸の現在位置用メモリ８０より修正した仮想の機械軸の現在位置が読み込まれた後、ステップＰ３４で仮想の機械軸の現在位置用メモリ７５に修正した仮想の機械軸の現在位置が書き込まれる。次に、ステップＰ３５で修正した仮想のモータ軸の現在位置用メモリ８４より修正した仮想のモータ軸の現在位置が読み込まれた後、ステップＰ３６で仮想のモータ軸の現在位置用メモリ８２に修正した仮想のモータ軸の現在位置が書き込まれる。その後、前述したステップＰ２１に戻る。
【００５５】
一方、ステップＰ２１で否であれば、ステップＰ３７で印刷機の駆動制御装置１４，１１４より機械軸の原点合わせ完了信号が送信されると、ステップＰ３８で印刷機の駆動制御装置１４，１１４より機械軸の原点合わせ完了信号が受信される。次に、ステップＰ３９で機械軸の原点合わせ完了信号を受信した印刷機の番号が記憶された後、ステップＰ４０ですべての印刷機の機械軸の原点合わせが完了したか否かを判断する。
【００５６】
前記ステップＰ４０で否であれば前記ステップＰ２１に戻る一方、可であればステップＰ４１で中央制御装置１２より設定(緩動)速度が送信されると、ステップＰ４２で中央制御装置１２より設定(緩動)速度が受信され、現在の設定速度用メモリ７３に記憶される。次に、ステップＰ４３で前回の設定速度用メモリ７４より前回の設定速度が読み込まれた後、ステップＰ４４で仮想マスタ・ジェネレータに設定速度を送信する時間間隔用メモリ７８より、中央制御装置１２より仮想マスタ・ジェネレータ１３に設定速度を送信する時間間隔が読み込まれる。次に、ステップＰ４５で前記読み込まれた前回の設定速度及び中央制御装置１２より仮想マスタ・ジェネレータ１３に設定速度を送信する時間間隔より、仮想の現在位置の修正値が演算され、記憶された後、ステップＰ４６で仮想の機械軸の現在位置用メモリ７５より仮想の機械軸の現在位置が読み込まれる。
【００５７】
次に、ステップＰ４７で前記読み込まれた仮想の機械軸の現在位置に、演算で求めた仮想の現在位置の修正値を加算し、修正した仮想の機械軸の現在位置が演算され、記憶された後、ステップＰ４８で仮想のモータ軸の現在位置用メモリ８２より仮想のモータ軸の現在位置が読み込まれる。次に、ステップＰ４９で前記読み込まれた仮想のモータ軸の現在位置に、前記演算で求められた仮想の現在位置の修正値を加算し、修正した仮想のモータ軸の現在位置が演算され、記憶された後、ステップＰ５０で各印刷機の現在位置の補正値用メモリ７６より各印刷機の現在位置の補正値が読み込まれる。次に、ステップＰ５１で前記演算で求められた修正した仮想のモータ軸の現在位置に、前記読み込まれた各印刷機の現在位置の補正値を加算し、修正した各印刷機の仮想のモータ軸の現在位置が演算され、記憶された後、ステップＰ５２で各印刷機の駆動制御装置１４，１１４に現在の設定(緩動)速度及び演算で求められた修正した各印刷機の仮想のモータ軸の現在位置が送信される。
【００５８】
次に、ステップＰ５３で修正した仮想の機械軸の現在位置用メモリ８０より修正した仮想の機械軸の現在位置が読み込まれた後、ステップＰ５４で仮想の機械軸の現在位置用メモリ７５に修正した仮想の機械軸の現在位置が書き込まれる。次に、ステップＰ５５で修正した仮想のモータ軸の現在位置用メモリ８４より修正した仮想のモータ軸の現在位置が読み込まれた後、ステップＰ５６で仮想のモータ軸の現在位置用メモリ８２に修正した仮想のモータ軸の現在位置が書き込まれる。次に、ステップＰ５７で中央制御装置１２より設定(緩動)速度が受信されたか否かを判断し、可であればステップＰ４２に戻る一方、否であればステップＰ５８で印刷機の駆動制御装置１４，１１４よりモータ軸の原点合わせ完了信号が送信されると、ステップＰ５９で印刷機の駆動制御装置１４，１１４よりモータ軸の原点合わせ完了信号が受信される。
【００５９】
次に、ステップＰ６０でモータ軸の原点合わせ完了信号を受信した印刷機の番号が記憶された後、ステップＰ６１ですべての印刷機のモータ軸の原点合わせが完了したか否かを判断し、否であればステップＰ５７に戻る一方、可であればステップＰ６２で中央制御装置１２に原点合わせ完了信号が送信されてステップＰ１に戻る。
【００６０】
一方、前述したステップＰ１で否であれば、ステップＰ６３で中央制御装置１２より設定速度が送信されたか否かを判断する。ここで、可であればステップＰ６４で中央制御装置１２より設定速度が受信され、現在の設定速度用メモリ７３に記憶される。次に、ステップＰ６５で前回の設定速度用メモリ７４より前回の設定速度が読み込まれた後、ステップＰ６６で中央制御装置１２より受信された設定速度が前回の設定速度と等しいか否かを判断する。
【００６１】
前記ステップＰ６６で可であれば、ステップＰ６７で仮想マスタ・ジェネレータに設定速度を送信する時間間隔用メモリ７８より、中央制御装置１２より仮想マスタ・ジェネレータ１３に設定速度を送信する時間間隔が読み込まれる一方、否であればステップＰ６８で中央制御装置１２より受信された設定速度が前回の設定速度より大きいか否かを判断する。
【００６２】
前記ステップＰ６８で可であれば、ステップＰ６９で増速時の速度修正値用メモリ８７より増速時の速度修正値が読み込まれた後、ステップＰ７０で前回の設定速度に読み込まれた増速時の速度修正値を加算し、修正した現在の設定速度が演算される。次に、ステップＰ７１で現在の設定速度用メモリ７３に、前記演算で求められた修正した現在の設定速度が記憶された後、ステップＰ６７に移行する。一方、前記ステップＰ６８で否であればステップＰ７２で減速時の速度修正値用メモリ８８より減速時の速度修正値が読み込まれた後、ステップＰ７３で前回の設定速度から読み込まれた減速時の速度修正値を減算し、修正した現在の設定速度が演算される。次に、ステップＰ７４で修正した現在の設定速度が０より小さいか否かを判断し、可であればステップＰ７５で修正した現在の設定速度がゼロに書き換えられた後前記ステップＰ７１に移行する一方、否であれば直ぐステップＰ７１に移行する。
【００６３】
次に、ステップＰ７６で前記読み込まれた前回の設定速度及び中央制御装置１２より仮想マスタ・ジェネレータ１３に設定速度を送信する時間間隔より、仮想の現在位置の修正値が演算され、記憶された後、ステップＰ７７で仮想の機械軸の現在位置用メモリ７５より仮想の機械軸の現在位置が読み込まれる。次に、ステップＰ７８で前記読み込まれた仮想の機械軸の現在位置に、演算で求められた仮想の現在位置の修正値を加算し、修正した仮想の機械軸の現在位置が演算され、記憶された後、ステップＰ７９で仮想のモータ軸の現在位置用メモリ８２より仮想のモータ軸の現在位置が読み込まれる。次に、ステップＰ８０で読み込まれた仮想のモータ軸の現在位置に、演算で求められた仮想の現在位置の修正値を加算し、修正した仮想のモータ軸の現在位置が演算され、記憶された後、ステップＰ８１で各印刷機の現在位置の補正値用メモリ７６より各印刷機の現在位置の補正値が読み込まれる。
【００６４】
次に、ステップＰ８２で前記演算で求められた修正した仮想のモータ軸の現在位置に、読み込まれた各印刷機の現在位置の補正値を加算し、修正した各印刷機の仮想のモータ軸の現在位置が演算され、記憶された後、ステップＰ８３で各印刷機の駆動制御装置１４，１１４に現在の設定速度及び演算で求めた修正した各印刷機の仮想のモータ軸の現在位置が送信される。次に、ステップＰ８４で現在の設定速度が前回の設定速度用メモリ７４に記憶された後、ステップＰ８５で修正した仮想の機械軸の現在位置用メモリ８０より修正した仮想の機械軸の現在位置が読み込まれる。次に、ステップＰ８６で仮想の機械軸の現在位置用メモリ７５に修正した仮想の機械軸の現在位置が書き込まれた後、ステップＰ８７で修正した仮想のモータ軸の現在位置用メモリ８４より修正した仮想のモータ軸の現在位置が読み込まれる。その後、ステップＰ８８で仮想のモータ軸の現在位置用メモリ８２に修正した仮想のモータ軸の現在位置が書き込まれた後、ステップＰ１に戻る。
【００６５】
一方、前述したステップＰ６３で否であれば、ステップＰ８９で中央制御装置１２より、同期運転停止指令が送信されたか否かを判断し、ここで、否であればステップＰ１に戻る。一方、可であればステップＰ９０で中央制御装置１２より、同期運転停止指令が受信された後、ステップＰ９１で各印刷機の駆動制御装置１４，１１４に、同期運転停止指令が送信される。次に、ステップＰ９２で印刷機の駆動制御装置１４，１１４より同期運転停止信号が送信されると、ステップＰ９３で印刷機の駆動制御装置１４，１１４より同期運転停止信号が受信される。次に、ステップＰ９４で同期運転停止信号を受信した印刷機の番号が記憶された後、ステップＰ９５で中央制御装置１２に同期運転停止した印刷機の番号が送信される。その後、ステップＰ９６ですべての印刷機の駆動制御装置１４，１１４より同期運転停止信号が受信されたか否かを判断し、可であればステップＰ１に戻る一方、否であればステップＰ９２に戻る。
【００６６】
次に、各印刷機の駆動制御装置１４，１１４は、図１２−ａ，図１２−ｂ，図１２−ｃ，図１３及び図１４−ａ，図１４−ｂに示す動作フローにしたがって動作する。
【００６７】
即ち、ステップＰ１で仮想マスタ・ジェネレータ１３より原点合わせ準備開始指令が送信されたか否かを判断し、否であれば後述するステップＰ４９に移行する一方、可であればステップＰ２で仮想マスタ・ジェネレータ１３より原点合わせ準備開始指令が受信される。次に、ステップＰ３で原動モータ・ドライバ１４６の起動信号がＯＮされ、ステップＰ４で仮想マスタ・ジェネレータ１３より現在の設定(緩動)速度が送信されると、ステップＰ５で仮想マスタ・ジェネレータ１３より現在の設定(緩動)速度が受信され、記憶される。次に、ステップＰ６で現在の設定速度用メモリ１２３より現在の設定(緩動)速度が読み込まれた後、ステップＰ７で指令速度用メモリ１２４に現在の設定(緩動)速度が書き込まれる。
【００６８】
次に、ステップＰ８で原動モータ・ドライバ１４６に指令速度が出力された後、ステップＰ９で仮想マスタ・ジェネレータ１３より原点合わせ準備完了指令が送信されると、ステップＰ１０で仮想マスタ・ジェネレータ１３より原点合わせ準備完了指令が受信される。次に、ステップＰ１１で仮想マスタ・ジェネレータ１３より原点位置合わせ開始指令が送信されると、ステップＰ１２で仮想マスタ・ジェネレータ１３より原点位置合わせ開始指令が受信される。次に、ステップＰ１３で仮想マスタ・ジェネレータ１３より現在の設定(緩動)速度及び修正した仮想の機械軸の現在位置が送信されたか否かを判断し、否であればステップＰ１４で仮想マスタ・ジェネレータ１３より現在の設定(緩動)速度及び修正した仮想のモータ軸の現在位置が送信されたら後述するステップＰ３２に移行する。
【００６９】
前記ステップＰ１３で可であれば、ステップＰ１５で仮想マスタ・ジェネレータ１３より現在の設定(緩動)速度及び修正した仮想の機械軸の現在位置が受信され、現在の設定速度用メモリ１２３及び仮想の機械軸の現在位置用メモリ１２５に記憶された後、ステップＰ１６で機械軸位置検出用カウンタ１４７よりカウント値が読み込まれ、記憶される。次に、ステップＰ１７で前記読み込まれた機械軸位置検出用カウンタ１４７のカウント値より機械軸の現在位置が演算され、記憶された後、ステップＰ１８で前記受信された仮想の機械軸の現在位置と演算で求められた機械軸の現在位置より、機械軸の現在位置の差が演算され、記憶される。次に、ステップＰ１９で前記演算で求めた機械軸の現在位置の差より機械軸の現在位置の差の絶対値が演算され、記憶された後、ステップＰ２０で機械軸の位置の差の許容値用メモリ１３０より機械軸の位置の差の許容値が読み込まれる。
【００７０】
次に、ステップＰ２１で前記演算で求めた機械軸の現在位置の差の絶対値が読み込んだ機械軸の位置の差の許容値以下か否かを判断し、可であればステップＰ２２で現在の設定速度用メモリ１２３より現在の設定(緩動)速度が読み込まれる。次に、ステップＰ２３で指令速度用メモリ１２４に現在の設定(緩動)速度が書き込まれた後、ステップＰ２４で原動モータ・ドライバ１４６に指令速度が出力される。その後、ステップＰ２５で仮想マスタ・ジェネレータ１３に機械軸の原点合わせ完了信号が送信され、前記ステップＰ１３に戻る。
【００７１】
一方、前記ステップＰ２１で否であれば、ステップＰ２６で機械軸の現在位置の差−設定速度の補正値変換テーブル用メモリ１３１より機械軸の現在位置の差−設定速度の補正値変換テーブルが読み込まれた後、ステップＰ２７で機械軸の現在位置の差用メモリ１２８より機械軸の現在位置の差が読み込まれる。次に、ステップＰ２８で機械軸の現在位置の差−設定速度の補正値変換テーブルを用いて、機械軸の現在位置の差より設定速度の補正値が求められ、記憶される。次に、ステップＰ２９で現在の設定速度用メモリ１２３より現在の設定(緩動)速度が読み込まれた後、ステップＰ３０で前記読み込まれた現在の設定(緩動)速度に求めた設定速度の補正値を加算し、指令速度が演算され、記憶される。その後、ステップＰ３１で原動モータ・ドライバ１４６に指令速度が出力され、前記ステップＰ１３に戻る。
【００７２】
前述したステップＰ３２で仮想マスタ・ジェネレータ１３より現在の設定(緩動)速度及び修正した仮想のモータ軸の現在位置が受信され、現在の設定速度用メモリ１２３及び仮想のモータ軸の現在位置用メモリ１３３に記憶された後、ステップＰ３３でモータ軸位置検出用カウンタ１４８よりカウント値が読み込まれ、記憶される。次に、ステップＰ３４で前記読み込まれたモータ軸位置検出用カウンタ１４８のカウント値よりモータ軸の現在位置が演算され、記憶された後、ステップＰ３５で前記受信された仮想のモータ軸の現在位置と演算で求められたモータ軸の現在位置より、モータ軸の現在位置の差が演算され、記憶される。次に、ステップＰ３６で前記演算で求められたモータ軸の現在位置の差よりモータ軸の現在位置の差の絶対値が演算され、記憶された後、ステップＰ３７でモータ軸の位置の差の許容値用メモリ１３８よりモータ軸の位置の差の許容値が読み込まれる。
【００７３】
次に、ステップＰ３８で前記演算で求められたモータ軸の現在位置の差の絶対値が読み込まれたモータ軸の位置の差の許容値以下か否かを判断し、可であればステップＰ３９で現在の設定速度用メモリ１２３より現在の設定(緩動)速度が読み込まれる。次に、ステップＰ４０で指令速度用メモリ１２４に現在の設定(緩動)速度が書き込まれた後、ステップＰ４１で原動モータ・ドライバ１４６に指令速度が出力される。その後、ステップＰ４２で仮想マスタ・ジェネレータ１３にモータ軸の原点合わせ完了信号が送信され、ステップＰ１に戻る。
【００７４】
一方、前記ステップＰ３８で否であれば、ステップＰ４３でモータ軸の現在位置の差−設定速度の補正値変換テーブル用メモリ１３９よりモータ軸の現在位置の差−設定速度の補正値変換テーブルが読み込まれた後、ステップＰ４４でモータ軸の現在位置の差用メモリ１３６よりモータ軸の現在位置の差が読み込まれる。次に、ステップＰ４５でモータ軸の現在位置の差−設定速度の補正値変換テーブルを用いて、モータ軸の現在位置の差より設定速度の補正値が求められ、記憶された後、ステップＰ４６で現在の設定速度用メモリ１２３より現在の設定(緩動)速度が読み込まれる。次に、ステップＰ４７で前記読み込まれた現在の設定(緩動)速度に求められた設定速度の補正値を加算し、指令速度が演算され、記憶された後、ステップＰ４８で原動モータ・ドライバ１４６に指令速度が出力される。その後、前記ステップＰ１３に戻る。
【００７５】
前述したステップＰ４９で仮想マスタ・ジェネレータ１３から現在の設定速度及び修正した仮想のモータ軸の現在位置が送信されたか否かを判断し、可であればステップＰ５０で仮想マスタ・ジェネレータ１３より現在の設定速度及び修正した仮想のモータ軸の現在位置が受信され、現在の設定速度用メモリ１２３及び仮想のモータ軸の現在位置用メモリ１３３に記憶される。次に、ステップＰ５１でモータ軸位置検出用カウンタ１４８よりカウント値が読み込まれ、記憶された後、ステップＰ５２で前記読み込まれたモータ軸位置検出用カウンタ１４８のカウント値よりモータ軸の現在位置が演算され、記憶される。次に、ステップＰ５３で前記受信された仮想のモータ軸の現在位置と演算で求められたモータ軸の現在位置より、モータ軸の現在位置の差が演算され、記憶された後、ステップＰ５４で前記演算で求められたモータ軸の現在位置の差よりモータ軸の現在位置の差の絶対値が演算され、記憶される。
【００７６】
次に、ステップＰ５５でモータ軸の位置の差の許容値用メモリ１３８よりモータ軸の位置の差の許容値が読み込まれた後、ステップＰ５６で前記演算で求められたモータ軸の現在位置の差の絶対値が読み込まれたモータ軸の位置の差の許容値以下か否かを判断する。ここで、可であればステップＰ６１で現在の設定速度用メモリ１２３より現在の設定速度が読み込まれた後、ステップＰ６２で指令速度用メモリ１２４に現在の設定速度が書き込まれる。次に、ステップＰ６３で原動モータ・ドライバ１４６に指令速度が出力され、ステップＰ１に戻る。一方、否であればステップＰ６４でモータ軸の現在位置の差−設定速度の補正値変換テーブル用メモリ１３９よりモータ軸の現在位置の差−設定速度の補正値変換テーブルが読み込まれた後、ステップＰ６５でモータ軸の現在位置の差用メモリ１３６よりモータ軸の現在位置の差が読み込まれる。次に、ステップＰ６６でモータ軸の現在位置の差−設定速度の補正値変換テーブルを用いて、モータ軸の現在位置の差より設定速度の補正値が求められ、記憶された後、ステップＰ６７で現在の設定速度用メモリ１２３より現在の設定速度が読み込まれた後、ステップＰ６８で前記読み込まれた現在の設定速度に前記求められた設定速度の補正値を加算し、指令速度が演算され、記憶される。その後、ステップＰ６９で原動モータ・ドライバ１４６に指令速度が出力され、ステップＰ１に戻る。
【００７７】
前述したステップＰ４９で否であれば、ステップＰ５７で仮想マスタ・ジェネレータ１３より同期運転停止指令が送信されたか否かを判断し、ここで否であればステップＰ１に直ぐ戻る。一方、可であればステップＰ５８で仮想マスタ・ジェネレータ１３より同期運転停止指令が受信された後、ステップＰ５９で原動モータ・ドライバ１４６の起動信号がＯＦＦされる。その後、ステップＰ６０で仮想マスタ・ジェネレータ１３に同期運転停止信号が送信され、ステップＰ１に戻る。
【００７８】
このようにして本実施例では、第１印刷機Ａと第２印刷機Ｂの停止時には、原動モータ１５，１１５による同期制御を止めて同原動モータ１５，１１５に付設された原動モータ・ブレーキ１６，１１６を起動させることにより、第１印刷機Ａと第２印刷機Ｂの位相ズレが防止されて同期状態が保持される。
【００７９】
この際、本実施例では、各印刷機Ａ，Ｂの速度をロータリ・エンコーダ１８，１１８で検出し、停止指令により予め定められた一定速度（例えば８ｒｐｍ）まで減速した場合、仮想マスタ・ジェネレータ１３の位相をその位置で停止するようにすると共に各印刷機Ａ，Ｂの同期制御を解除し、それと同時に、各印刷機Ａ，Ｂの原動モータ１５，１１５の原動モータ・ブレーキ１６，１１６を起動させ、各印刷機Ａ，Ｂの停止中は原動モータ・ブレーキ１６，１１６で各印刷機Ａ，Ｂの回転を停止させるようになっている。
【００８０】
これにより、各印刷機Ａ，Ｂの停止中にも原動モータ１５，１１５及び原動モータ・ドライバ１４６に電流を流さずに済み、消費電力の低減とモータ及びモータ軸受部の耐久性の向上が図れる。尚、本実施例では二つの印刷機Ａ，Ｂ間の同期制御に関して説明したが、本発明は三以上の印刷機間の同期制御にも適用できることは言うまでもない。
【実施例２】
【００８１】
図１５は本発明の実施例２を示す印刷機の複数の各部の同期制御装置の概略構成図、図１６は中央制御装置のブロック図、図１７は仮想マスタ・ジェネレータのブロック図、図１８は印刷機の各ユニットの駆動制御装置のブロック図、図１９−ａは中央制御装置の動作フロー図、図１９−ｂは中央制御装置の動作フロー図、図１９−ｃは中央制御装置の動作フロー図、図２０は中央制御装置の動作フロー図、図２１は中央制御装置の動作フロー図、図２２−ａは仮想マスタ・ジェネレータの動作フロー図、図２２−ｂは仮想マスタ・ジェネレータの動作フロー図、図２２−ｃは仮想マスタ・ジェネレータの動作フロー図、図２３−ａは仮想マスタ・ジェネレータの動作フロー図、図２３−ｂは仮想マスタ・ジェネレータの動作フロー図、図２４−ａは仮想マスタ・ジェネレータの動作フロー図、図２４−ｂは仮想マスタ・ジェネレータの動作フロー図、図２５は仮想マスタ・ジェネレータの動作フロー図、図２６−ａは印刷機の各ユニットの駆動制御装置の動作フロー図、図２６−ｂは印刷機の各ユニットの駆動制御装置の動作フロー図、図２６−ｃは印刷機の各ユニットの駆動制御装置の動作フロー図、図２７は印刷機の各ユニットの駆動制御装置の動作フロー図、図２８−ａは印刷機の各ユニットの駆動制御装置の動作フロー図、図２８−ｂは印刷機の各ユニットの駆動制御装置の動作フロー図である。
【００８２】
図１５に示すように、ウェブ輪転印刷機からなる印刷機においては、給紙部１及びインフィード部２から連続的に供給される巻取紙（ウェブ）Ｗは、先ず第１〜第４（印刷）ユニット３〜６を通過する際に、各種の印刷が施され、次いで乾燥機７を通過する際に、加熱されて乾燥させられ、引き続きクーリング部８を通過する際に冷却させられ、その後ドラッグ部９を通過する際、テンション制御又は方向の変更が行なわれた後、折機１０により所定の形状に断裁され折り畳まれることになる。
【００８３】
前記第１〜第４ユニット３〜６や折機１０は駆動モータ（駆動用モータ）２６ａ〜２６ｅにより個別に駆動されるようになっている。これら駆動モータ２６ａ〜２６ｅには当該駆動モータ２６ａ〜２６ｅの回転を制動する電磁ブレーキ等の駆動モータ・ブレーキ（制動手段）２７ａ〜２７ｅと当該駆動モータ２６ａ〜２６ｅの回転速度を検出するロータリ・エンコーダ（速度検出手段）２９ａ〜２９ｅが付設されている。また、駆動モータ２６ａ〜２６ｅは駆動制御装置２１〜２５によりそれぞれ駆動制御され、これらの駆動制御装置２１〜２５に前記ロータリ・エンコーダ２９ａ〜２９ｅの検出信号が入力されると共に各ユニット３〜６や折機１０の機械軸（図示せず）に設けられた機械原点位置検出器２８ａ〜２８ｅからの検出信号が入力されている。
【００８４】
そして、前記駆動制御装置２１〜２５は、仮想マスタ・ジェネレータ１３を介して中央制御装置１２に接続され、この中央制御装置１２により印刷機の各ユニット３〜６（及び折機１０）が同期制御（運転）されるようになっている。
【００８５】
図１６に示すように、中央制御装置１２は、ＣＰＵ４０とＲＯＭ４１とＲＡＭ４２との他に、印刷機の緩動速度用メモリ４３、設定速度用メモリ４４、原点合わせ準備時間用メモリ４５、仮想マスタ・ジェネレータに設定速度を送信する時間間隔用メモリ４６、印刷機のユニットの駆動モータのブレーキを作動させる印刷機のユニットの速度用メモリ４７Ａ、現在の印刷機の各ユニットの速度用メモリ４８Ａ、同期運転停止した印刷機のユニットの番号用メモリ４９Ａ及び内部クロック・カウンタ５０が各入出力装置５１〜５４及びインタフェース５５と共に母線（ＢＵＳ）５６で接続されてなる。
【００８６】
入出力装置５１には、キーボートや各種スイッチ及びボタン等の入力装置５７とＣＲＴやランプ等の表示器５８とプリンタやＦ・Ｄドライブ等の出力装置５９が接続される。入出力装置５２には、速度設定器６０が接続される。入出力装置５３には、印刷機の第１〜第４ユニットの駆動モータ・ブレーキ用回路６１ａ〜６１ｄを介して印刷機の第１〜第４ユニットの駆動モータ・ブレーキ２７ａ〜２７ｄがそれぞれ接続される。入出力装置５４には、Ａ／Ｄ変換器６３ａ〜６３ｄ及びＦ／Ｖ変換器６４ａ〜６４ｄを介して印刷機の第１〜第４ユニットの駆動モータ用ロータリ・エンコーダ２９ａ〜２９ｄが接続される。そして、インタフェース５５には、後述する仮想マスタ・ジェネレータ１３が接続される。
【００８７】
図１７に示すように、仮想マスタ・ジェネレータ１３は、ＣＰＵ７０とＲＯＭ７１とＲＡＭ７２との他に、現在の設定速度用メモリ７３、前回の設定速度用メモリ７４、仮想の機械軸の現在位置用メモリ７５、印刷機の各ユニットの現在位置の補正値用メモリ７６Ａ、修正した印刷機の各ユニットの仮想の機械軸の現在位置用メモリ７７Ａ、仮想マスタ・ジェネレータに設定速度を送信する時間間隔用メモリ７８、仮想の現在位置の修正値用メモリ７９、修正した仮想の機械軸の現在位置用メモリ８０、機械軸の原点合わせ完了信号を受信した印刷機のユニットの番号用メモリ８１Ａ、仮想のモータ軸の現在位置用メモリ８２、仮想のモータ軸の現在位置の修正値用メモリ８３と、修正した仮想のモータ軸の現在位置用メモリ８４、修正した印刷機の各ユニットの仮想のモータ軸の現在位置用メモリ８５Ａ、モータ軸の原点合わせ完了信号を受信した印刷機のユニットの番号用メモリ８６Ａ、増速時の速度修正値用メモリ８７、減速時の速度修正値用メモリ８８、同期運転停止信号を受信した印刷機のユニットの番号用メモリ８９Ａがインタフェース９０と共に母線（ＢＵＳ）９１で接続されてなる。そして、インタフェース９０には、前述した中央制御装置１２と後述する印刷機の第１〜第４ユニットの駆動制御装置２１〜２４が接続される。
【００８８】
図１８に示すように、印刷機の各ユニットの駆動制御装置２１〜２４は、ＣＰＵ１２０とＲＯＭ１２１とＲＡＭ１２２との他に、現在の設定速度用メモリ１２３、指令速度用メモリ１２４、仮想の機械軸の現在位置用メモリ１２５、機械軸位置検出用カウンタのカウント値用メモリ１２６、機械軸の現在位置用メモリ１２７、機械軸の現在位置の差用メモリ１２８、機械軸の現在位置の差の絶対値用メモリ１２９、機械軸の位置の差の許容値用メモリ１３０、機械軸の現在位置の差−設定速度の補正値変換テーブル用メモリ１３１、設定速度の補正値用メモリ１３２、仮想のモータ軸の現在位置用メモリ１３３、モータ軸位置検出用カウンタのカウント値用メモリ１３４、モータ軸の現在位置用メモリ１３５、モータ軸の現在位置の差用メモリ１３６、モータ軸の現在位置の差の絶対値用メモリ１３７、モータ軸の位置の差の許容値用メモリ１３８、モータ軸の現在位置の差−設定速度の補正値変換テーブル用メモリ１３９が各入出力装置１４０〜１４２及びインタフェース１４３と共に母線（ＢＵＳ）１４４で接続されてなる。
【００８９】
入出力装置１４０には、Ｄ／Ａ変換器１４５を介して印刷機のユニットの駆動モータ・ドライバ１４６Ａが接続され、この駆動モータ・ドライバ１４６Ａが印刷機のユニットの駆動モータ２６ａ〜２６ｄと印刷機のユニットの駆動モータ用ロータリ・エンコーダ２９ａ〜２９ｄに接続されている。入出力装置１４１には、機械軸位置検出用カウンタ１４７を介して機械原点位置検出器２８ａ〜２８ｄが接続される。入出力装置１４２には、モータ軸位置検出用カウンタ１４８を介して前記印刷機のユニットの駆動モータ用ロータリ・エンコーダ２９ａ〜２９ｄに接続されている。そして、インタフェース１４３には、前述した仮想マスタ・ジェネレータ１３が接続される。
【００９０】
このように構成されるため、印刷機の第１〜第４ユニット３〜６の同期制御にあたって、先ず中央制御装置１２は、図１９−ａ，図１９−ｂ，図１９−ｃ，図２０及び図２１に示す動作フローにしたがって動作する。
【００９１】
即ち、ステップＰ１で同期運転スイッチがＯＮされ、ステップＰ２で印刷機駆動スイッチがＯＮされると、ステップＰ３で印刷機の各ユニットの駆動モータ・ブレーキ用回路６１ａ〜６１ｄに作動解除信号が出力される。次に、ステップＰ４で仮想マスタ・ジェネレータ１３に原点合わせ準備開始指令が送信されると、ステップＰ５で緩動速度用メモリ４３より緩動速度が読み込まれる。次に、ステップＰ６で設定速度用メモリ４４に緩動速度が書き込まれると、ステップＰ７で仮想マスタ・ジェネレータ１３に設定（緩動）速度が送信される。次に、ステップＰ８で内部クロック・カウンタ（経過時間のカウント用）５０のカウントが開始されると、ステップＰ９で原点合わせ準備時間用メモリ４５より原点合わせ準備時間が読み込まれる。次に、ステップＰ１０で内部クロック・カウンタ５０のカウント値が読み込まれ、ステップＰ１１で内部クロック・カウンタ５０のカウント値が原点合わせ準備時間以上になると、ステップＰ１２で仮想マスタ・ジェネレータ１３に原点合わせ準備完了指令が送信される。
【００９２】
次に、ステップＰ１３で仮想マスタ・ジェネレータ１３に原点合わせ開始指令が送信された後、ステップＰ１４で緩動速度用メモリ４３より緩動速度が読み込まれると、ステップＰ１５で設定速度用メモリ４４に緩動速度が書き込まれる。次に、ステップＰ１６で内部クロック・カウンタ５０のカウントが開始されると、ステップＰ１７で仮想マスタ・ジェネレータに設定速度を送信する時間間隔用メモリ４６より仮想マスタ・ジェネレータ１３に設定速度を送信する時間間隔が読み込まれる。次に、ステップＰ１８で内部クロック・カウンタ５０のカウント値が読み込まれると、ステップＰ１９で内部クロック・カウンタ５０のカウント値が仮想マスタ・ジェネレータ１３に設定速度を送信する時間間隔以上か否かを判断し、可であればステップＰ２０で設定速度用メモリ４４より設定（緩動）速度が読み込まれた後、ステップＰ２１で仮想マスタ・ジェネレータ１３に設定（緩動）速度が送信され、その後ステップＰ１６に戻る。
【００９３】
前記ステップＰ１９で否であれば、ステップＰ２２で仮想マスタ・ジェネレータ１３より原点合わせ完了信号が送信されたか否かを判断し、可であればステップＰ２３で仮想マスタ・ジェネレータ１３より原点合わせ完了信号が受信される。次に、ステップＰ２４で仮想マスタ・ジェネレータに設定速度を送信する時間間隔用メモリ４６より仮想マスタ・ジェネレータ１３に設定速度を送信する時間間隔が読み込まれる。次に、ステップＰ２５で内部クロック・カウンタ５０のカウント値が読み込まれ、ステップＰ２６で内部クロック・カウンタ５０のカウント値が仮想マスタ・ジェネレータ１３に設定速度を送信する時間間隔以上になると、ステップＰ２７で設定速度用メモリ４４より設定（緩動）速度が読み込まれ、その後、ステップＰ２８で仮想マスタ・ジェネレータ１３に設定（緩動）速度が送信される。
【００９４】
次に、ステップＰ２９で内部クロック・カウンタ５０のカウントが開始されると、ステップＰ３０で速度設定器６０に設定速度が入力されたか否かを判断し、可であればステップＰ３１で速度設定器６０より設定速度が読み込まれ、記憶された後、ステップＰ３２で仮想マスタ・ジェネレータに設定速度を送信する時間間隔用メモリ４６より仮想マスタ・ジェネレータ１３に設定速度を送信する時間間隔が読み込まれる。前記ステップＰ３０で否であれば、直ぐ前記ステップＰ３２に移行する。次に、ステップＰ３３で内部クロック・カウンタ５０のカウント値が読み込まれると、ステップＰ３４で内部クロック・カウンタ５０のカウント値が仮想マスタ・ジェネレータ１３に設定速度を送信する時間間隔以上か否かを判断し、可であればステップＰ３５で設定速度用メモリ４４より設定速度が読み込まれた後、ステップＰ３６で仮想マスタ・ジェネレータ１３に設定速度が送信され、その後ステップＰ２９に戻る。
【００９５】
前記ステップＰ３４で否であれば、ステップＰ３７で印刷機の停止信号が入力されたか否かを判断し、否であればステップＰ３０に戻る。一方、可であればステップＰ３８で仮想マスタ・ジェネレータに設定速度を送信する時間間隔用メモリ４６より仮想マスタ・ジェネレータ１３に設定速度を送信する時間間隔が読み込まれる。次に、ステップＰ３９で内部クロック・カウンタ５０のカウント値が読み込まれ、ステップＰ４０で内部クロック・カウンタ５０のカウント値が仮想マスタ・ジェネレータ１３に設定速度を送信する時間間隔以上になると、ステップＰ４１で設定速度用メモリ４４より設定速度が読み込まれる。その後、ステップＰ４２で仮想マスタ・ジェネレータ１３に設定速度が送信され、ステップＰ４９に移行する。
【００９６】
前記ステップＰ２２で否であれば、ステップＰ４３で印刷機の停止信号が入力されたか否かを判断し、否であればステップＰ１７に戻る。一方、可であればステップＰ４４で仮想マスタ・ジェネレータに設定速度を送信する時間間隔用メモリ４６より仮想マスタ・ジェネレータ１３に設定速度を送信する時間間隔が読み込まれる。次に、ステップＰ４５で内部クロック・カウンタ５０のカウント値が読み込まれ、ステップＰ４６で内部クロック・カウンタ５０のカウント値が仮想マスタ・ジェネレータ１３に設定速度を送信する時間間隔以上になると、ステップＰ４７で設定速度用メモリ４４より設定（緩動）速度が読み込まれる。その後、ステップＰ４８で仮想マスタ・ジェネレータ１３に設定（緩動）速度が送信され、ステップＰ４９に移行する。
【００９７】
次に、ステップＰ４９で設定速度用メモリ４４にゼロが書き込まれ、ステップＰ５０で内部クロック・カウンタ５０のカウントが開始されると、ステップＰ５１で仮想マスタ・ジェネレータに設定速度を送信する時間間隔用メモリ４６より仮想マスタ・ジェネレータ１３に設定速度を送信する時間間隔が読み込まれる。次に、ステップＰ５２で内部クロック・カウンタ５０のカウント値が読み込まれ、ステップＰ５３で内部クロック・カウンタ５０のカウント値が仮想マスタ・ジェネレータ１３に設定速度を送信する時間間隔以上になると、ステップＰ５４で設定速度用メモリ４４より設定速度（ゼロ）が読み込まれる。
【００９８】
次に、ステップＰ５５で仮想マスタ・ジェネレータ１３に設定速度（ゼロ）が送信された後、ステップＰ５６で印刷機のユニットの駆動モータのブレーキを作動させる印刷機のユニットの速度用メモリ４７Ａより印刷機のユニットの駆動モータのブレーキを作動させる印刷機のユニットの速度が読み込まれる。次に、ステップＰ５７で各ユニットの駆動モータ２６ａ〜２６ｄのロータリ・エンコーダ２９ａ〜２９ｄに接続されたＦ／Ｖ変換器６４ａ〜６４ｄの出力が読み込まれ、ステップＰ５８でその読み込まれた各ユニットの駆動モータ２６ａ〜２６ｄのロータリ・エンコーダ２９ａ〜２９ｄに接続されたＦ／Ｖ変換器６４ａ〜６４ｄの出力より、現在の印刷機の各ユニットの速度が演算され、記憶される。
【００９９】
次に、ステップＰ５９で前記演算で求められた現在のすべてのユニットの速度が印刷機のユニットの駆動モータのブレーキを作動させる印刷機のユニットの速度以下か否かを判断し、否であればステップＰ５０に戻る。一方、可であればステップＰ６０で仮想マスタ・ジェネレータ１３に同期運転停止指令が送信される。次に、ステップＰ６１で仮想マスタ・ジェネレータ１３より同期運転停止した印刷機のユニットの番号が送信されると、ステップＰ６２で仮想マスタ・ジェネレータ１３から同期運転停止した印刷機のユニットの番号が受信され、記憶される。次に、ステップＰ６３で同期運転停止した印刷機のユニットの駆動モータ・ブレーキ用回路に作動信号が出力されると、ステップＰ６４ですべてのユニットが同期運転停止がなされたか否かを判断し、否であればステップＰ６１に戻る。一方、可であればステップＰ６５で同期運転スイッチがＯＦＦされると動作が終了する。尚、ステップＰ６５で同期運転スイッチがＯＦＦされないでステップＰ６６で印刷機駆動スイッチがＯＮされればステップＰ３に戻る。
【０１００】
次に、仮想マスタ・ジェネレータ１３は、図２２−ａ，図２２−ｂ，図２２−ｃ，図２３−ａ，図２３−ｂ，図２４−ａ，図２４−ｂ及び図２５に示す動作フローにしたがって動作する。
【０１０１】
即ち、ステップＰ１で中央制御装置１２より原点合わせ準備開始指令が送信されたか否かを判断し、否であれば後述するステップＰ６３に移行する一方、可であればステップＰ２で中央制御装置１２より原点合わせ準備開始指令が受信される。次に、ステップＰ３で印刷機の各ユニットの駆動制御装置２１〜２４に原点合わせ準備開始指令が送信され、ステップＰ４で中央制御装置１２より設定(緩動)速度が送信されると、ステップＰ５で中央制御装置１２より設定(緩動)速度が受信され現在の設定速度用メモリ７３に記憶される。
【０１０２】
次に、ステップＰ６で印刷機の各ユニットの駆動制御装置２１〜２４に現在の設定速度(緩動)が送信された後、ステップＰ７で中央制御装置１２より原点合わせ準備完了指令が送信されると、ステップＰ８で中央制御装置１２より原点合わせ準備完了指令が受信される。次に、ステップＰ９で印刷機の各ユニットの駆動制御装置２１〜２４に原点位置合わせ準備完了指令が送信された後、ステップＰ１０で中央制御装置１２より原点合わせ開始指令が送信されると、ステップＰ１１で中央制御装置１２より原点合わせ開始指令が受信される。次に、ステップＰ１２で印刷機の各ユニットの駆動制御装置２１〜２４に原点合わせ開始指令が送信されると、ステップＰ１３で仮想の機械軸の現在位置用メモリ７５にゼロ位置が入力されると共にステップＰ１４で仮想のモータ軸の現在位置用メモリ８２にゼロ位置が入力される。
【０１０３】
次に、ステップＰ１５で中央制御装置１２より設定(緩動)速度が送信されると、ステップＰ１６で中央制御装置１２より設定(緩動)速度が受信され、現在の設定速度用メモリ７３及び前回の設定速度用メモリ７４に記憶される。次に、ステップＰ１７で仮想の機械軸の現在位置用メモリ７５より仮想の機械軸の現在位置が読み込まれた後、ステップＰ１８で印刷機の各ユニットの現在位置の補正値用メモリ７６Ａより印刷機の各ユニットの現在位置の補正値が読み込まれる。次に、ステップＰ１９で前記読み込まれた仮想の機械軸の現在位置に、前記読み込まれた印刷機の各ユニットの現在位置の補正値を加算し、修正した印刷機の各ユニットの仮想の機械軸の現在位置が演算され、記憶された後、ステップＰ２０で印刷機の各ユニットの駆動制御装置２１〜２４に現在の設定速度(緩動)及び前記演算で求められた修正した印刷機の各ユニットの仮想の機械軸の現在位置が送信される。
【０１０４】
次に、ステップＰ２１で中央制御装置１２より設定(緩動)速度が送信されたか否かを判断し、可であればステップＰ２２で中央制御装置１２より設定(緩動)速度が受信され、現在の設定速度用メモリ７３に記憶される。次に、ステップＰ２３で前回の設定速度用メモリ７４より前回の設定速度が読み込まれた後、ステップＰ２４で仮想マスタ・ジェネレータに設定速度を送信する時間間隔用メモリ７８より、中央制御装置１２より仮想マスタ・ジェネレータ１３に設定速度を送信する時間間隔が読み込まれる。次に、ステップＰ２５で前記読み込まれた前回の設定速度及び中央制御装置１２より仮想マスタ・ジェネレータ１３に設定速度を送信する時間間隔より、仮想の現在位置の修正値が演算され、記憶された後、ステップＰ２６で仮想の機械軸の現在位置用メモリ７５より仮想の機械軸の現在位置が読み込まれる。
【０１０５】
次に、ステップＰ２７で前記読み込まれた仮想の機械軸の現在位置に、前記演算で求められた仮想の現在位置の修正値を加算し、修正した仮想の機械軸の現在位置が演算され、記憶された後、ステップＰ２８で仮想のモータ軸の現在位置用メモリ８２より仮想のモータ軸の現在位置が読み込まれる。次に、ステップＰ２９で前記読み込まれた仮想のモータ軸の現在位置に、前記演算で求められた仮想の現在位置の修正値を加算し、修正した仮想のモータ軸の現在位置が演算され、記憶された後、ステップＰ３０で印刷機の各ユニットの現在位置の補正値用メモリ７６Ａより印刷機の各ユニットの現在位置の補正値が読み込まれる。次に、ステップＰ３１で前記演算で求められた修正した仮想の機械軸の現在位置に、前記読み込まれた印刷機の各ユニットの現在位置の補正値を加算し、修正した印刷機の各ユニットの仮想の機械軸の現在位置が演算され、記憶された後、ステップＰ３２で印刷機の各ユニットの駆動制御装置２１〜２４に現在の設定(緩動)速度及び演算で求められた修正した印刷機の各ユニットの仮想の機械軸の現在位置が送信される。
【０１０６】
次に、ステップＰ３３で修正した仮想の機械軸の現在位置用メモリ８０より修正した仮想の機械軸の現在位置が読み込まれた後、ステップＰ３４で仮想の機械軸の現在位置用メモリ７５に修正した仮想の機械軸の現在位置が書き込まれる。次に、ステップＰ３５で修正した仮想のモータ軸の現在位置用メモリ８４より修正した仮想のモータ軸の現在位置が読み込まれた後、ステップＰ３６で仮想のモータ軸の現在位置用メモリ８２に修正した仮想のモータ軸の現在位置が書き込まれる。その後、前述したステップＰ２１に戻る。
【０１０７】
一方、ステップＰ２１で否であれば、ステップＰ３７で印刷機の各ユニットの駆動制御装置２１〜２４より機械軸の原点合わせ完了信号が送信されると、ステップＰ３８で印刷機の各ユニットの駆動制御装置２１〜２４より機械軸の原点合わせ完了信号が受信される。次に、ステップＰ３９で機械軸の原点合わせ完了信号を受信した印刷機のユニットの番号が記憶された後、ステップＰ４０で印刷機のすべてのユニットの機械軸の原点合わせが完了したか否かを判断する。
【０１０８】
前記ステップＰ４０で否であれば前記ステップＰ２１に戻る一方、可であればステップＰ４１で中央制御装置１２より設定(緩動)速度が送信されると、ステップＰ４２で中央制御装置１２より設定(緩動)速度が受信され、現在の設定速度用メモリ７３に記憶される。次に、ステップＰ４３で前回の設定速度用メモリ７４より前回の設定速度が読み込まれた後、ステップＰ４４で仮想マスタ・ジェネレータに設定速度を送信する時間間隔用メモリ７８より、中央制御装置１２より仮想マスタ・ジェネレータ１３に設定速度を送信する時間間隔が読み込まれる。次に、ステップＰ４５で前記読み込まれた前回の設定速度及び中央制御装置１２より仮想マスタ・ジェネレータ１３に設定速度を送信する時間間隔より、仮想の現在位置の修正値が演算され、記憶された後、ステップＰ４６で仮想の機械軸の現在位置用メモリ７５より仮想の機械軸の現在位置が読み込まれる。
【０１０９】
次に、ステップＰ４７で前記読み込まれた仮想の機械軸の現在位置に、演算で求めた仮想の現在位置の修正値を加算し、修正した仮想の機械軸の現在位置が演算され、記憶された後、ステップＰ４８で仮想のモータ軸の現在位置用メモリ８２より仮想のモータ軸の現在位置が読み込まれる。次に、ステップＰ４９で前記読み込まれた仮想のモータ軸の現在位置に、前記演算で求められた仮想の現在位置の修正値を加算し、修正した仮想のモータ軸の現在位置が演算され、記憶された後、ステップＰ５０で印刷機の各ユニットの現在位置の補正値用メモリ７６Ａより印刷機の各ユニットの現在位置の補正値が読み込まれる。次に、ステップＰ５１で前記演算で求められた修正した仮想のモータ軸の現在位置に、前記読み込まれた印刷機の各ユニットの現在位置の補正値を加算し、修正した印刷機の各ユニットの仮想のモータ軸の現在位置が演算され、記憶された後、ステップＰ５２で印刷機の各ユニットの駆動制御装置２１〜２４に現在の設定(緩動)速度及び演算で求められた修正した印刷機の各ユニットの仮想のモータ軸の現在位置が送信される。
【０１１０】
次に、ステップＰ５３で修正した仮想の機械軸の現在位置用メモリ８０より修正した仮想の機械軸の現在位置が読み込まれた後、ステップＰ５４で仮想の機械軸の現在位置用メモリ７５に修正した仮想の機械軸の現在位置が書き込まれる。次に、ステップＰ５５で修正した仮想のモータ軸の現在位置用メモリ８４より修正した仮想のモータ軸の現在位置が読み込まれた後、ステップＰ５６で仮想のモータ軸の現在位置用メモリ８２に修正した仮想のモータ軸の現在位置が書き込まれる。次に、ステップＰ５７で中央制御装置１２より設定(緩動)速度が受信されたか否かを判断し、可であればステップＰ４２に戻る一方、否であればステップＰ５８で印刷機の各ユニットの駆動制御装置２１〜２４よりモータ軸の原点合わせ完了信号が送信されると、ステップＰ５９で印刷機の各ユニットの駆動制御装置２１〜２４よりモータ軸の原点合わせ完了信号が受信される。
【０１１１】
次に、ステップＰ６０でモータ軸の原点合わせ完了信号を受信した印刷機のユニットの番号が記憶された後、ステップＰ６１で印刷機のすべてのユニットのモータ軸の原点合わせが完了したか否かを判断し、否であればステップＰ５７に戻る一方、可であればステップＰ６２で中央制御装置１２に原点合わせ完了信号が送信されてステップＰ１に戻る。
【０１１２】
一方、前述したステップＰ１で否であれば、ステップＰ６３で中央制御装置１２より設定速度が送信されたか否かを判断する。ここで、可であればステップＰ６４で中央制御装置１２より設定速度が受信され、現在の設定速度用メモリ７３に記憶される。次に、ステップＰ６５で前回の設定速度用メモリ７４より前回の設定速度が読み込まれた後、ステップＰ６６で中央制御装置１２より受信された設定速度が前回の設定速度と等しいか否かを判断する。
【０１１３】
前記ステップＰ６６で可であれば、ステップＰ６７で仮想マスタ・ジェネレータに設定速度を送信する時間間隔用メモリ７８より、中央制御装置１２より仮想マスタ・ジェネレータ１３に設定速度を送信する時間間隔が読み込まれる一方、否であればステップＰ６８で中央制御装置１２より受信された設定速度が前回の設定速度より大きいか否かを判断する。
【０１１４】
前記ステップＰ６８で可であれば、ステップＰ６９で増速時の速度修正値用メモリ８７より増速時の速度修正値が読み込まれた後、ステップＰ７０で前回の設定速度に読み込まれた増速時の速度修正値を加算し、修正した現在の設定速度が演算される。次に、ステップＰ７１で現在の設定速度用メモリ７３に、前記演算で求められた修正した現在の設定速度が記憶された後、ステップＰ６７に移行する。一方、前記ステップＰ６８で否であればステップＰ７２で減速時の速度修正値用メモリ８８より減速時の速度修正値が読み込まれた後、ステップＰ７３で前回の設定速度から読み込まれた減速時の速度修正値を減算し、修正した現在の設定速度が演算される。次に、ステップＰ７４で修正した現在の設定速度が０より小さいか否かを判断し、可であればステップＰ７５で修正した現在の設定速度がゼロに書き換えられた後前記ステップＰ７１に移行する一方、否であれば直ぐステップＰ７１に移行する。
【０１１５】
次に、ステップＰ７６で前記読み込まれた前回の設定速度及び中央制御装置１２より仮想マスタ・ジェネレータ１３に設定速度を送信する時間間隔より、仮想の現在位置の修正値が演算され、記憶された後、ステップＰ７７で仮想の機械軸の現在位置用メモリ７５より仮想の機械軸の現在位置が読み込まれる。次に、ステップＰ７８で前記読み込まれた仮想の機械軸の現在位置に、演算で求められた仮想の現在位置の修正値を加算し、修正した仮想の機械軸の現在位置が演算され、記憶された後、ステップＰ７９で仮想のモータ軸の現在位置用メモリ８２より仮想のモータ軸の現在位置が読み込まれる。次に、ステップＰ８０で読み込まれた仮想のモータ軸の現在位置に、演算で求められた仮想の現在位置の修正値を加算し、修正した仮想のモータ軸の現在位置が演算され、記憶された後、ステップＰ８１で印刷機の各ユニットの現在位置の補正値用メモリ７６Ａより印刷機の各ユニットの現在位置の補正値が読み込まれる。
【０１１６】
次に、ステップＰ８２で前記演算で求められた修正した仮想のモータ軸の現在位置に、読み込まれた各印刷機の現在位置の補正値を加算し、修正した各印刷機の仮想のモータ軸の現在位置が演算され、記憶された後、ステップＰ８３で各印刷機の駆動制御装置１４，１１４に現在の設定速度及び演算で求めた修正した各印刷機の仮想のモータ軸の現在位置が送信される。次に、ステップＰ８４で現在の設定速度が前回の設定速度用メモリ７４に記憶された後、ステップＰ８５で修正した仮想の機械軸の現在位置用メモリ８０より修正した仮想の機械軸の現在位置が読み込まれる。次に、ステップＰ８６で仮想の機械軸の現在位置用メモリ７５に修正した仮想の機械軸の現在位置が書き込まれた後、ステップＰ８７で修正した仮想のモータ軸の現在位置用メモリ８４より修正した仮想のモータ軸の現在位置が読み込まれる。その後、ステップＰ８８で仮想のモータ軸の現在位置用メモリ８２に修正した仮想のモータ軸の現在位置が書き込まれた後、ステップＰ１に戻る。
【０１１７】
一方、前述したステップＰ６３で否であれば、ステップＰ８９で中央制御装置１２より、同期運転停止指令が送信されたか否かを判断し、ここで、否であればステップＰ１に戻る。一方、可であればステップＰ９０で中央制御装置１２より、同期運転停止指令が受信された後、ステップＰ９１で印刷機の各ユニットの駆動制御装置２１〜２４に、同期運転停止指令が送信される。次に、ステップＰ９２で印刷機の各ユニットの駆動制御装置２１〜２４より同期運転停止信号が送信されると、ステップＰ９３で印刷機の各ユニットの駆動制御装置２１〜２４より同期運転停止信号が受信される。次に、ステップＰ９４で同期運転停止信号を受信した印刷機のユニットの番号が記憶された後、ステップＰ９５で中央制御装置１２に同期運転停止した印刷機のユニットの番号が送信される。その後、ステップＰ９６で印刷機のすべてのユニットの駆動制御装置２１〜２４より同期運転停止信号が受信されたか否かを判断し、可であればステップＰ１に戻る一方、否であればステップＰ９２に戻る。
【０１１８】
次に、印刷機の各ユニットの駆動制御装置２１〜２４は、図２６−ａ，図２６−ｂ，図２６−ｃ，図２７及び図２８−ａ，図２８−ｂに示す動作フローにしたがって動作する。
【０１１９】
即ち、ステップＰ１で仮想マスタ・ジェネレータ１３より原点合わせ準備開始指令が送信されたか否かを判断し、否であれば後述するステップＰ４９に移行する一方、可であればステップＰ２で仮想マスタ・ジェネレータ１３より原点合わせ準備開始指令が受信される。次に、ステップＰ３で駆動モータ・ドライバ１４６Ａの起動信号がＯＮされ、ステップＰ４で仮想マスタ・ジェネレータ１３より現在の設定(緩動)速度が送信されると、ステップＰ５で仮想マスタ・ジェネレータ１３より現在の設定(緩動)速度が受信され、記憶される。次に、ステップＰ６で現在の設定速度用メモリ１２３より現在の設定(緩動)速度が読み込まれた後、ステップＰ７で指令速度用メモリ１２４に現在の設定(緩動)速度が書き込まれる。
【０１２０】
次に、ステップＰ８で駆動モータ・ドライバ１４６Ａに指令速度が出力された後、ステップＰ９で仮想マスタ・ジェネレータ１３より原点合わせ準備完了指令が送信されると、ステップＰ１０で仮想マスタ・ジェネレータ１３より原点合わせ準備完了指令が受信される。次に、ステップＰ１１で仮想マスタ・ジェネレータ１３より原点位置合わせ開始指令が送信されると、ステップＰ１２で仮想マスタ・ジェネレータ１３より原点位置合わせ開始指令が受信される。次に、ステップＰ１３で仮想マスタ・ジェネレータ１３より現在の設定(緩動)速度及び修正した仮想の機械軸の現在位置が送信されたか否かを判断し、否であればステップＰ１４で仮想マスタ・ジェネレータ１３より現在の設定(緩動)速度及び修正した仮想のモータ軸の現在位置が送信されたら後述するステップＰ３２に移行する。
【０１２１】
前記ステップＰ１３で可であれば、ステップＰ１５で仮想マスタ・ジェネレータ１３より現在の設定(緩動)速度及び修正した仮想の機械軸の現在位置が受信され、現在の設定速度用メモリ１２３及び仮想の機械軸の現在位置用メモリ１２５に記憶された後、ステップＰ１６で機械軸位置検出用カウンタ１４７よりカウント値が読み込まれ、記憶される。次に、ステップＰ１７で前記読み込まれた機械軸位置検出用カウンタ１４７のカウント値より機械軸の現在位置が演算され、記憶された後、ステップＰ１８で前記受信された仮想の機械軸の現在位置と演算で求められた機械軸の現在位置より、機械軸の現在位置の差が演算され、記憶される。次に、ステップＰ１９で前記演算で求めた機械軸の現在位置の差より機械軸の現在位置の差の絶対値が演算され、記憶された後、ステップＰ２０で機械軸の位置の差の許容値用メモリ１３０より機械軸の位置の差の許容値が読み込まれる。
【０１２２】
次に、ステップＰ２１で前記演算で求めた機械軸の現在位置の差の絶対値が読み込んだ機械軸の位置の差の許容値以下か否かを判断し、可であればステップＰ２２で現在の設定速度用メモリ１２３より現在の設定(緩動)速度が読み込まれる。次に、ステップＰ２３で指令速度用メモリ１２４に現在の設定(緩動)速度が書き込まれた後、ステップＰ２４で駆動モータ・ドライバ１４６Ａに指令速度が出力される。その後、ステップＰ２５で仮想マスタ・ジェネレータ１３に機械軸の原点合わせ完了信号が送信され、前記ステップＰ１３に戻る。
【０１２３】
一方、前記ステップＰ２１で否であれば、ステップＰ２６で機械軸の現在位置の差−設定速度の補正値変換テーブル用メモリ１３１より機械軸の現在位置の差−設定速度の補正値変換テーブルが読み込まれた後、ステップＰ２７で機械軸の現在位置の差用メモリ１２８より機械軸の現在位置の差が読み込まれる。次に、ステップＰ２８で機械軸の現在位置の差−設定速度の補正値変換テーブルを用いて、機械軸の現在位置の差より設定速度の補正値が求められ、記憶される。次に、ステップＰ２９で現在の設定速度用メモリ１２３より現在の設定(緩動)速度が読み込まれた後、ステップＰ３０で前記読み込まれた現在の設定(緩動)速度に求めた設定速度の補正値を加算し、指令速度が演算され、記憶される。その後、ステップＰ３１で駆動モータ・ドライバ１４６Ａに指令速度が出力され、前記ステップＰ１３に戻る。
【０１２４】
前述したステップＰ３２で仮想マスタ・ジェネレータ１３より現在の設定(緩動)速度及び修正した仮想のモータ軸の現在位置が受信され、現在の設定速度用メモリ１２３及び仮想のモータ軸の現在位置用メモリ１３３に記憶された後、ステップＰ３３でモータ軸位置検出用カウンタ１４８よりカウント値が読み込まれ、記憶される。次に、ステップＰ３４で前記読み込まれたモータ軸位置検出用カウンタ１４８のカウント値よりモータ軸の現在位置が演算され、記憶された後、ステップＰ３５で前記受信された仮想のモータ軸の現在位置と演算で求められたモータ軸の現在位置より、モータ軸の現在位置の差が演算され、記憶される。次に、ステップＰ３６で前記演算で求められたモータ軸の現在位置の差よりモータ軸の現在位置の差の絶対値が演算され、記憶された後、ステップＰ３７でモータ軸の位置の差の許容値用メモリ１３８よりモータ軸の位置の差の許容値が読み込まれる。
【０１２５】
次に、ステップＰ３８で前記演算で求められたモータ軸の現在位置の差の絶対値が読み込まれたモータ軸の位置の差の許容値以下か否かを判断し、可であればステップＰ３９で現在の設定速度用メモリ１２３より現在の設定(緩動)速度が読み込まれる。次に、ステップＰ４０で指令速度用メモリ１２４に現在の設定(緩動)速度が書き込まれた後、ステップＰ４１で駆動モータ・ドライバ１４６Ａに指令速度が出力される。その後、ステップＰ４２で仮想マスタ・ジェネレータ１３にモータ軸の原点合わせ完了信号が送信され、ステップＰ１に戻る。
【０１２６】
一方、前記ステップＰ３８で否であれば、ステップＰ４３でモータ軸の現在位置の差−設定速度の補正値変換テーブル用メモリ１３９よりモータ軸の現在位置の差−設定速度の補正値変換テーブルが読み込まれた後、ステップＰ４４でモータ軸の現在位置の差用メモリ１３６よりモータ軸の現在位置の差が読み込まれる。次に、ステップＰ４５でモータ軸の現在位置の差−設定速度の補正値変換テーブルを用いて、モータ軸の現在位置の差より設定速度の補正値が求められ、記憶された後、ステップＰ４６で現在の設定速度用メモリ１２３より現在の設定(緩動)速度が読み込まれる。次に、ステップＰ４７で前記読み込まれた現在の設定(緩動)速度に求められた設定速度の補正値を加算し、指令速度が演算され、記憶された後、ステップＰ４８で駆動モータ・ドライバ１４６Ａに指令速度が出力される。その後、前記ステップＰ１３に戻る。
【０１２７】
前述したステップＰ４９で仮想マスタ・ジェネレータ１３から現在の設定速度及び修正した仮想のモータ軸の現在位置が送信されたか否かを判断し、可であればステップＰ５０で仮想マスタ・ジェネレータ１３より現在の設定速度及び修正した仮想のモータ軸の現在位置が受信され、現在の設定速度用メモリ１２３及び仮想のモータ軸の現在位置用メモリ１３３に記憶される。次に、ステップＰ５１でモータ軸位置検出用カウンタ１４８よりカウント値が読み込まれ、記憶された後、ステップＰ５２で前記読み込まれたモータ軸位置検出用カウンタ１４８のカウント値よりモータ軸の現在位置が演算され、記憶される。次に、ステップＰ５３で前記受信された仮想のモータ軸の現在位置と演算で求められたモータ軸の現在位置より、モータ軸の現在位置の差が演算され、記憶された後、ステップＰ５４で前記演算で求められたモータ軸の現在位置の差よりモータ軸の現在位置の差の絶対値が演算され、記憶される。
【０１２８】
次に、ステップＰ５５でモータ軸の位置の差の許容値用メモリ１３８よりモータ軸の位置の差の許容値が読み込まれた後、ステップＰ５６で前記演算で求められたモータ軸の現在位置の差の絶対値が読み込まれたモータ軸の位置の差の許容値以下か否かを判断する。ここで、可であればステップＰ６１で現在の設定速度用メモリ１２３より現在の設定速度が読み込まれた後、ステップＰ６２で指令速度用メモリ１２４に現在の設定速度が書き込まれる。次に、ステップＰ６３で駆動モータ・ドライバ１４６Ａに指令速度が出力され、ステップＰ１に戻る。一方、否であればステップＰ６４でモータ軸の現在位置の差−設定速度の補正値変換テーブル用メモリ１３９よりモータ軸の現在位置の差−設定速度の補正値変換テーブルが読み込まれた後、ステップＰ６５でモータ軸の現在位置の差用メモリ１３６よりモータ軸の現在位置の差が読み込まれる。次に、ステップＰ６６でモータ軸の現在位置の差−設定速度の補正値変換テーブルを用いて、モータ軸の現在位置の差より設定速度の補正値が求められ、記憶された後、ステップＰ６７で現在の設定速度用メモリ１２３より現在の設定速度が読み込まれた後、ステップＰ６８で前記読み込まれた現在の設定速度に前記求められた設定速度の補正値を加算し、指令速度が演算され、記憶される。その後、ステップＰ６９で駆動モータ・ドライバ１４６Ａに指令速度が出力され、ステップＰ１に戻る。
【０１２９】
前述したステップＰ４９で否であれば、ステップＰ５７で仮想マスタ・ジェネレータ１３より同期運転停止指令が送信されたか否かを判断し、ここで否であればステップＰ１に直ぐ戻る。一方、可であればステップＰ５８で仮想マスタ・ジェネレータ１３より同期運転停止指令が受信された後、ステップＰ５９で駆動モータ・ドライバ１４６Ａの起動信号がＯＦＦされる。その後、ステップＰ６０で仮想マスタ・ジェネレータ１３に駆動モータ・ドライバの起動信号ＯＦＦの信号が送信され、ステップＰ１に戻る。
【０１３０】
このようにして本実施例では、印刷機の停止時には、第１〜第４ユニット３〜６の駆動モータ２６ａ〜２６ｄによる同期制御を止めて同駆動モータ２６ａ〜２６ｄに付設された駆動モータ・ブレーキ２７ａ〜２７ｄを起動させることにより、各ユニット３〜６の位相ズレが防止されて同期状態が保持される。
【０１３１】
この際、本実施例では、各ユニット３〜６の速度をロータリ・エンコーダ２９ａ〜２９ｄで検出し、停止指令により予め定められた一定速度（例えば８ｒｐｍ）まで減速した場合、仮想マスタ・ジェネレータ１３の位相をその位置で停止するようにすると共に各ユニット３〜６の同期制御を解除し、それと同時に、各ユニット３〜６の駆動モータ２６ａ〜２６ｄの駆動モータ・ブレーキ２７ａ〜２７ｄを起動させ、印刷機の停止中は駆動モータ・ブレーキ２７ａ〜２７ｄで印刷機の各ユニット３〜６の回転を停止させるようになっている。
【０１３２】
これにより、印刷機の停止中にも駆動モータ２６ａ〜２６ｄ及び駆動モータ・ドライバ１４６Ａに電流を流さずに済み、消費電力の低減とモータ及びモータ軸受部の耐久性の向上が図れる。尚、本実施例では印刷機の各ユニット３〜６間の同期制御に関して説明したが、本発明は印刷機の各ユニット３〜６と折機１０との間の同期制御にも適用できることは言うまでもない。
【実施例３】
【０１３３】
図２９は本発明の実施例３を示す複数の印刷機の同期制御装置の概略構成図、図３０は主印刷機の駆動制御装置のブロック図、図３１は従属印刷機の駆動制御装置のブロック図、図３２−ａは主印刷機の駆動制御装置の動作フロー図、図３２−ｂは主印刷機の駆動制御装置の動作フロー図、図３２−ｃは主印刷機の駆動制御装置の動作フロー図、図３２−ｄは主印刷機の駆動制御装置の動作フロー図、図３３−ａは主印刷機の駆動制御装置の動作フロー図、図３３−ｂは主印刷機の駆動制御装置の動作フロー図、図３３−ｃは主印刷機の駆動制御装置の動作フロー図、図３４−ａは主印刷機の駆動制御装置の動作フロー図、図３４−ｂは主印刷機の駆動制御装置の動作フロー図、図３５−ａは主印刷機の駆動制御装置の動作フロー図、図３５−ｂは主印刷機の駆動制御装置の動作フロー図、図３５−ｃは主印刷機の駆動制御装置の動作フロー図、図３６−ａは従属印刷機の駆動制御装置の動作フロー図、図３６−ｂは従属印刷機の駆動制御装置の動作フロー図、図３７は従属印刷機の駆動制御装置の動作フロー図、図３８−ａは従属印刷機の駆動制御装置の動作フロー図、図３８−ｂは従属印刷機の駆動制御装置の動作フロー図である。
【０１３４】
図２９に示すように、ウェブ輪転印刷機からなる主印刷機Ａにおいては、給紙部１及びインフィード部２から連続的に供給される巻取紙（ウェブ）Ｗ１は、先ず第１〜第４印刷ユニット３〜６を通過する際に、各種の印刷が施され、次いで乾燥機７を通過する際に、加熱されて乾燥させられ、引き続きクーリング部８を通過する際に冷却させられ、その後ドラッグ部９を通過する際、テンション制御又は方向の変更が行なわれた後、折機１０により所定の形状に断裁され折り畳まれることになる。
【０１３５】
前記第１〜第４印刷ユニット３〜６や折機１０は機械軸（ラインシャフト）１１を介して印刷機の原動モータ（第１の駆動用モータ）１５に駆動されるようになっている。原動モータ１５には当該原動モータ１５の回転を制動する電磁ブレーキ等の原動モータ・ブレーキ（制動手段）１６と当該原動モータ１５の回転速度を検出するロータリ・エンコーダ（速度検出手段）１８が付設されている。また、原動モータ１５は主印刷機の駆動制御装置１９により駆動制御され、この駆動制御装置１９に前記ロータリ・エンコーダ１８の検出信号が入力されると共に機械軸１１に設けられた機械原点位置検出器１７からの検出信号が入力されている。
【０１３６】
一方、従属印刷機Ｂにおいては、給紙部１０１及びインフィード部１０２から連続的に供給される巻取紙（ウェブ）Ｗ２は、先ず第１〜第４印刷ユニット１０３〜１０６を通過する際に、各種の印刷が施され、次いで乾燥機１０７を通過する際に、加熱されて乾燥させられ、引き続きクーリング部１０８を通過する際に冷却させられ、その後ドラッグ部１０９を通過する際、テンション制御又は方向の変更が行なわれた後、折機１１０により所定の形状に断裁され折り畳まれることになる。
【０１３７】
前記第１〜第４印刷ユニット１０３〜１０６や折機１１０は機械軸（ラインシャフト）１１１を介して原動モータ（第２の駆動用モータ）１１５に駆動されるようになっている。原動モータ１１５には当該原動モータ１１５の回転を制動する電磁ブレーキ等の原動モータ・ブレーキ（制動手段）１１６と当該原動モータ１１５の回転速度を検出するロータリ・エンコーダ１１８（速度検出手段）が付設されている。また、原動モータ１１５は従属印刷機の駆動制御装置２０により駆動制御され、この駆動制御装置２０に前記ロータリ・エンコーダ１１８の検出信号が入力されると共に機械軸１１１に設けられた機械原点位置検出器１１７からの検出信号が入力されている。
【０１３８】
そして、前記駆動制御装置１９及び２０は互いに接続され、主印刷機Ａに対して従属印刷機Ｂが同期制御（運転）されるようになっている。即ち、本実施例では、主印刷機Ａと従属印刷機Ｂの双方にて印刷されたウェブＷ１，Ｗ２をともに従属印刷機Ｂの折機１１０に導いて折りたたむようになっている。尚、図２９では、従属印刷機Ｂを一台のみ示したが、複数台あっても良いことは言うまでもない。
【０１３９】
図３０に示すように、主印刷機の駆動制御装置１９は、ＣＰＵ１５０とＲＯＭ１５１とＲＡＭ１５２との他に、緩動速度用メモリ１５３、主印刷機の設定速度用メモリ１５４、主印刷機の指令速度用メモリ１５５、原点合わせ準備時間用メモリ１５６、従属印刷機の駆動制御装置に主印刷機の指令速度及び従属印刷機の仮想の現在位置を送信する時間間隔用メモリ１５７、主印刷機の機械軸位置検出用カウンタのカウント値用メモリ１５８、主印刷機の機械軸の現在位置用メモリ１５９、従属印刷機の現在位置の補正値用メモリ１６０、従属印刷機の機械軸の仮想の現在位置用メモリ１６１、機械軸の原点合わせ完了信号を受信した従属印刷機の番号用メモリ１６２、主印刷機のモータ軸位置検出用カウンタのカウント値用メモリ１６３、主印刷機のモータ軸の現在位置用メモリ１６４、従属印刷機のモータ軸の仮想の現在位置用メモリ１６５、モータ軸の原点合わせ完了信号を受信した従属印刷機の番号用メモリ１６６、主印刷機の前回の指令速度用メモリ１６７、増速時の速度修正値用メモリ１６８、減速時の速度修正値用メモリ１６９、修正した主印刷機の指令速度用メモリ１７０、印刷機の原動モータのブレーキを作動させる印刷機の速度用メモリ１７１、現在の各印刷機の速度用メモリ１７２、同期運転停止信号を受信した従属印刷機の番号用メモリ１７３及び内部クロック・カウンタ１７４が各入出力装置１７５〜１８１及びインタフェース１８２と共に母線（ＢＵＳ）１８３で接続されてなる。
【０１４０】
入出力装置１７５には、キーボートや各種スイッチ及びボタン等の入力装置１８４とＣＲＴやランプ等の表示器１８５とプリンタやＦ・Ｄドライブ等の出力装置１８６が接続される。入出力装置１７６には、速度設定器１８７が接続される。入出力装置１７７には、
Ｄ／Ａ変換器１８８を介して主印刷機の原動モータ・ドライバ１８９が接続され、この原動モータ・ドライバ１８９に主印刷機の原動モータ１５と主印刷機の原動モータ用ロータリ・エンコーダ１８が接続される。入出力装置１７８には、Ａ／Ｄ変換器１９０及びＦ／Ｖ変換器１９１を介して前記主印刷機の原動モータ用ロータリ・エンコーダ１８が接続されると共に、同じくＡ／Ｄ変換器１９２及びＦ／Ｖ変換器１９３を介して従属印刷機の原動モータ用ロータリ・エンコーダ１１８が接続される。入出力装置１７９には、主印刷機の機械軸位置検出用カウンタ１９４が接続され、このカウンタ１９４に前記主印刷機の原動モータ用ロータリ・エンコーダ１８と主印刷機の機械原点位置検出器１７が接続される。入出力装置１８０には、主印刷機のモータ軸位置検出用カウンタ１９５が接続され、このカウンタ１９５に前記主印刷機の原動モータ用ロータリ・エンコーダ１８が接続される。入出力装置１８１には、主印刷機の原動モータ・ブレーキ用回路１９６を介して主印刷機の原動モータ・ブレーキ１６が接続されると共に、従属印刷機の原動モータ・ブレーキ用回路１９７を介して従属印刷機の原動モータ・ブレーキ１１６が接続される。そして、インタフェース１８２には、後述する従属印刷機の駆動制御装置２０が接続される。
【０１４１】
図３１に示すように、従属印刷機の駆動制御装置２０は、ＣＰＵ２００とＲＯＭ２０１とＲＡＭ２０２との他に、主印刷機の指令速度用メモリ２０３、従属印刷機の指令速度用メモリ２０４、従属印刷機の機械軸の仮想の現在位置用メモリ２０５、従属印刷機の機械軸位置検出用カウンタのカウント値用メモリ２０６、従属印刷機の機械軸の現在位置用メモリ２０７、機械軸の現在位置の差用メモリ２０８、機械軸の現在位置の差の絶対値用メモリ２０９、機械軸の位置の差の許容値用メモリ２１０、機械軸の現在位置の差−指令速度の補正値変換テーブル用メモリ２１１、従属印刷機の指令速度の補正値用メモリ２１２、従属印刷機のモータ軸の仮想の現在位置用メモリ２１３、従属印刷機のモータ軸位置検出用カウンタのカウント値用メモリ２１４、従属印刷機のモータ軸の現在位置用メモリ２１５、モータ軸の現在位置の差用メモリ２１６、モータ軸の現在位置の差の絶対値用メモリ２１７、モータ軸の位置の差の許容値用メモリ２１８、モータ軸の現在位置の差−指令速度の補正値変換テーブル用メモリ２１９及び内部クロック・カウンタ２２０が各入出力装置２２１〜２２７及びインタフェース２２８と共に母線（ＢＵＳ）２２９で接続されてなる。
【０１４２】
入出力装置２２１には、キーボートや各種スイッチ及びボタン等の入力装置２３０とＣＲＴやランプ等の表示器２３１とプリンタやＦ・Ｄドライブ等の出力装置２３２が接続される。入出力装置２２２には、速度設定器２３３が接続される。入出力装置２２３には、
Ｄ／Ａ変換器２３４を介して従属印刷機の原動モータ・ドライバ２３５が接続され、この原動モータ・ドライバ２３５に従属印刷機の原動モータ１１５と従属印刷機の原動モータ用ロータリ・エンコーダ１１８が接続される。入出力装置２２４には、Ａ／Ｄ変換器２３６及びＦ／Ｖ変換器２３７を介して前記従属印刷機の原動モータ用ロータリ・エンコーダ１１８が接続される。入出力装置２２５には、従属印刷機の機械軸位置検出用カウンタ２３８が接続され、このカウンタ２３８に前記従属印刷機の原動モータ用ロータリ・エンコーダ１１８と従属印刷機の機械原点位置検出器１１７が接続される。入出力装置２２６には、従属印刷機のモータ軸位置検出用カウンタ２３９が接続され、このカウンタ２３９に前記従属印刷機の原動モータ用ロータリ・エンコーダ１１８が接続される。入出力装置２２７には、従属印刷機の原動モータ・ブレーキ用回路２４０を介して従属印刷機の原動モータ・ブレーキ１１６が接続される。そして、インタフェース２２８には、前述した主印刷機の駆動制御装置１９が接続される。
【０１４３】
このように構成されるため、主印刷機Ａに対して従属印刷機Ｂを同期制御するにあたって、先ず主印刷機の駆動制御装置１９は、図３２−ａ，図３２−ｂ，図３２−ｃ，図３２−ｄ，図３３−ａ，図３３−ｂ，図３３−ｃ，図３４−ａ，図３４−ｂ，図３５−ａ，図３５−ｂ，図３５−ｃに示す動作フローにしたがって動作する。
【０１４４】
即ち、ステップＰ１で同期運転スイッチがＯＮされ、ステップＰ２で印刷機駆動スイッチがＯＮされると、ステップＰ３で各印刷機の原動モータ・ブレーキ用回路１９６，１９７に作動解除信号が出力される。次に、ステップＰ４で主印刷機の原動モータ・ドライバ１８９の起動信号がＯＮされると、ステップＰ５で従属印刷機の駆動制御装置２０に原点合わせ準備開始指令が送信される。次に、ステップＰ６で緩動速度用メモリ１５３より緩動速度が読み込まれると、ステップＰ７で主印刷機の設定速度用メモリ１５４に緩動速度が書き込まれる。次に、ステップＰ８で主印刷機の指令速度用メモリ１５５に緩動速度が書き込まれると、ステップＰ９で従属印刷機の駆動制御装置２０に指令(緩動)速度が送信される。次に、ステップＰ１０で主印刷機の原動モータ・ドライバ１８９に指令(緩動)速度が出力されると、ステップＰ１１で内部クロック・カウンタ(経過時間のカウント用)１７４のカウントが開始される。次に、ステップＰ１２で原点合わせ準備時間用メモリ１５６より原点合わせ準備時間が読み込まれると、ステップＰ１３で内部クロック・カウンタ１７４のカウント値が読み込まれる。
【０１４５】
ステップＰ１４で内部クロック・カウンタ１７４のカウント値が原点合わせ準備時間以上になると、ステップＰ１５で従属印刷機の駆動制御装置２０に原点合わせ準備完了指令が送信される。次に、ステップＰ１６で従属印刷機の駆動制御装置２０に原点合わせ開始指令が送信されると、ステップＰ１７で緩動速度用メモリ１５３より緩動速度が読み込まれる。次にステップＰ１８で主印刷機の設定速度用メモリ１５４に緩動速度が書き込まれると、ステップＰ１９で内部クロック・カウンタ(経過時間のカウント用)１７４のカウントが開始される。次に、ステップＰ２０で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ２１で内部クロック・カウンタ１７４のカウント値が読み込まれる。
【０１４６】
次に、ステップＰ２２で内部クロック・カウンタ１７４のカウント値が従属印刷機の駆動制御装置２０に主印刷機の指令速度及び従属印刷機の仮想の現在位置を送信する時間間隔以上になったか否かを判断し、可であればステップＰ２３で主印刷機の設定速度用メモリ１５４より設定(緩動)速度が読み込まれる。次に、ステップＰ２４で主印刷機の指令速度用メモリ１５５に設定(緩動)速度が書き込まれると、ステップＰ２５で主印刷機の機械軸位置検出用カウンタ１９４よりカウント値が読み込まれ、記憶される。次に、ステップＰ２６で主印刷機の機械軸位置検出用カウンタ１９４のカウント値より主印刷機の機械軸の現在位置が演算され、記憶されると、ステップＰ２７で従属印刷機の現在位置の補正値用メモリ１６０より従属印刷機の現在位置の補正値が読み込まれる。
【０１４７】
次に、ステップＰ２８で前記演算で求めた主印刷機の機械軸の現在位置に、読込んだ従属印刷機の現在位置の補正値を加算し、従属印刷機の機械軸の仮想の現在位置が演算され、記憶されると、ステップＰ２９で主印刷機の指令速度用メモリ１５５より主印刷機の指令(緩動)速度が読み込まれる。次に、ステップＰ３０で従属印刷機の駆動制御装置２０に主印刷機の指令(緩動)速度及び従属印刷機の機械軸の仮想の現在位置が送信されると、ステップＰ３１で主印刷機の原動モータ・ドライバ１８９に指令(緩動)速度が出力される。その後ステップＰ１９に戻る。
【０１４８】
前記ステップＰ２２で否であれば、ステップＰ３２で従属印刷機の駆動制御装置２０より機械軸の原点合わせ完了信号が送信されたか否かを判断し、可であればステップＰ３３で従属印刷機の駆動制御装置２０より機械軸の原点合わせ完了信号が受信される。次に、ステップＰ３４で機械軸の原点合わせ完了信号を受信した従属印刷機の番号が記憶されたら、ステップＰ３５ですべての従属印刷機の機械軸の原点合わせが完了したか否かを判断し、否であれば前述したステップＰ１９にもどる。
【０１４９】
一方、可であればステップＰ３６で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ３７で内部クロック・カウンタ１７４のカウント値が読み込まれる。次に、ステップＰ３８で内部クロック・カウンタ１７４のカウント値が従属印刷機の駆動制御装置２０に主印刷機の指令速度及び従属印刷機の仮想の現在位置を送信する時間間隔以上になったら、ステップＰ３９で主印刷機の設定速度用メモリ１５４より設定(緩動)速度が読み込まれる。次に、ステップＰ４０で主印刷機の指令速度用メモリ１５５に設定(緩動)速度が書き込まれると、ステップＰ４１で主印刷機の機械軸位置検出用カウンタ１９４よりカウント値が読み込まれ、記憶される。次に、ステップＰ４２で主印刷機の機械軸位置検出用カウンタ１９４のカウント値より主印刷機の機械軸の現在位置が演算され、記憶されると、ステップＰ４３で従属印刷機の現在位置の補正値用メモリ１６０より従属印刷機の現在位置の補正値が読み込まれる。
【０１５０】
次に、ステップＰ４４で前記演算で求めた主印刷機の機械軸の現在位置に、読込んだ従属印刷機の現在位置の補正値を加算し、従属印刷機の機械軸の仮想の現在位置が演算され、記憶されると、ステップＰ４５で主印刷機の指令速度用メモリ１５５より主印刷機の指令(緩動)速度が読み込まれる。次に、ステップＰ４６で従属印刷機の駆動制御装置２０に主印刷機の指令(緩動)速度及び従属印刷機の機械軸の仮想の現在位置が送信されると、ステップＰ４７で主印刷機の原動モータ・ドライバ１８９に指令(緩動)速度が出力され、その後、後述するステップＰ６１に移行する。
【０１５１】
前記ステップＰ３２で否であれば、ステップＰ４８で印刷機の停止信号が入力されたか否かを判断する。ここで否であればステップＰ２０に戻り、可であればステップＰ４９で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ５０で内部クロック・カウンタ１７４のカウント値が読み込まれる。次に、ステップＰ５１で内部クロック・カウンタ１７４のカウント値が従属印刷機の駆動制御装置２０に主印刷機の指令速度及び従属印刷機の仮想の現在位置を送信する時間間隔以上になったら、ステップＰ５２で主印刷機の設定速度用メモリ１５４より設定(緩動)速度が読み込まれる。次に、ステップＰ５３で主印刷機の指令速度用メモリ１５５に設定(緩動)速度が書き込まれると、ステップＰ５４で主印刷機の機械軸位置検出用カウンタ１９４よりカウント値が読み込まれ、記憶される。次に、ステップＰ５５で主印刷機の機械軸位置検出用カウンタ１９４のカウント値より主印刷機の機械軸の現在位置が演算され、記憶されると、ステップＰ５６で従属印刷機の現在位置の補正値用メモリ１６０より従属印刷機の現在位置の補正値が読み込まれる。
【０１５２】
次に、ステップＰ５７で前記演算で求めた主印刷機の機械軸の現在位置に、読込んだ従属印刷機の現在位置の補正値を加算し、従属印刷機の機械軸の仮想の現在位置が演算され、記憶されると、ステップＰ５８で主印刷機の指令速度用メモリ１５５より主印刷機の指令(緩動)速度が読み込まれる。次に、ステップＰ５９で従属印刷機の駆動制御装置２０に主印刷機の指令(緩動)速度及び従属印刷機の機械軸の仮想の現在位置が送信されると、ステップＰ６０で主印刷機の原動モータ・ドライバ１８９に指令(緩動)速度が出力される。その後、後述するステップＰ１３１に移行する。
【０１５３】
前述したステップＰ６１で内部クロック・カウンタ(経過時間のカウント用)１７４のカウントが開始され、次に、ステップＰ６２で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ６３で内部クロック・カウンタ１７４のカウント値が読み込まれる。次に、ステップＰ６４で内部クロック・カウンタ１７４のカウント値が従属印刷機の駆動制御装置２０に主印刷機の指令速度及び従属印刷機の仮想の現在位置を送信する時間間隔以上になったら、ステップＰ６５で主印刷機の設定速度用メモリ１５４より設定(緩動)速度が読み込まれる。次に、ステップＰ６６で主印刷機の指令速度用メモリ１５５に設定(緩動)速度が書き込まれると、ステップＰ６７で主印刷機のモータ軸位置検出用カウンタ１９５よりカウント値が読み込まれ、記憶される。次に、ステップＰ６８で主印刷機のモータ軸位置検出用カウンタ１９５のカウント値より主印刷機のモータ軸の現在位置が演算され、記憶されると、ステップＰ６９で従属印刷機の現在位置の補正値用メモリ１６０より従属印刷機の現在位置の補正値が読み込まれる。
【０１５４】
次に、ステップＰ７０で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ７１で主印刷機の指令速度用メモリ１５５より主印刷機の指令(緩動)速度が読み込まれる。次に、ステップＰ７２で従属印刷機の駆動制御装置２０に主印刷機の指令(緩動)速度及び従属印刷機のモータ軸の仮想の現在位置が送信されると、ステップＰ７３で主印刷機の原動モータ・ドライバ１８９に指令(緩動)速度が出力される。その後、前述したステップＰ６１に戻る。
【０１５５】
前記ステップＰ６４で否であれば、ステップＰ７４で従属印刷機の駆動制御装置２０よりモータ軸の原点合わせ完了信号が送信されたか否かを判断し、可であればステップＰ７５で従属印刷機の駆動制御装置２０よりモータ軸の原点合わせ完了信号が受信される。次に、ステップＰ７６でモータ軸の原点合わせ完了信号を受信した従属印刷機の番号が記憶されたら、ステップＰ７７ですべての従属印刷機のモータ軸の原点合わせが完了したか否かを判断し、否であれば前述したステップＰ６１に戻る。
【０１５６】
一方、可であればステップＰ７８で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ７９で内部クロック・カウンタ１７４のカウント値が読み込まれる。次に、ステップＰ８０で内部クロック・カウンタ１７４のカウント値が従属印刷機の駆動制御装置２０に主印刷機の指令速度及び従属印刷機の仮想の現在位置を送信する時間間隔以上になったら、ステップＰ８１で主印刷機の設定速度用メモリ１５４より設定(緩動)速度が読み込まれる。次に、ステップＰ８２で主印刷機の指令速度用メモリ１５５に設定(緩動)速度が書き込まれると、ステップＰ８３で主印刷機のモータ軸位置検出用カウンタ１９５よりカウント値が読み込まれ、記憶される。次に、ステップＰ８４で主印刷機のモータ軸位置検出用カウンタ１９５のカウント値より主印刷機のモータ軸の現在位置が演算され、記憶されると、ステップＰ８５で従属印刷機の現在位置の補正値用メモリ１６０より従属印刷機の現在位置の補正値が読み込まれる。
【０１５７】
次に、ステップＰ８６で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ８７で主印刷機の指令速度用メモリ１５５より主印刷機の指令(緩動)速度が読み込まれる。次に、ステップＰ８８で従属印刷機の駆動制御装置２０に主印刷機の指令(緩動)速度及び従属印刷機のモータ軸の仮想の現在位置が送信されると、ステップＰ８９で主印刷機の原動モータ・ドライバ１８９に指令(緩動)速度が出力される。次に、ステップＰ９０で主印刷機の指令速度用メモリ１５５より主印刷機の指令(緩動)速度が読み込まれたら、ステップＰ９１で主印刷機の前回の指令速度用メモリ１６７に主印刷機の指令(緩動)速度が書き込まれる。その後、後述するステップＰ１０５に移行する。
【０１５８】
前記ステップＰ７４で否であれば、ステップＰ９２で印刷機の停止信号が入力されたか否かを判断する。ここで、否であれば前述したステップＰ６１に戻り、可であればステップＰ９３で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ９４で内部クロック・カウンタ１７４のカウント値が読み込まれる。次に、ステップＰ９５で内部クロック・カウンタ１７４のカウント値が従属印刷機の駆動制御装置２０に主印刷機の指令速度及び従属印刷機の仮想の現在位置を送信する時間間隔以上になったら、ステップＰ９６で主印刷機の設定速度用メモリ１５４より設定(緩動)速度が読み込まれる。次に、ステップＰ９７で主印刷機の指令速度用メモリ１５５に設定(緩動)速度が書き込まれると、ステップＰ９８で主印刷機のモータ軸位置検出用カウンタ１９５よりカウント値が読み込まれ、記憶される。次に、ステップＰ９９で主印刷機のモータ軸位置検出用カウンタ１９５のカウント値より主印刷機のモータ軸の現在位置が演算され、記憶されると、ステップＰ１００で従属印刷機の現在位置の補正値用メモリ１６０より従属印刷機の現在位置の補正値が読み込まれる。
【０１５９】
次に、ステップＰ１０１で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ１０２で主印刷機の指令速度用メモリ１５５より主印刷機の指令(緩動)速度が読み込まれる。次に、ステップＰ１０３で従属印刷機の駆動制御装置２０に主印刷機の指令(緩動)速度及び従属印刷機のモータ軸の仮想の現在位置が送信されると、ステップＰ１０４で主印刷機の原動モータ・ドライバ１８９に指令(緩動)速度が出力される。その後、後述するステップＰ１３１に移行する。
【０１６０】
前述したステップＰ１０５で内部クロック・カウンタ(経過時間のカウント用)１７４のカウントが開始されたら、ステップＰ１０６で速度設定器１８７に設定速度が入力されたか否かを判断する。ここで、可であればステップＰ１０７で、速度設定器１８７より設定速度が読み込まれ、記憶された後、ステップＰ１０８で主印刷機の設定速度用メモリ１５４より設定速度が読み込まれる。一方、否であればステップＰ１０８に直ぐ移行する。
【０１６１】
次に、ステップＰ１０９で主印刷機の前回の指令速度用メモリ１６７より前回の指令速度が読み込まれたら、ステップＰ１１０で前記読込んだ主印刷機の設定速度が読込んだ主印刷機の前回の指令速度と等しいか否かを判断する。ここで、可であればステップＰ１１１で、主印刷機の指令速度用メモリ１５５に読込んだ主印刷機の設定速度が書き込まれてから後述するステップＰ１２０に移行する。一方、否であればステップＰ１１２で、前記読込んだ主印刷機の設定速度が読込んだ主印刷機の前回の指令速度より大きいか否かを判断し、可であればステップＰ１１３で増速時の速度修正値用メモリ１６８より増速時の速度修正値が読み込まれる。次に、ステップＰ１１４で主印刷機の前回の指令速度に読み込んだ増速時の速度修正値を加算し、修正した主印刷機の指令速度が演算され、記憶されてから、ステップＰ１１５で主印刷機の指令速度用メモリ１５５に演算で求めた修正した主印刷機の指令速度が書き込まれる。その後、後述するステップＰ１２０に移行する。
【０１６２】
前記ステップＰ１１２で否であれば、ステップＰ１１６で減速時の速度修正値用メモリ１６９より減速時の速度修正値が読み込まれたら、ステップＰ１１７で主印刷機の前回の指令速度から読み込んだ減速時の速度修正値を減算し、修正した主印刷機の指令速度が演算され、記憶される。次に、ステップＰ１１８で前記修正した主印刷機の指令速度が０より小さいか否かを判断し、可であればステップＰ１１９で前記修正した主印刷機の指令速度をゼロに書換えてから、前記ステップＰ１１５に移行する。一方、否であれば前記ステップＰ１１５に直ぐ移行する。
【０１６３】
次に、前述したステップＰ１２０で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれたら、ステップＰ１２１で内部クロック・カウンタ１７４のカウント値が読み込まれる。次に、ステップＰ１２２で内部クロック・カウンタ１７４のカウント値が従属印刷機の駆動制御装置に主印刷機の指令速度及び従属印刷機の仮想の現在の位置を送信する時間間隔以上になったら、ステップＰ１２３で主印刷機のモータ軸位置検出用カウンタ１９５からカウント値が読み込まれ、記憶される。
【０１６４】
次に、ステップＰ１２４で主印刷機のモータ軸位置検出用カウンタ１９５のカウント値より主印刷機のモータ軸の現在位置が演算され、記憶されたら、ステップＰ１２５で従属印刷機の現在位置の補正値用メモリ１６０より従属印刷機の現在位置の補正値が読み込まれる。次に、ステップＰ１２６で前記演算で求めた主印刷機のモータ軸の現在位置に、読込んだ従属印刷機の現在位置の補正値を加算し、従属印刷機のモータ軸の仮想の現在位置が演算され、記憶されてから、ステップＰ１２７で主印刷機の指令速度用メモリ１５５より主印刷機の指令速度が読み込まれる。
【０１６５】
次に、ステップＰ１２８で従属印刷機の駆動制御装置２０に主印刷機の指令速度及び従属印刷機の仮想のモータ軸の現在位置が送信されたら、ステップＰ１２９で主印刷機の原動モータ・ドライバ１８９に指令速度が出力される。次に、ステップＰ１３０で主印刷機の前回の指令速度用メモリ１６７に主印刷機の指令速度が書き込まれたら、ステップＰ１３１で印刷機の停止信号が入力されたか否かを判断する。ここで、否であれば前述したステップＰ１０５に戻り、可であればステップＰ１３２で主印刷機の設定速度用メモリ１５４にゼロが書き込まれる。
【０１６６】
次に、ステップＰ１３３で内部クロック・カウンタ(経過時間のカウント用)１７４のカウントが開始されたら、ステップＰ１３４で主印刷機の前回の指令速度用メモリ１６７より前回の指令速度が読み込まれる。次に、ステップＰ１３５で前記読込んだ主印刷機の前回の指令速度が０に等しいか否かを判断し、ここで、可であればステップＰ１３６で主印刷機の指令速度用メモリ１５５にゼロが書き込まれたら、後述するステップＰ１４３に移行し、否であればステップＰ１３７で、減速時の速度修正値用メモリ１６９より減速時の速度修正値が読み込まれる。
【０１６７】
次に、ステップＰ１３８で主印刷機の前回の指令速度から読み込んだ減速時の速度修正値を減算し、修正した主印刷機の指令速度が演算され、記憶されたら、ステップＰ１３９で前記修正した主印刷機の指令速度が０より小さいか否かを判断する。ここで、可であればステップＰ１４０で前記修正した主印刷機の指令速度をゼロに書き換えてから、ステップＰ１４１で主印刷機の指令速度用メモリ１５５に演算で求めた修正した主印刷機の指令速度が書き込まれ、否であればステップＰ１４１に直ぐ移行する。その後、ステップＰ１４２で主印刷機の前回の指令速度用メモリ１６７に演算で求めた修正した指令速度が書き込まれる。
【０１６８】
次に、前述したステップＰ１４３で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれたら、ステップＰ１４４で内部クロック・カウンタ１７４のカウント値が読み込まれる。次に、ステップＰ１４５で内部クロック・カウンタ１７４のカウント値が従属印刷機の駆動制御装置に主印刷機の指令速度及び従属印刷機の仮想の現在の位置を送信する時間間隔以上になったら、ステップＰ１４６で主印刷機のモータ軸位置検出用カウンタ１９５からカウント値が読み込まれ、記憶される。
【０１６９】
次に、ステップＰ１４７で主印刷機のモータ軸位置検出用カウンタ１９５のカウント値より主印刷機のモータ軸の現在位置が演算され、記憶されたら、ステップＰ１４８で従属印刷機の現在位置の補正値用メモリ１６０より従属印刷機の現在位置の補正値が読み込まれる。次に、ステップＰ１４９で前記演算で求めた主印刷機のモータ軸の現在位置に、読込んだ従属印刷機の現在位置の補正値を加算し、従属印刷機のモータ軸の仮想の現在位置が演算され、記憶されてから、ステップＰ１５０で主印刷機の指令速度用メモリ１５５より主印刷機の指令速度が読み込まれる。
【０１７０】
次に、ステップＰ１５１で従属印刷機の駆動制御装置２０に主印刷機の指令速度及び従属印刷機の仮想のモータ軸の現在位置が送信されたら、ステップＰ１５２で主印刷機の原動モータ・ドライバ１８９に指令速度が出力される。次に、ステップＰ１５３で印刷機の原動モータのブレーキを作動させる印刷機の速度用メモリ１７１より印刷機の原動モータのブレーキを作動させる印刷機の速度が読み込まれたら、ステップＰ１５４で各印刷機の原動モータのロータリ・エンコーダ１８，１１８に接続されたＦ／Ｖ変換器１９１，１９３の出力が読み込まれる。次に、ステップＰ１５５で前記読込んだ各印刷機の原動モータのロータリ・エンコーダ１８，１１８に接続されたＦ／Ｖ変換器１９１，１９３の出力より、現在の各印刷機の速度が演算され、記憶されたら、ステップＰ１５６で前記演算で求めた現在のすべての印刷機の速度が印刷機の原動モータのブレーキを作動させる印刷機の速度以下か否かを判断する。
【０１７１】
前記ステップＰ１５６で否であれば前述したステップＰ１３３に戻り、可であればステップＰ１５７で従属印刷機の駆動制御装置２０に同期運転停止指令が送信される。次に、ステップＰ１５８で従属印刷機の駆動制御装置２０より同期運転停止信号が送信されたら、ステップＰ１５９で従属印刷機の駆動制御装置２０から同期運転停止信号を送信した従属印刷機の番号が受信され、記憶される。次に、ステップＰ１６０で同期運転停止信号を受信した従属印刷機の原動モータ・ブレーキ用回路１９７に作動信号が出力されたら、ステップＰ１６１ですべての従属印刷機が同期運転停止したか否かを判断する。
【０１７２】
前記ステップＰ１６１で否であれば、前述したステップＰ１５８に戻り、可であればステップＰ１６２で主印刷機の原動モータ・ドライバ１８９の起動信号がＯＦＦされる。次に、ステップＰ１６３で主印刷機の原動モータ・ブレーキ用回路１９６に作動信号が出力されたら、ステップＰ１６４で同期運転スイッチがＯＦＦされる。尚、同期運転スイッチがＯＦＦされずに、ステップＰ１６５で印刷機駆動スイッチがＯＮされたら、前述したステップＰ３に戻る。
【０１７３】
次に従属印刷機の駆動制御装置２０は、図３６−ａ，図３６−ｂ，図３７，図３８−ａ，図３８−ｂに示す動作フローにしたがって動作する。
【０１７４】
即ち、ステップＰ１で主印刷機の駆動制御装置１９より原点合わせ準備開始指令が送信されたか否かを判断し、否であれば後述するステップＰ４９に移行し、可であればステップＰ２で主印刷機の駆動制御装置１９より原点合わせ準備開始指令が受信される。次に、ステップＰ３で従属印刷機の原動モータ・ドライバ２３５の起動信号がＯＮされ、ステップＰ４で主印刷機の駆動制御装置１９より指令(緩動)速度が送信されると、ステップＰ５で主印刷機の駆動制御装置１９より指令(緩動)速度が受信され、記憶される。次に、ステップＰ６で主印刷機の指令速度用メモリ２０３より主印刷機の指令(緩動)速度が読み込まれたら、ステップＰ７で従属印刷機の指令速度用メモリ２０４に指令(緩動)速度が書き込まれる。
【０１７５】
次に、ステップＰ８で従属印刷機の原動モータ・ドライバ２３５に指令速度が出力され、ステップＰ９で主印刷機の駆動制御装置１９より原点合わせ準備完了指令が送信されると、ステップＰ１０で主印刷機の駆動制御装置１９より原点合わせ準備完了指令が受信される。次に、ステップＰ１１で主印刷機の駆動制御装置１９より原点合わせ開始指令が送信されると、ステップＰ１２で主印刷機の駆動制御装置１９より原点合わせ開始指令が受信される。
【０１７６】
次に、ステップＰ１３で主印刷機の駆動制御装置１９より主印刷機の指令(緩動)速度及び従属印刷機の機械軸の仮想の現在位置が送信されたか否かを判断し、ここで、否であればステップＰ２５で、主印刷機の駆動制御装置１９より主印刷機の指令(緩動)速度及び従属印刷機のモータ軸の仮想の現在位置が送信されると、ステップＰ２６で主印刷機の駆動制御装置１９から主印刷機の指令(緩動)速度及び従属印刷機のモータ軸の仮想の現在位置が受信され、記憶される。その後、後述するステップＰ３３に移行する。
【０１７７】
前記ステップＰ１３で可であれば、ステップＰ１４で主印刷機の駆動制御装置１９から主印刷機の指令(緩動)速度及び従属印刷機の機械軸の仮想の現在位置が受信され、記憶される。次に、ステップＰ１５で従属印刷機の機械軸位置検出用カウンタ２３８よりカウント値が読み込まれ、記憶されたら、ステップＰ１６で前記読込んだ従属印刷機の機械軸位置検出用カウンタ２３８のカウント値より従属印刷機の機械軸の現在位置が演算され、記憶される。
【０１７８】
次に、ステップＰ１７で前記受信した従属印刷機の機械軸の仮想の現在位置と演算で求めた従属印刷機の機械軸の現在位置より、機械軸の現在位置の差が演算され、記憶されたら、ステップＰ１８で前記演算で求めた機械軸の現在位置の差より機械軸の現在位置の差の絶対値が演算され、記憶される。次に、ステップＰ１９で機械軸の位置の差の許容値用メモリ２１０より機械軸の位置の差の許容値が読み込まれたら、ステップＰ２０で前記演算で求めた機械軸の現在位置の差の絶対値が読込んだ機械軸の位置の差の許容値以下か否かを判断する。
【０１７９】
前記ステップＰ２０で可であれば、ステップＰ２１で主印刷機の指令速度用メモリ２０３より主印刷機の指令(緩動)速度が読み込まれたら、ステップＰ２２で従属印刷機の指令速度用メモリ２０４に主印刷機の指令(緩動)速度が書き込まれる。次に、ステップＰ２３で従属印刷機の原動モータ・ドライバ２３５に指令速度が出力されると、ステップＰ２４で主印刷機の駆動制御装置１９に機械軸の原点合わせ完了信号が送信される。その後、前述したステップＰ１３に戻る。
【０１８０】
前記ステップＰ２０で否であれば、ステップＰ２７で機械軸の現在位置の差−指令速度の補正値変換テーブル用メモリ２１１より機械軸の現在位置の差−指令速度の補正値変換テーブルが読み込まれたら、ステップＰ２８で機械軸の現在位置の差用メモリ２０８より機械軸の現在位置の差が読み込まれる。次に、ステップＰ２９で機械軸の現在位置の差−指令速度の補正値変換テーブルを用いて、機械軸の現在位置の差より従属印刷機の指令速度の補正値を求め、記憶されたら、ステップＰ３０で主印刷機の指令速度用メモリ２０３より指令(緩動)速度が読み込まれる。次に、ステップＰ３１で前記読込んだ主印刷機の指令(緩動)速度に求めた従属印刷機の指令速度の補正値を加算し、従属印刷機の指令速度が演算され、記憶されたら、ステップＰ３２で従属印刷機の原動モータ・ドライバ２３５に指令速度が出力される。その後、前述したステップＰ１３に戻る。
【０１８１】
前述したステップＰ３３で従属印刷機のモータ軸位置検出用カウンタ２３９よりカウント値が読み込まれ、記憶されたら、ステップＰ３４で前記読込んだ従属印刷機のモータ軸位置検出用カウンタ２３９のカウント値より従属印刷機のモータ軸の現在位置が演算され、記憶される。次に、ステップＰ３５で前記受信した従属印刷機のモータ軸の仮想の現在位置と演算で求めた従属印刷機のモータ軸の現在位置より、モータ軸の現在位置の差が演算され、記憶されると、ステップＰ３６で前記演算で求めたモータ軸の現在位置の差よりモータ軸の現在位置の差の絶対値が演算され、記憶される。次に、ステップＰ３７でモータ軸の位置の差の許容値用メモリ２１８よりモータ軸の位置の差の許容値が読み込まれたら、ステップＰ３８で前記演算で求めたモータ軸の現在位置の差の絶対値が読込んだモータ軸の位置の差の許容値以下か否かを判断する。
【０１８２】
前記ステップＰ３８で可であれば、ステップＰ３９で主印刷機の指令速度用メモリ２０３より主印刷機の指令(緩動)速度が読み込まれ、ステップＰ４０で従属印刷機の指令速度用メモリ２０４に主印刷機の指令(緩動)速度が書き込まれたら、ステップＰ４１で従属印刷機の原動モータ・ドライバ２３５に指令速度が出力される。次に、ステップＰ４２で主印刷機の駆動制御装置１９にモータ軸の原点合わせ完了信号が送信されて、ステップＰ１に戻る。
【０１８３】
一方、前記ステップＰ３８で否であれば、ステップＰ４３でモータ軸の現在位置の差−指令速度の補正値変換テーブル用メモリ２１９よりモータ軸の現在位置の差−指令速度の補正値変換テーブルが読み込まれる。次に、ステップＰ４４でモータ軸の現在位置の差用メモリ２１６よりモータ軸の現在位置の差が読み込まれたら、ステップＰ４５でモータ軸の現在位置の差−指令速度の補正値変換テーブルを用いて、モータ軸の現在位置の差より従属印刷機の指令速度の補正値が求められる。次に、ステップＰ４６で主印刷機の指令速度用メモリ２０３より指令(緩動)速度が読み込まれたら、ステップＰ４７で前記読込んだ主印刷機の指令(緩動)速度に求めた従属印刷機の指令速度の補正値を加算し、従属印刷機の指令速度が演算され、記憶される。次に、ステップＰ４８で従属印刷機の原動モータ・ドライバ２３５に指令速度が出力されたら、前述したステップＰ１３に戻る。
【０１８４】
前述したステップＰ４９で主印刷機の駆動制御装置１９より主印刷機の指令(緩動)速度及び従属印刷機のモータ軸の仮想の現在位置が送信されたか否かを判断し、ここで、否であればステップＰ６６で、主印刷機の駆動制御装置１９より同期運転停止指令が送信されたか否かを判断する。ここで、可であればステップＰ６７で、主印刷機の駆動制御装置１９から同期運転停止指令が受信される。次に、ステップＰ６８で従属印刷機の原動モータ・ドライバ２３５の起動信号がＯＦＦされると、ステップＰ６９で主印刷機の駆動制御装置１９に同期運転停止信号が送信され、ステップＰ１に戻る。一方、前記ステップＰ６６で否であれば、直ぐステップＰ１に戻る。
【０１８５】
前記ステップＰ４９で可であれば、ステップＰ５０で主印刷機の駆動制御装置１９から主印刷機の指令(緩動)速度及び従属印刷機のモータ軸の仮想の現在位置が受信され、記憶される。次に、ステップＰ５１で従属印刷機のモータ軸位置検出用カウンタ２３９よりカウント値が読み込まれ、記憶されたら、ステップＰ５２で前記読込んだ従属印刷機のモータ軸位置検出用カウンタ２３９のカウント値より従属印刷機のモータ軸の現在位置が演算され、記憶される。
【０１８６】
次に、ステップＰ５３で前記受信した従属印刷機のモータ軸の仮想の現在位置と演算で求めた従属印刷機のモータ軸の現在位置より、機械軸の現在位置の差が演算され、記憶されたら、ステップＰ５４で前記演算で求めたモータ軸の現在位置の差よりモータ軸の現在位置の差の絶対値が演算され、記憶される。次に、ステップＰ５５でモータ軸の位置の差の許容値用メモリ２１８よりモータ軸の位置の差の許容値が読み込まれたら、ステップＰ５６で前記演算で求めたモータ軸の現在位置の差の絶対値が読込んだモータ軸の位置の差の許容値以下か否かを判断する。
【０１８７】
前記ステップＰ５６で可であれば、ステップＰ５７で主印刷機の指令速度用メモリ２０３より主印刷機の指令速度が読み込まれたら、ステップＰ５８で従属印刷機の指令速度用メモリ２０４に主印刷機の指令速度が書き込まれる。次に、ステップＰ５９で従属印刷機の原動モータ・ドライバ２３５に指令速度が出力されて、ステップＰ１に戻る。
【０１８８】
前記ステップＰ５６で否であれば、ステップＰ６０でモータ軸の現在位置の差−指令速度の補正値変換テーブル用メモリ２１９よりモータ軸の現在位置の差−指令速度の補正値変換テーブルが読み込まれたら、ステップＰ６１でモータ軸の現在位置の差用メモリ２１６よりモータ軸の現在位置の差が読み込まれる。次に、ステップＰ６２でモータ軸の現在位置の差−指令速度の補正値変換テーブルを用いて、モータ軸の現在位置の差より従属印刷機の指令速度の補正値を求め、記憶されたら、ステップＰ６３で主印刷機の指令速度用メモリ２０３より指令速度が読み込まれる。次に、ステップＰ６４で前記読込んだ主印刷機の指令速度に求めた従属印刷機の指令速度の補正値を加算し、従属印刷機の指令速度が演算され、記憶されたら、ステップＰ６５で従属印刷機の原動モータ・ドライバ２３５に指令速度が出力される。その後、ステップＰ１に戻る。
【０１８９】
このようにして本実施例では、主印刷機Ａと従属印刷機Ｂの停止時には、原動モータ１５，１１５による同期制御を止めて同原動モータ１５，１１５に付設された原動モータ・ブレーキ１６，１１６を起動させることにより、主印刷機Ａと従属印刷機Ｂの位相ズレが防止されて同期状態が保持される。
【０１９０】
この際、本実施例では、各印刷機Ａ，Ｂの速度をロータリ・エンコーダ１８，１１８で検出し、停止指令により予め定められた一定速度（例えば８ｒｐｍ）まで減速した場合、主印刷機Ａの位相をその位置で停止するようにすると共に主印刷機Ａに対する従属印刷機Ｂの同期制御を解除し、それと同時に、各印刷機Ａ，Ｂの原動モータ１５，１１５の原動モータ・ブレーキ１６，１１６を起動させ、各印刷機Ａ，Ｂの停止中は原動モータ・ブレーキ１６，１１６で各印刷機Ａ，Ｂの回転を停止させるようになっている。
【０１９１】
これにより、各印刷機Ａ，Ｂの停止中にも原動モータ１５，１１５及び原動モータ・ドライバ１８９，２３５に電流を流さずに済み、消費電力の低減とモータ及びモータ軸受部の耐久性の向上が図れる。
【実施例４】
【０１９２】
図３９は本発明の実施例４を示す印刷機の複数の各部の同期制御装置の概略構成図、図４０は主ユニットの駆動制御装置のブロック図、図４１は各従属ユニットの駆動制御装置のブロック図、図４２−ａは主ユニットの駆動制御装置の動作フロー図、図４２−ｂは主ユニットの駆動制御装置の動作フロー図、図４２−ｃは主ユニットの駆動制御装置の動作フロー図、図４２−ｄは主ユニットの駆動制御装置の動作フロー図、図４３−ａは主ユニットの駆動制御装置の動作フロー図、図４３−ｂは主ユニットの駆動制御装置の動作フロー図、図４３−ｃは主ユニットの駆動制御装置の動作フロー図、図４４−ａは主ユニットの駆動制御装置の動作フロー図、図４４−ｂは主ユニットの駆動制御装置の動作フロー図、図４５−ａは主ユニットの駆動制御装置の動作フロー図、図４５−ｂは主ユニットの駆動制御装置の動作フロー図、図４５−ｃは主ユニットの駆動制御装置の動作フロー図、図４６−ａは従属ユニットの駆動制御装置の動作フロー図、図４６−ｂは従属ユニットの駆動制御装置の動作フロー図、図４７は従属ユニットの駆動制御装置の動作フロー図、図４８−ａは従属ユニットの駆動制御装置の動作フロー図、図４８−ｂは従属ユニットの駆動制御装置の動作フロー図である。
【０１９３】
図３９に示すように、ウェブ輪転印刷機からなる印刷機においては、給紙部１及びインフィード部２から連続的に供給される巻取紙（ウェブ）Ｗは、先ず従属ユニットとしての第１〜第４（印刷）ユニット３〜６を通過する際に、各種の印刷が施され、次いで乾燥機７を通過する際に、加熱されて乾燥させられ、引き続きクーリング部８を通過する際に冷却させられ、その後ドラッグ部９を通過する際、テンション制御又は方向の変更が行なわれた後、主ユニットとしての折機１０により所定の形状に断裁され折り畳まれることになる。
【０１９４】
前記第１〜第４ユニット３〜６や折機１０は駆動モータ（駆動用モータ）２６ａ〜２６ｅにより個別に駆動されるようになっている。これら駆動モータ２６ａ〜２６ｅには当該駆動モータ２６ａ〜２６ｅの回転を制動する電磁ブレーキ等の駆動モータ・ブレーキ（制動手段）２７ａ〜２７ｅと当該駆動モータ２６ａ〜２６ｅの回転速度を検出するロータリ・エンコーダ（速度検出手段）２９ａ〜２９ｅが付設されている。また、第１〜第４ユニット３〜６の駆動モータ２６ａ〜２６ｄは従属ユニットの駆動制御装置３０ａ〜３０ｄにより、また折機１０の駆動モータ２６ｅは主ユニットの駆動制御装置３１によりそれぞれ駆動制御され、これらの駆動制御装置３０ａ〜３０ｄ，３１に前記ロータリ・エンコーダ２９ａ〜２９ｅの検出信号が入力されると共に第１〜第４ユニット３〜６や折機１０の機械軸（図示せず）に設けられた機械原点位置検出器２８ａ〜２８ｅからの検出信号が入力されている。
【０１９５】
そして、前記従属ユニットの駆動制御装置３０ａ〜３０ｄは主ユニットの駆動制御装置３１に接続され、この主ユニットの駆動制御装置３１により主ユニットとしての折機１０に対して従属ユニットとしての第１〜第４ユニット３〜６が同期制御（運転）されるようになっている。
【０１９６】
図４０に示すように、主ユニットの駆動制御装置３１は、ＣＰＵ１５０とＲＯＭ１５１とＲＡＭ１５２との他に、緩動速度用メモリ１５３、主ユニットの設定速度用メモリ１５４Ａ、主ユニットの指令速度用メモリ１５５Ａ、原点合わせ準備時間用メモリ１５６、従属ユニットの駆動制御装置に主ユニットの指令速度及び従属ユニットの仮想の現在位置を送信する時間間隔用メモリ１５７Ａ、主ユニットの機械軸位置検出用カウンタのカウント値用メモリ１５８Ａ、主ユニットの機械軸の現在位置用メモリ１５９Ａ、従属ユニットの現在位置の補正値用メモリ１６０Ａ、従属ユニットの機械軸の仮想の現在位置用メモリ１６１Ａ、機械軸の原点合わせ完了信号を受信した従属ユニットの番号用メモリ１６２Ａ、主ユニットのモータ軸位置検出用カウンタのカウント値用メモリ１６３Ａ、主ユニットのモータ軸の現在位置用メモリ１６４Ａ、従属ユニットのモータ軸の仮想の現在位置用メモリ１６５Ａ、モータ軸の原点合わせ完了信号を受信した従属ユニットの番号用メモリ１６６Ａ、主ユニットの前回の指令速度用メモリ１６７Ａ、増速時の速度修正値用メモリ１６８Ａ、減速時の速度修正値用メモリ１６９Ａ、修正した主ユニットの指令速度用メモリ１７０Ａ、印刷機のユニットの駆動モータのブレーキを作動させる印刷機のユニットの速度用メモリ１７１Ａ、現在の印刷機の各ユニットの速度用メモリ１７２Ａ、同期運転停止信号を受信した従属ユニットの番号用メモリ１７３Ａ及び内部クロック・カウンタ１７４が各入出力装置１７５〜１８１及びインタフェース１８２と共に母線（ＢＵＳ）１８３で接続されてなる。
【０１９７】
入出力装置１７５には、キーボートや各種スイッチ及びボタン等の入力装置１８４とＣＲＴやランプ等の表示器１８５とプリンタやＦ・Ｄドライブ等の出力装置１８６が接続される。入出力装置１７６には、速度設定器１８７が接続される。入出力装置１７７には、
Ｄ／Ａ変換器１８８を介して主ユニットの駆動モータ・ドライバ１８９Ａが接続され、この駆動モータ・ドライバ１８９Ａに主ユニットの駆動モータ２６ｅと主ユニットの駆動モータ用ロータリ・エンコーダ２９ｅが接続される。入出力装置１７８には、Ａ／Ｄ変換器１９０及びＦ／Ｖ変換器１９１を介して前記主ユニットの駆動モータ用ロータリ・エンコーダ２９ｅが接続されると共に、同じくＡ／Ｄ変換器１９２ａ〜１９２ｄ及びＦ／Ｖ変換器１９３ａ〜１９３ｄを介して第１〜第４従属ユニットの駆動モータ用ロータリ・エンコーダ２９ａ〜２９ｄが接続される。入出力装置１７９には、主ユニットの機械軸位置検出用カウンタ１９４Ａが接続され、このカウンタ１９４Ａに前記主ユニットの駆動モータ用ロータリ・エンコーダ２９ｅと主ユニットの機械原点位置検出器２８ｅが接続される。入出力装置１８０には、主ユニットのモータ軸位置検出用カウンタ１９５Ａが接続され、このカウンタ１９５Ａに前記主ユニットの駆動モータ用ロータリ・エンコーダ２９ｅが接続される。入出力装置１８１には、主ユニットの駆動モータ・ブレーキ用回路１９６Ａを介して主ユニットの駆動モータ・ブレーキ２７ｅが接続されると共に、第１〜第４従属ユニットの駆動モータ・ブレーキ用回路１９７ａ〜１９７ｄを介して第１〜第４従属ユニットの駆動モータ・ブレーキ２７ａ〜２７ｄが接続される。そして、インタフェース１８２には、後述する各従属ユニットの駆動制御装置３０ａ〜３０ｄが接続される。
【０１９８】
図４１に示すように、各従属ユニットの駆動制御装置３０ａ〜３０ｄは、ＣＰＵ２００とＲＯＭ２０１とＲＡＭ２０２との他に、主ユニットの指令速度用メモリ２０３Ａ、従属ユニットの指令速度用メモリ２０４Ａ、従属ユニットの機械軸の仮想の現在位置用メモリ２０５Ａ、従属ユニットの機械軸位置検出用カウンタのカウント値用メモリ２０６Ａ、従属ユニットの機械軸の現在位置用メモリ２０７Ａ、機械軸の現在位置の差用メモリ２０８Ａ、機械軸の現在位置の差の絶対値用メモリ２０９Ａ、機械軸の位置の差の許容値用メモリ２１０Ａ、機械軸の現在位置の差−指令速度の補正値変換テーブル用メモリ２１１Ａ、従属ユニットの指令速度の補正値用メモリ２１２Ａ、従属ユニットのモータ軸の仮想の現在位置用メモリ２１３Ａ、従属ユニットのモータ軸位置検出用カウンタのカウント値用メモリ２１４Ａ、従属ユニットのモータ軸の現在位置用メモリ２１５Ａ、モータ軸の現在位置の差用メモリ２１６Ａ、モータ軸の現在位置の差の絶対値用メモリ２１７、モータ軸の位置の差の許容値用メモリ２１８、モータ軸の現在位置の差−指令速度の補正値変換テーブル用メモリ２１９及び内部クロック・カウンタ２２０が各入出力装置２２１〜２２７及びインタフェース２２８と共に母線（ＢＵＳ）２２９で接続されてなる。
【０１９９】
入出力装置２２１には、キーボートや各種スイッチ及びボタン等の入力装置２３０とＣＲＴやランプ等の表示器２３１とプリンタやＦ・Ｄドライブ等の出力装置２３２が接続される。入出力装置２２２には、速度設定器２３３が接続される。入出力装置２２３には、
Ｄ／Ａ変換器２３４を介して第１従属ユニットの駆動モータ・ドライバ２３５Ａが接続され、この駆動モータ・ドライバ２３５Ａに第１従属ユニットの駆動モータ２６ａと第１従属ユニットの駆動モータ用ロータリ・エンコーダ２９ａが接続される。入出力装置２２４には、Ａ／Ｄ変換器２３６及びＦ／Ｖ変換器２３７を介して前記第１従属ユニットの駆動モータ用ロータリ・エンコーダ２９ａが接続される。入出力装置２２５には、第１従属ユニットの機械軸位置検出用カウンタ２３８Ａが接続され、このカウンタ２３８Ａに前記第１従属ユニットの駆動モータ用ロータリ・エンコーダ２９ａと第１従属ユニットの機械原点位置検出器２８ａが接続される。入出力装置２２６には、第１従属ユニットのモータ軸位置検出用カウンタ２３９Ａが接続され、このカウンタ２３９Ａに前記第１従属ユニットの駆動モータ用ロータリ・エンコーダ２９ａが接続される。入出力装置２２７には、第１従属ユニットの駆動モータ・ブレーキ用回路２４０Ａを介して第１従属ユニットの駆動モータ・ブレーキ２７ａが接続される。そして、インタフェース２２８には、前述した主ユニットの駆動制御装置３１が接続される。
【０２００】
このように構成されるため、主ユニットとしての折機１０に対して従属ユニットとしての第１〜第４ユニット３〜６を同期制御（運転）するにあたって、先ず主ユニットの駆動制御装置３１は、図４２−ａ，図４２−ｂ，図４２−ｃ，図４２−ｄ，図４３−ａ，図４３−ｂ，図４３−ｃ，図４４−ａ，図４４−ｂ，図４５−ａ，図４５−ｂ，図４５−ｃに示す動作フローにしたがって動作する。
【０２０１】
即ち、ステップＰ１で同期運転スイッチがＯＮされ、ステップＰ２で印刷機駆動スイッチがＯＮされると、ステップＰ３で各ユニットの駆動モータ・ブレーキ用リレー１９６Ａ，１９７ａ〜１９７ｄに作動解除信号が出力される。次に、ステップＰ４で主ユニットの駆動モータ・ドライバ１８９Ａの起動信号がＯＮされると、ステップＰ５で従属ユニットの駆動制御装置３０ａ〜３０ｄに原点合わせ準備開始指令が送信される。次に、ステップＰ６で緩動速度用メモリ１５３より緩動速度が読み込まれると、ステップＰ７で主ユニットの設定速度用メモリ１５４Ａに緩動速度が書き込まれる。次に、ステップＰ８で主ユニットの指令速度用メモリ１５５Ａに緩動速度が書き込まれると、ステップＰ９で従属ユニットの駆動制御装置３０ａ〜３０ｄに指令(緩動)速度が送信される。次に、ステップＰ１０で主ユニットの駆動モータ・ドライバ１８９Ａに指令(緩動)速度が出力されると、ステップＰ１１で内部クロック・カウンタ(経過時間のカウント用)１７４のカウントが開始される。次に、ステップＰ１２で原点合わせ準備時間用メモリ１５６より原点合わせ準備時間が読み込まれると、ステップＰ１３で内部クロック・カウンタ１７４のカウント値が読み込まれる。
【０２０２】
ステップＰ１４で内部クロック・カウンタ１７４のカウント値が原点合わせ準備時間以上になると、ステップＰ１５で従属ユニットの駆動制御装置３０ａ〜３０ｄに原点合わせ準備完了指令が送信される。次に、ステップＰ１６で従属ユニットの駆動制御装置３０ａ〜３０ｄに原点合わせ開始指令が送信されると、ステップＰ１７で緩動速度用メモリ１５３より緩動速度が読み込まれる。次にステップＰ１８で主ユニットの設定速度用メモリ１５４Ａに緩動速度が書き込まれると、ステップＰ１９で内部クロック・カウンタ(経過時間のカウント用)１７４のカウントが開始される。次に、ステップＰ２０で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ２１で内部クロック・カウンタ１７４のカウント値が読み込まれる。
【０２０３】
次に、ステップＰ２２で内部クロック・カウンタ１７４のカウント値が従属ユニットの駆動制御装置３０ａ〜３０ｄに主ユニットの指令速度及び従属ユニットの仮想の現在位置を送信する時間間隔以上になったか否かを判断し、可であればステップＰ２３で主ユニットの設定速度用メモリ１５４Ａより設定(緩動)速度が読み込まれる。次に、ステップＰ２４で主ユニットの指令速度用メモリ１５５Ａに設定(緩動)速度が書き込まれると、ステップＰ２５で主ユニットの機械軸位置検出用カウンタ１９４Ａよりカウント値が読み込まれ、記憶される。次に、ステップＰ２６で主ユニットの機械軸位置検出用カウンタ１９４Ａのカウント値より主ユニットの機械軸の現在位置が演算され、記憶されると、ステップＰ２７で従属ユニットの現在位置の補正値用メモリ１６０Ａより従属ユニットの現在位置の補正値が読み込まれる。
【０２０４】
次に、ステップＰ２８で前記演算で求めた主ユニットの機械軸の現在位置に、読込んだ従属ユニットの現在位置の補正値を加算し、従属ユニットの機械軸の仮想の現在位置が演算され、記憶されると、ステップＰ２９で主ユニットの指令速度用メモリ１５５Ａより主ユニットの指令(緩動)速度が読み込まれる。次に、ステップＰ３０で従属ユニットの駆動制御装置３０ａ〜３０ｄに主ユニットの指令(緩動)速度及び従属ユニットの機械軸の仮想の現在位置が送信されると、ステップＰ３１で主ユニットの駆動モータ・ドライバ１８９Ａに指令(緩動)速度が出力される。その後ステップＰ１９に戻る。
【０２０５】
前記ステップＰ２２で否であれば、ステップＰ３２で従属ユニットの駆動制御装置３０ａ〜３０ｄより機械軸の原点合わせ完了信号が送信されたか否かを判断し、可であればステップＰ３３で従属ユニットの駆動制御装置３０ａ〜３０ｄより機械軸の原点合わせ完了信号が受信される。次に、ステップＰ３４で機械軸の原点合わせ完了信号を受信した従属ユニットの番号が記憶されたら、ステップＰ３５ですべての従属ユニットの機械軸の原点合わせが完了したか否かを判断し、否であれば前述したステップＰ１９にもどる。
【０２０６】
一方、可であればステップＰ３６で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ３７で内部クロック・カウンタ１７４のカウント値が読み込まれる。次に、ステップＰ３８で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ３９で主ユニットの設定速度用メモリ１５４Ａより設定(緩動)速度が読み込まれる。次に、ステップＰ４０で主ユニットの指令速度用メモリ１５５Ａに設定(緩動)速度が書き込まれると、ステップＰ４１で主ユニットの機械軸位置検出用カウンタ１９４Ａよりカウント値が読み込まれ、記憶される。次に、ステップＰ４２で主ユニットの機械軸位置検出用カウンタ１９４Ａのカウント値より主ユニットの機械軸の現在位置が演算され、記憶されると、ステップＰ４３で従属ユニットの現在位置の補正値用メモリ１６０Ａより従属ユニットの現在位置の補正値が読み込まれる。
【０２０７】
次に、ステップＰ４４で前記演算で求めた主ユニットの機械軸の現在位置に、読込んだ従属ユニットの現在位置の補正値を加算し、従属ユニットの機械軸の仮想の現在位置が演算され、記憶されると、ステップＰ４５で主ユニットの指令速度用メモリ１５５Ａより主ユニットの指令(緩動)速度が読み込まれる。次に、ステップＰ４６で従属ユニットの駆動制御装置３０ａ〜３０ｄに主ユニットの指令(緩動)速度及び従属ユニットの機械軸の仮想の現在位置が送信されると、ステップＰ４７で主ユニットの駆動モータ・ドライバ１８９Ａに指令(緩動)速度が出力され、その後、後述するステップＰ６１に移行する。
【０２０８】
前記ステップＰ３２で否であれば、ステップＰ４８で印刷機の停止信号が入力されたか否かを判断する。ここで否であればステップＰ２０に戻り、可であればステップＰ４９で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ５０で内部クロック・カウンタ１７４のカウント値が読み込まれる。次に、ステップＰ５１で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ５２で主ユニットの設定速度用メモリ１５４Ａより設定(緩動)速度が読み込まれる。次に、ステップＰ５３で主ユニットの指令速度用メモリ１５５Ａに設定(緩動)速度が書き込まれると、ステップＰ５４で主ユニットの機械軸位置検出用カウンタ１９４Ａよりカウント値が読み込まれ、記憶される。次に、ステップＰ５５で主ユニットの機械軸位置検出用カウンタ１９４Ａのカウント値より主ユニットの機械軸の現在位置が演算され、記憶されると、ステップＰ５６で従属ユニットの現在位置の補正値用メモリ１６０Ａより従属ユニットの現在位置の補正値が読み込まれる。
【０２０９】
次に、ステップＰ５７で前記演算で求めた主ユニットの機械軸の現在位置に、読込んだ従属ユニットの現在位置の補正値を加算し、従属ユニットの機械軸の仮想の現在位置が演算され、記憶されると、ステップＰ５８で主ユニットの指令速度用メモリ１５５Ａより主ユニットの指令(緩動)速度が読み込まれる。次に、ステップＰ５９で従属ユニットの駆動制御装置３０ａ〜３０ｄに主ユニットの指令(緩動)速度及び従属ユニットの機械軸の仮想の現在位置が送信されると、ステップＰ６０で主ユニットの駆動モータ・ドライバ１８９Ａに指令(緩動)速度が出力される。その後、後述するステップＰ１３１に移行する。
【０２１０】
前述したステップＰ６１で内部クロック・カウンタ(経過時間のカウント用)１７４のカウントが開始され、次に、ステップＰ６２で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ６３で内部クロック・カウンタ１７４のカウント値が読み込まれる。次に、ステップＰ６４で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ６５で主ユニットの設定速度用メモリ１５４Ａより設定(緩動)速度が読み込まれる。次に、ステップＰ６６で主ユニットの指令速度用メモリ１５５Ａに設定(緩動)速度が書き込まれると、ステップＰ６７で主ユニットのモータ軸位置検出用カウンタ１９５Ａよりカウント値が読み込まれ、記憶される。次に、ステップＰ６８で主ユニットのモータ軸位置検出用カウンタ１９５Ａのカウント値より主ユニットのモータ軸の現在位置が演算され、記憶されると、ステップＰ６９で従属ユニットの現在位置の補正値用メモリ１６０Ａより従属ユニットの現在位置の補正値が読み込まれる。
【０２１１】
次に、ステップＰ７０で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ７１で主ユニットの指令速度用メモリ１５５Ａより主ユニットの指令(緩動)速度が読み込まれる。次に、ステップＰ７２で従属ユニットの駆動制御装置３０ａ〜３０ｄに主ユニットの指令(緩動)速度及び従属ユニットのモータ軸の仮想の現在位置が送信されると、ステップＰ７３で主ユニットの駆動モータ・ドライバ１８９Ａに指令(緩動)速度が出力される。その後、前述したステップＰ６１に戻る。
【０２１２】
前記ステップＰ６４で否であれば、ステップＰ７４で従属ユニットの駆動制御装置３０ａ〜３０ｄよりモータ軸の原点合わせ完了信号が送信されたか否かを判断し、可であればステップＰ７５で従属ユニットの駆動制御装置３０ａ〜３０ｄよりモータ軸の原点合わせ完了信号が受信される。次に、ステップＰ７６でモータ軸の原点合わせ完了信号を受信した従属ユニットの番号が記憶されたら、ステップＰ７７ですべての従属ユニットのモータ軸の原点合わせが完了したか否かを判断し、否であれば前述したステップＰ６１に戻る。
【０２１３】
一方、可であればステップＰ７８で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ７９で内部クロック・カウンタ１７４のカウント値が読み込まれる。次に、ステップＰ８０で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ８１で主ユニットの設定速度用メモリ１５４Ａより設定(緩動)速度が読み込まれる。次に、ステップＰ８２で主ユニットの指令速度用メモリ１５５Ａに設定(緩動)速度が書き込まれると、ステップＰ８３で主ユニットのモータ軸位置検出用カウンタ１９５Ａよりカウント値が読み込まれ、記憶される。次に、ステップＰ８４で主ユニットのモータ軸位置検出用カウンタ１９５Ａのカウント値より主ユニットのモータ軸の現在位置が演算され、記憶されると、ステップＰ８５で従属ユニットの現在位置の補正値用メモリ１６０Ａより従属ユニットの現在位置の補正値が読み込まれる。
【０２１４】
次に、ステップＰ８６で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ８７で主ユニットの指令速度用メモリ１５５Ａより主ユニットの指令(緩動)速度が読み込まれる。次に、ステップＰ８８で従属ユニットの駆動制御装置３０ａ〜３０ｄに主ユニットの指令(緩動)速度及び従属ユニットのモータ軸の仮想の現在位置が送信されると、ステップＰ８９で主ユニットの駆動モータ・ドライバ１８９Ａに指令(緩動)速度が出力される。次に、ステップＰ９０で主ユニットの指令速度用メモリ１５５Ａより主ユニットの指令(緩動)速度が読み込まれたら、ステップＰ９１で主ユニットの前回の指令速度用メモリ１６７Ａに主ユニットの指令(緩動)速度が書き込まれる。その後、後述するステップＰ１０５に移行する。
【０２１５】
前記ステップＰ７４で否であれば、ステップＰ９２で印刷機の停止信号が入力されたか否かを判断する。ここで、否であれば前述したステップＰ６１に戻り、可であればステップＰ９３で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ９４で内部クロック・カウンタ１７４のカウント値が読み込まれる。次に、ステップＰ９５で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ９６で主ユニットの設定速度用メモリ１５４Ａより設定(緩動)速度が読み込まれる。次に、ステップＰ９７で主ユニットの指令速度用メモリ１５５Ａに設定(緩動)速度が書き込まれると、ステップＰ９８で主ユニットのモータ軸位置検出用カウンタ１９５Ａよりカウント値が読み込まれ、記憶される。次に、ステップＰ９９で主ユニットのモータ軸位置検出用カウンタ１９５Ａのカウント値より主ユニットのモータ軸の現在位置が演算され、記憶されると、ステップＰ１００で従属ユニットの現在位置の補正値用メモリ１６０Ａより従属ユニットの現在位置の補正値が読み込まれる。
【０２１６】
次に、ステップＰ１０１で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ１０２で主ユニットの指令速度用メモリ１５５Ａより主ユニットの指令(緩動)速度が読み込まれる。次に、ステップＰ１０３で従属ユニットの駆動制御装置３０ａ〜３０ｄに主ユニットの指令(緩動)速度及び従属ユニットのモータ軸の仮想の現在位置が送信されると、ステップＰ１０４で主ユニットの駆動モータ・ドライバ１８９Ａに指令(緩動)速度が出力される。その後、後述するステップＰ１３２に移行する。
【０２１７】
前述したステップＰ１０５で内部クロック・カウンタ(経過時間のカウント用)１７４のカウントが開始されたら、ステップＰ１０６で速度設定器１８７に設定速度が入力されたか否かを判断する。ここで、可であればステップＰ１０７で、速度設定器１８７より設定速度が読み込まれ、記憶された後、ステップＰ１０８で主ユニットの設定速度用メモリ１５４Ａより設定速度が読み込まれる。一方、否であればステップＰ１０８に直ぐ移行する。
【０２１８】
次に、ステップＰ１０９で主ユニットの前回の指令速度用メモリ１６７Ａより前回の指令速度が読み込まれたら、ステップＰ１１０で前記読込んだ主ユニットの設定速度が読込んだ主ユニットの前回の指令速度と等しいか否かを判断する。ここで、可であればステップＰ１１１で、主ユニットの指令速度用メモリ１５５Ａに読込んだ主ユニットの設定速度が書き込まれてから後述するステップＰ１２０に移行する。一方、否であればステップＰ１１２で、前記読込んだ主ユニットの設定速度が読込んだ主ユニットの前回の指令速度より大きいか否かを判断し、可であればステップＰ１１３で増速時の速度修正値用メモリ１６８Ａより増速時の速度修正値が読み込まれる。次に、ステップＰ１１４で主ユニットの前回の指令速度に読み込んだ増速時の速度修正値を加算し、修正した主ユニットの指令速度が演算され、記憶されてから、ステップＰ１１５で主ユニットの指令速度用メモリ１５５Ａに演算で求めた修正した主ユニットの指令速度が書き込まれる。その後、後述するステップＰ１２０に移行する。
【０２１９】
前記ステップＰ１１２で否であれば、ステップＰ１１６で減速時の速度修正値用メモリ１６９Ａより減速時の速度修正値が読み込まれたら、ステップＰ１１７で主ユニットの前回の指令速度から読み込んだ減速時の速度修正値を減算し、修正した主ユニットの指令速度が演算され、記憶される。次に、ステップＰ１１８で前記修正した主ユニットの指令速度が０より小さいか否かを判断し、可であればステップＰ１１９で前記修正した主ユニットの指令速度をゼロに書換えてから、前記ステップＰ１１５に移行する。一方、否であれば前記ステップＰ１１５に直ぐ移行する。
【０２２０】
次に、前述したステップＰ１２０で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれたら、ステップＰ１２１で内部クロック・カウンタ１７４のカウント値が読み込まれる。次に、ステップＰ１２２で内部クロック・カウンタ１７４のカウント値が従属ユニットの駆動制御装置に主ユニットの指令速度及び従属ユニットの仮想の現在の位置を送信する時間間隔以上になったら、ステップＰ１２３で主ユニットのモータ軸位置検出用カウンタ１９５Ａからカウント値が読み込まれ、記憶される。
【０２２１】
次に、ステップＰ１２４で主ユニットのモータ軸位置検出用カウンタ１９５Ａのカウント値より主ユニットのモータ軸の現在位置が演算され、記憶されたら、ステップＰ１２５で従属ユニットの現在位置の補正値用メモリ１６０Ａより従属ユニットの現在位置の補正値が読み込まれる。次に、ステップＰ１２６で前記演算で求めた主ユニットのモータ軸の現在位置に、読込んだ従属ユニットの現在位置の補正値を加算し、従属ユニットのモータ軸の仮想の現在位置が演算され、記憶されてから、ステップＰ１２７で主ユニットの指令速度用メモリ１５５Ａより主ユニットの指令速度が読み込まれる。
【０２２２】
次に、ステップＰ１２８で従属ユニットの駆動制御装置３０ａ〜３０ｄに主ユニットの指令速度及び従属ユニットの仮想のモータ軸の現在位置が送信されたら、ステップＰ１２９で主ユニットの駆動モータ・ドライバ１８９Ａに指令速度が出力される。次に、ステップＰ１３０で主ユニットの前回の指令速度用メモリ１６７Ａに主ユニットの指令速度が書き込まれたら、ステップＰ１３１で印刷機の停止信号が入力されたか否かを判断する。ここで、否であれば前述したステップＰ１０５に戻り、可であればステップＰ１３２で主ユニットの設定速度用メモリ１５４Ａにゼロが書き込まれる。
【０２２３】
次に、ステップＰ１３３で内部クロック・カウンタ(経過時間のカウント用)１７４のカウントが開始されたら、ステップＰ１３４で主ユニットの前回の指令速度用メモリ１６７Ａより前回の指令速度が読み込まれる。次に、ステップＰ１３５で前記読込んだ主ユニットの前回の指令速度が０に等しいか否かを判断し、ここで、可であればステップＰ１３６で主ユニットの指令速度用メモリ１５５Ａにゼロが書き込まれたら、後述するステップＰ１４３に移行し、否であればステップＰ１３７で、減速時の速度修正値用メモリ１６９Ａより減速時の速度修正値が読み込まれる。
【０２２４】
次に、ステップＰ１３８で主ユニットの前回の指令速度から読み込んだ減速時の速度修正値を減算し、修正した主ユニットの指令速度が演算され、記憶されたら、ステップＰ１３９で前記修正した主ユニットの指令速度が０より小さいか否かを判断する。ここで、可であればステップＰ１４０で前記修正した主ユニットの指令速度をゼロに書き換えてから、ステップＰ１４１で主ユニットの指令速度用メモリ１５５Ａに演算で求めた修正した主ユニットの指令速度が書き込まれ、否であればステップＰ１４１に直ぐ移行する。その後、ステップＰ１４２で主ユニットの前回の指令速度用メモリ１６７Ａに演算で求めた修正した指令速度が書き込まれる。
【０２２５】
次に、前述したステップＰ１４３で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれたら、ステップＰ１４４で内部クロック・カウンタ１７４のカウント値が読み込まれる。次に、ステップＰ１４５で内部クロック・カウンタ１７４のカウント値が従属ユニットの駆動制御装置に主ユニットの指令速度及び従属ユニットの仮想の現在の位置を送信する時間間隔以上になったら、ステップＰ１４６で主ユニットのモータ軸位置検出用カウンタ１９５Ａからカウント値が読み込まれ、記憶される。
【０２２６】
次に、ステップＰ１４７で主ユニットのモータ軸位置検出用カウンタ１９５Ａのカウント値より主ユニットのモータ軸の現在位置が演算され、記憶されたら、ステップＰ１４８で従属ユニットの現在位置の補正値用メモリ１６０Ａより従属ユニットの現在位置の補正値が読み込まれる。次に、ステップＰ１４９で前記演算で求めた主ユニットのモータ軸の現在位置に、読込んだ従属ユニットの現在位置の補正値を加算し、従属ユニットのモータ軸の仮想の現在位置が演算され、記憶されてから、ステップＰ１５０で主ユニットの指令速度用メモリ１５５Ａより主ユニットの指令速度が読み込まれる。
【０２２７】
次に、ステップＰ１５１で従属ユニットの駆動制御装置３０ａ〜３０ｄに主ユニットの指令速度及び従属ユニットの仮想のモータ軸の現在位置が送信されたら、ステップＰ１５２で主ユニットの駆動モータ・ドライバ１８９Ａに指令速度が出力される。次に、ステップＰ１５３で印刷機のユニットの駆動モータのブレーキを作動させる印刷機のユニットの速度用メモリ１７１Ａより印刷機のユニットの駆動モータのブレーキを作動させる印刷機のユニットの速度が読み込まれたら、ステップＰ１５４で印刷機の各ユニットの駆動モータのロータリ・エンコーダ２９ａ〜２９ｅに接続されたＦ／Ｖ変換器１９１，１９３ａ〜１９３ｄの出力が読み込まれる。次に、ステップＰ１５５で前記読込んだ印刷機の各ユニットの駆動モータのロータリ・エンコーダ２９ａ〜２９ｅに接続されたＦ／Ｖ変換器１９１，１９３ａ〜１９３ｄの出力より、現在の印刷機の各ユニットの速度が演算され、記憶されたら、ステップＰ１５６で前記演算で求めた現在の印刷機のすべてのユニットの速度が印刷機のユニットの駆動モータのブレーキを作動させる印刷機のユニットの速度以下か否かを判断する。
【０２２８】
前記ステップＰ１５６で否であれば前述したステップＰ１３３に戻り、可であればステップＰ１５７で従属ユニットの駆動制御装置３０ａ〜３０ｄに同期運転停止指令が送信される。次に、ステップＰ１５８で従属ユニットの駆動制御装置３０ａ〜３０ｄより同期運転停止信号が送信されたら、ステップＰ１５９で従属ユニットの駆動制御装置３０ａ〜３０ｄから同期運転停止信号を送信した従属ユニットの番号が受信され、記憶される。次に、ステップＰ１６０で同期運転停止信号を受信した従属ユニットの駆動モータ・ブレーキ用回路１９７ａ〜１９７ｄに作動信号が出力されたら、ステップＰ１６１ですべての従属ユニットが同期運転停止したか否かを判断する。
【０２２９】
前記ステップＰ１６１で否であれば、前述したステップＰ１５８に戻り、可であればステップＰ１６２で主ユニットの駆動モータ・ドライバ１８９Ａの起動信号がＯＦＦされる。次に、ステップＰ１６３で主ユニットの駆動モータ・ブレーキ用回路１９６Ａに作動信号が出力されたら、ステップＰ１６４で同期運転スイッチがＯＦＦされる。尚、同期運転スイッチがＯＦＦされずに、ステップＰ１６５で印刷機駆動スイッチがＯＮされ続けられたら、前述したステップＰ３に戻る。
【０２３０】
次に、各従属ユニットの駆動制御装置３０ａ〜３０ｄは、図４６−ａ，図４６−ｂ，図４７，図４８−ａ，図４８−ｂに示す動作フローにしたがって動作する。
【０２３１】
即ち、ステップＰ１で主ユニットの駆動制御装置３１より原点合わせ準備開始指令が送信されたか否かを判断し、否であれば後述するステップＰ４９に移行し、可であればステップＰ２で主ユニットの駆動制御装置３１より原点合わせ準備開始指令が受信される。次に、ステップＰ３で従属ユニットの駆動モータ・ドライバ２３５Ａの起動信号がＯＮされ、ステップＰ４で主ユニットの駆動制御装置３１より指令(緩動)速度が送信されると、ステップＰ５で主ユニットの駆動制御装置３１より指令(緩動)速度が受信され、記憶される。次に、ステップＰ６で主ユニットの指令速度用メモリ２０３Ａより主ユニットの指令(緩動)速度が読み込まれたら、ステップＰ７で従属ユニットの指令速度用メモリ２０４Ａに指令(緩動)速度が書き込まれる。
【０２３２】
次に、ステップＰ８で従属ユニットの駆動モータ・ドライバ２３５Ａに指令速度が出力され、ステップＰ９で主ユニットの駆動制御装置３１より原点合わせ準備完了指令が送信されると、ステップＰ１０で主ユニットの駆動制御装置３１より原点合わせ準備完了指令が受信される。次に、ステップＰ１１で主ユニットの駆動制御装置３１より原点合わせ開始指令が送信されると、ステップＰ１２で主ユニットの駆動制御装置３１より原点合わせ開始指令が受信される。
【０２３３】
次に、ステップＰ１３で主ユニットの駆動制御装置３１より主ユニットの指令(緩動)速度及び従属ユニットの機械軸の仮想の現在位置が送信されたか否かを判断し、ここで、否であればステップＰ２５で、主ユニットの駆動制御装置３１より主ユニットの指令(緩動)速度及び従属ユニットのモータ軸の仮想の現在位置が送信されると、ステップＰ２６で主ユニットの駆動制御装置３１から主ユニットの指令(緩動)速度及び従属ユニットのモータ軸の仮想の現在位置が受信され、記憶される。その後、後述するステップＰ３３に移行する。
【０２３４】
前記ステップＰ１３で可であれば、ステップＰ１４で主ユニットの駆動制御装置３１から主ユニットの指令(緩動)速度及び従属ユニットの機械軸の仮想の現在位置が受信され、記憶される。次に、ステップＰ１５で従属ユニットの機械軸位置検出用カウンタ２３８Ａよりカウント値が読み込まれ、記憶されたら、ステップＰ１６で前記読込んだ従属ユニットの機械軸位置検出用カウンタ２３８Ａのカウント値より従属ユニットの機械軸の現在位置が演算され、記憶される。
【０２３５】
次に、ステップＰ１７で前記受信した従属ユニットの機械軸の仮想の現在位置と演算で求めた従属ユニットの機械軸の現在位置より、機械軸の現在位置の差が演算され、記憶されたら、ステップＰ１８で前記演算で求めた機械軸の現在位置の差より機械軸の現在位置の差の絶対値が演算され、記憶される。次に、ステップＰ１９で機械軸の位置の差の許容値用メモリ２１０Ａより機械軸の位置の差の許容値が読み込まれたら、ステップＰ２０で前記演算で求めた機械軸の現在位置の差の絶対値が読込んだ機械軸の位置の差の許容値以下か否かを判断する。
【０２３６】
前記ステップＰ２０で可であれば、ステップＰ２１で主ユニットの指令速度用メモリ２０３Ａより主ユニットの指令(緩動)速度が読み込まれたら、ステップＰ２２で従属ユニットの指令速度用メモリ２０４Ａに主ユニットの指令(緩動)速度が書き込まれる。次に、ステップＰ２３で従属ユニットの駆動モータ・ドライバ２３５Ａに指令速度が出力されると、ステップＰ２４で主ユニットの駆動制御装置３１に機械軸の原点合わせ完了信号が送信される。その後、前述したステップＰ１３に戻る。
【０２３７】
前記ステップＰ２０で否であれば、ステップＰ２７で機械軸の現在位置の差−指令速度の補正値変換テーブル用メモリ２１１Ａより機械軸の現在位置の差−指令速度の補正値変換テーブルが読み込まれたら、ステップＰ２８で機械軸の現在位置の差用メモリ２０８Ａより機械軸の現在位置の差が読み込まれる。次に、ステップＰ２９で機械軸の現在位置の差−指令速度の補正値変換テーブルを用いて、機械軸の現在位置の差より従属ユニットの指令速度の補正値を求め、記憶されたら、ステップＰ３０で主ユニットの指令速度用メモリ２０３Ａより指令(緩動)速度が読み込まれる。次に、ステップＰ３１で前記読込んだ主ユニットの指令(緩動)速度に求めた従属ユニットの指令速度の補正値を加算し、従属ユニットの指令速度が演算され、記憶されたら、ステップＰ３２で従属ユニットの駆動モータ・ドライバ２３５Ａに指令速度が出力される。その後、前述したステップＰ１３に戻る。
【０２３８】
前述したステップＰ３３で従属ユニットのモータ軸位置検出用カウンタ２３９Ａよりカウント値が読み込まれ、記憶されたら、ステップＰ３４で前記読込んだ従属ユニットのモータ軸位置検出用カウンタ２３９Ａのカウント値より従属ユニットのモータ軸の現在位置が演算され、記憶される。次に、ステップＰ３５で前記受信した従属ユニットのモータ軸の仮想の現在位置と演算で求めた従属ユニットのモータ軸の現在位置より、モータ軸の現在位置の差が演算され、記憶されると、ステップＰ３６で前記演算で求めたモータ軸の現在位置の差よりモータ軸の現在位置の差の絶対値が演算され、記憶される。次に、ステップＰ３７でモータ軸の位置の差の許容値用メモリ２１８よりモータ軸の位置の差の許容値が読み込まれたら、ステップＰ３８で前記演算で求めたモータ軸の現在位置の差の絶対値が読込んだモータ軸の位置の差の許容値以下か否かを判断する。
【０２３９】
前記ステップＰ３８で可であれば、ステップＰ３９で主ユニットの指令速度用メモリ２０３Ａより主ユニットの指令(緩動)速度が読み込まれ、ステップＰ４０で従属ユニットの指令速度用メモリ２０４Ａに主ユニットの指令(緩動)速度が書き込まれたら、ステップＰ４１で従属ユニットの駆動モータ・ドライバ２３５Ａに指令速度が出力される。次に、ステップＰ４２で主ユニットの駆動制御装置３１にモータ軸の原点合わせ完了信号が送信されて、ステップＰ１に戻る。
【０２４０】
一方、前記ステップＰ３８で否であれば、ステップＰ４３でモータ軸の現在位置の差−指令速度の補正値変換テーブル用メモリ２１９よりモータ軸の現在位置の差−指令速度の補正値変換テーブルが読み込まれる。次に、ステップＰ４４でモータ軸の現在位置の差用メモリ２１６Ａよりモータ軸の現在位置の差が読み込まれたら、ステップＰ４５でモータ軸の現在位置の差−指令速度の補正値変換テーブルを用いて、モータ軸の現在位置の差より従属ユニットの指令速度の補正値が求められる。次に、ステップＰ４６で主ユニットの指令速度用メモリ２０３Ａより指令(緩動)速度が読み込まれたら、ステップＰ４７で前記読込んだ主ユニットの指令(緩動)速度に求めた従属ユニットの指令速度の補正値を加算し、従属ユニットの指令速度が演算され、記憶される。次に、ステップＰ４８で従属ユニットの駆動モータ・ドライバ２３５Ａに指令速度が出力されたら、前述したステップＰ１３に戻る。
【０２４１】
前述したステップＰ４９で主ユニットの駆動制御装置３１より主ユニットの指令(緩動)速度及び従属ユニットのモータ軸の仮想の現在位置が送信されたか否かを判断し、ここで、否であればステップＰ６６で、主ユニットの駆動制御装置３１より同期運転停止指令が送信されたか否かを判断する。ここで、可であればステップＰ６７で、主ユニットの駆動制御装置３１から同期運転停止指令が受信される。次に、ステップＰ６８で従属ユニットの駆動モータ・ドライバ２３５Ａの起動信号がＯＦＦされると、ステップＰ６９で主ユニットの駆動制御装置３１に同期運転停止信号が送信され、ステップＰ１に戻る。一方、前記ステップＰ６６で否であれば、直ぐステップＰ１に戻る。
【０２４２】
前記ステップＰ４９で可であれば、ステップＰ５０で主ユニットの駆動制御装置３１から主ユニットの指令(緩動)速度及び従属ユニットのモータ軸の仮想の現在位置が受信され、記憶される。次に、ステップＰ５１で従属ユニットのモータ軸位置検出用カウンタ２３９Ａよりカウント値が読み込まれ、記憶されたら、ステップＰ５２で前記読込んだ従属ユニットのモータ軸位置検出用カウンタ２３９Ａのカウント値より従属ユニットのモータ軸の現在位置が演算され、記憶される。
【０２４３】
次に、ステップＰ５３で前記受信した従属ユニットのモータ軸の仮想の現在位置と演算で求めた従属ユニットのモータ軸の現在位置より、機械軸の現在位置の差が演算され、記憶されたら、ステップＰ５４で前記演算で求めたモータ軸の現在位置の差よりモータ軸の現在位置の差の絶対値が演算され、記憶される。次に、ステップＰ５５でモータ軸の位置の差の許容値用メモリ２１８よりモータ軸の位置の差の許容値が読み込まれたら、ステップＰ５６で前記演算で求めたモータ軸の現在位置の差の絶対値が読込んだモータ軸の位置の差の許容値以下か否かを判断する。
【０２４４】
前記ステップＰ５６で可であれば、ステップＰ５７で主ユニットの指令速度用メモリ２０３Ａより主ユニットの指令速度が読み込まれたら、ステップＰ５８で従属ユニットの指令速度用メモリ２０４Ａに主ユニットの指令速度が書き込まれる。次に、ステップＰ５９で従属ユニットの駆動モータ・ドライバ２３５Ａに指令速度が出力されて、ステップＰ１に戻る。
【０２４５】
前記ステップＰ５６で否であれば、ステップＰ６０でモータ軸の現在位置の差−指令速度の補正値変換テーブル用メモリ２１９よりモータ軸の現在位置の差−指令速度の補正値変換テーブルが読み込まれたら、ステップＰ６１でモータ軸の現在位置の差用メモリ２１６Ａよりモータ軸の現在位置の差が読み込まれる。次に、ステップＰ６２でモータ軸の現在位置の差−指令速度の補正値変換テーブルを用いて、モータ軸の現在位置の差より従属ユニットの指令速度の補正値を求め、記憶されたら、ステップＰ６３で主ユニットの指令速度用メモリ２０３Ａより指令速度が読み込まれる。次に、ステップＰ６４で前記読込んだ主ユニットの指令速度に求めた従属ユニットの指令速度の補正値を加算し、従属ユニットの指令速度が演算され、記憶されたら、ステップＰ６５で従属ユニットの駆動モータ・ドライバ２３５Ａに指令速度が出力される。その後、ステップＰ１に戻る。
【０２４６】
このようにして本実施例では、印刷機の停止時には、駆動モータ２６ａ〜２６ｅによる同期制御を止めて同駆動モータ２６ａ〜２６ｅに付設された駆動モータ・ブレーキ２７ａ〜２７ｅを起動させることにより、主ユニットとしての折機１０と従属ユニットとしての第１〜第４ユニット３〜６の位相ズレが防止されて同期状態が保持される。
【０２４７】
この際、本実施例では、第１〜第４ユニット３〜６及び折機１０の速度をロータリ・エンコーダ２９ａ〜２９ｅで検出し、停止指令により予め定められた一定速度（例えば８ｒｐｍ）まで減速した場合、折機１０の位相をその位置で停止するようにすると共に折機１０に対する第１〜第４ユニット３〜６の同期制御（運転）を解除し、それと同時に、第１〜第４ユニット３〜６及び折機１０の駆動モータ２６ａ〜２６ｅの駆動モータ・ブレーキ２７ａ〜２７ｅを起動させ、印刷機停止中は駆動モータ・ブレーキ２７ａ〜２７ｅで第１〜第４ユニット３〜６及び折機１０の回転を停止させるようになっている。
【０２４８】
これにより、印刷機の停止中にも駆動モータ２６ａ〜２６ｅ及び駆動モータ・ドライバ１８９Ａ，２３５Ａに電流を流さずに済み、消費電力の低減とモータ及びモータ軸受部の耐久性の向上が図れる。
【実施例５】
【０２４９】
図４９は本発明の実施例５を示す中央制御装置のブロック図、図５０−ａは中央制御装置の動作フロー図、図５０−ｂは中央制御装置の動作フロー図、図５０−ｃは中央制御装置の動作フロー図、図５１は中央制御装置の動作フロー図、図５２は中央制御装置の動作フロー図である。
【０２５０】
これは、前述した実施例１において、第１及び第２印刷機Ａ，Ｂを停止させる際に、それらの速度がゼロになった場合、仮想マスタ・ジェネレータ１３に同期運転停止指令を出して各印刷機Ａ，Ｂの同期制御を解除すると同時に、原動モータ・ブレーキ１６，１１６を起動させるようにした例である。従って、本実施例において、複数の印刷機の同期制御装置の概略構成図、仮想マスタ・ジェネレータのブロック図、各印刷機の駆動制御装置のブロック図、仮想マスタ・ジェネレータの動作フロー図及び各印刷機の駆動制御装置の動作フロー図は、実施例１と同様なので、実施例１を参照して詳しい説明は省略する。
【０２５１】
図４９に示すように、中央制御装置１２は、ＣＰＵ４０とＲＯＭ４１とＲＡＭ４２との他に、印刷機の緩動速度用メモリ４３、設定速度用メモリ４４、原点合わせ準備時間用メモリ４５、仮想マスタ・ジェネレータに設定速度を送信する時間間隔用メモリ４６、現在の各印刷機の速度用メモリ４８、同期運転停止した印刷機の番号用メモリ４９及び内部クロック・カウンタ５０が各入出力装置５１〜５４及びインタフェース５５と共に母線（ＢＵＳ）５６で接続されてなる。
【０２５２】
入出力装置５１には、キーボートや各種スイッチ及びボタン等の入力装置５７とＣＲＴやランプ等の表示器５８とプリンタやＦ・Ｄドライブ等の出力装置５９が接続される。入出力装置５２には、速度設定器６０が接続される。入出力装置５３には、第１印刷機の原動モータ・ブレーキ用回路６１を介して第１印刷機の原動モータ・ブレーキ１６が接続されると共に第２印刷機の原動モータ・ブレーキ用回路６２を介して第２印刷機の原動モータ・ブレーキ１１６が接続される。入出力装置５４には、Ａ／Ｄ変換器６３及びＦ／Ｖ変換器６４を介して第１印刷機の原動モータ用ロータリ・エンコーダ１８が接続されると共にＡ／Ｄ変換器６５及びＦ／Ｖ変換器６６を介して第２印刷機の原動モータ用ロータリ・エンコーダ１１８が接続される。そして、インタフェース５５には、仮想マスタ・ジェネレータ１３が接続される。
【０２５３】
そして、第１印刷機Ａと第２印刷機Ｂの同期制御にあたって、中央制御装置１２は、図５０−ａ，図５０−ｂ，図５０−ｃ，図５１及び図５２に示す動作フローにしたがって動作する。
【０２５４】
即ち、ステップＰ１で同期運転スイッチがＯＮされ、ステップＰ２で印刷機駆動スイッチがＯＮされると、ステップＰ３で各印刷機の原動モータ・ブレーキ用回路６１，６２に作動解除信号が出力される。次に、ステップＰ４で仮想マスタ・ジェネレータ１３に原点合わせ準備開始指令が送信されると、ステップＰ５で緩動速度用メモリ４３より緩動速度が読み込まれる。次に、ステップＰ６で設定速度用メモリ４４に緩動速度が書き込まれると、ステップＰ７で仮想マスタ・ジェネレータ１３に設定（緩動）速度が送信される。次に、ステップＰ８で内部クロック・カウンタ（経過時間のカウント用）５０のカウントが開始されると、ステップＰ９で原点合わせ準備時間用メモリ４５より原点合わせ準備時間が読み込まれる。次に、ステップＰ１０で内部クロック・カウンタ５０のカウント値が読み込まれ、ステップＰ１１で内部クロック・カウンタ５０のカウント値が原点合わせ準備時間以上になると、ステップＰ１２で仮想マスタ・ジェネレータ１３に原点合わせ準備完了指令が送信される。
【０２５５】
次に、ステップＰ１３で仮想マスタ・ジェネレータ１３に原点合わせ開始指令が送信された後、ステップＰ１４で緩動速度用メモリ４３より緩動速度が読み込まれると、ステップＰ１５で設定速度用メモリ４４に緩動速度が書き込まれる。次に、ステップＰ１６で内部クロック・カウンタ５０のカウントが開始されると、ステップＰ１７で仮想マスタ・ジェネレータに設定速度を送信する時間間隔用メモリ４６より仮想マスタ・ジェネレータ１３に設定速度を送信する時間間隔が読み込まれる。次に、ステップＰ１８で内部クロック・カウンタ５０のカウント値が読み込まれると、ステップＰ１９で内部クロック・カウンタ５０のカウント値が仮想マスタ・ジェネレータ１３に設定速度を送信する時間間隔以上か否かを判断し、可であればステップＰ２０で設定速度用メモリ４４より設定（緩動）速度が読み込まれた後、ステップＰ２１で仮想マスタ・ジェネレータ１３に設定（緩動）速度が送信され、その後ステップＰ１６に戻る。
【０２５６】
前記ステップＰ１９で否であれば、ステップＰ２２で仮想マスタ・ジェネレータ１３より原点合わせ完了信号が送信されたか否かを判断し、可であればステップＰ２３で仮想マスタ・ジェネレータ１３より原点合わせ完了信号が受信される。次に、ステップＰ２４で仮想マスタ・ジェネレータに設定速度を送信する時間間隔用メモリ４６より仮想マスタ・ジェネレータ１３に設定速度を送信する時間間隔が読み込まれる。次に、ステップＰ２５で内部クロック・カウンタ５０のカウント値が読み込まれ、ステップＰ２６で内部クロック・カウンタ５０のカウント値が仮想マスタ・ジェネレータ１３に設定速度を送信する時間間隔以上になると、ステップＰ２７で設定速度用メモリ４４より設定（緩動）速度が読み込まれ、その後、ステップＰ２８で仮想マスタ・ジェネレータ１３に設定（緩動）速度が送信される。
【０２５７】
次に、ステップＰ２９で内部クロック・カウンタ５０のカウントが開始されると、ステップＰ３０で速度設定器６０に設定速度が入力されたか否かを判断し、可であればステップＰ３１で速度設定器６０より設定速度が読み込まれ、記憶された後、ステップＰ３２で仮想マスタ・ジェネレータに設定速度を送信する時間間隔用メモリ４６より仮想マスタ・ジェネレータ１３に設定速度を送信する時間間隔が読み込まれる。前記ステップＰ３０で否であれば、直ぐ前記ステップＰ３２に移行する。次に、ステップＰ３３で内部クロック・カウンタ５０のカウント値が読み込まれると、ステップＰ３４で内部クロック・カウンタ５０のカウント値が仮想マスタ・ジェネレータ１３に設定速度を送信する時間間隔以上か否かを判断し、可であればステップＰ３５で設定速度用メモリ４４より設定速度が読み込まれた後、ステップＰ３６で仮想マスタ・ジェネレータ１３に設定速度が送信され、その後ステップＰ２９に戻る。
【０２５８】
前記ステップＰ３４で否であれば、ステップＰ３７で印刷機の停止信号が入力されたか否かを判断し、否であればステップＰ３０に戻る。一方、可であればステップＰ３８で仮想マスタ・ジェネレータに設定速度を送信する時間間隔用メモリ４６より仮想マスタ・ジェネレータ１３に設定速度を送信する時間間隔が読み込まれる。次に、ステップＰ３９で内部クロック・カウンタ５０のカウント値が読み込まれ、ステップＰ４０で内部クロック・カウンタ５０のカウント値が仮想マスタ・ジェネレータ１３に設定速度を送信する時間間隔以上になると、ステップＰ４１で設定速度用メモリ４４より設定速度が読み込まれる。その後、ステップＰ４２で仮想マスタ・ジェネレータ１３に設定速度が送信され、ステップＰ４９に移行する。
【０２５９】
前記ステップＰ２２で否であれば、ステップＰ４３で印刷機の停止信号が入力されたか否かを判断し、否であればステップＰ１７に戻る。一方、可であればステップＰ４４で仮想マスタ・ジェネレータに設定速度を送信する時間間隔用メモリ４６より仮想マスタ・ジェネレータ１３に設定速度を送信する時間間隔が読み込まれる。次に、ステップＰ４５で内部クロック・カウンタ５０のカウント値が読み込まれ、ステップＰ４６で内部クロック・カウンタ５０のカウント値が仮想マスタ・ジェネレータ１３に設定速度を送信する時間間隔以上になると、ステップＰ４７で設定速度用メモリ４４より設定（緩動）速度が読み込まれる。その後、ステップＰ４８で仮想マスタ・ジェネレータ１３に設定（緩動）速度が送信され、ステップＰ４９に移行する。
【０２６０】
次に、ステップＰ４９で設定速度用メモリ４４にゼロが書き込まれ、ステップＰ５０で内部クロック・カウンタ５０のカウントが開始されると、ステップＰ５１で仮想マスタ・ジェネレータに設定速度を送信する時間間隔用メモリ４６より仮想マスタ・ジェネレータ１３に設定速度を送信する時間間隔が読み込まれる。次に、ステップＰ５２で内部クロック・カウンタ５０のカウント値が読み込まれ、ステップＰ５３で内部クロック・カウンタ５０のカウント値が仮想マスタ・ジェネレータ１３に設定速度を送信する時間間隔以上になると、ステップＰ５４で設定速度用メモリ４４より設定速度（ゼロ）が読み込まれる。
【０２６１】
次に、ステップＰ５５で仮想マスタ・ジェネレータ１３に設定速度（ゼロ）が送信された後、ステップＰ５６で各印刷機の原動モータ１５，１１５のロータリ・エンコーダ１８，１１８に接続されたＦ／Ｖ変換器６４，６６の出力が読み込まれる。その後、ステップＰ５７でその読み込まれた各印刷機の原動モータ１５，１１５のロータリ・エンコーダ１８，１１８に接続されたＦ／Ｖ変換器６４，６６の出力より、現在の各印刷機の速度が演算され、記憶される。
【０２６２】
次に、ステップＰ５８で前記演算で求めた現在のすべての印刷機の速度がゼロか否かを判断し、否であればステップＰ５０に戻る。一方、可であればステップＰ５９で仮想マスタ・ジェネレータ１３に同期運転停止指令が送信される。次に、ステップＰ６０で仮想マスタ・ジェネレータ１３より同期運転停止した印刷機の番号が送信されると、ステップＰ６１で仮想マスタ・ジェネレータ１３から同期運転停止した印刷機の番号が受信され、記憶される。次に、ステップＰ６２で同期運転停止した印刷機の原動モータ・ブレーキ用回路に作動信号が出力されると、ステップＰ６３ですべての印刷機が同期運転停止がなされたか否かを判断し、否であればステップＰ６０に戻る。一方、可であればステップＰ６４で同期運転スイッチがＯＦＦされると動作が終了する。尚、ステップＰ６４で同期運転スイッチがＯＦＦされないでステップＰ６５で印刷機駆動スイッチがＯＮされればステップＰ３に戻る。
【０２６３】
このようにして本実施例では、第１印刷機Ａと第２印刷機Ｂの停止時には、原動モータ１５，１１５による同期制御を止めて同原動モータ１５，１１５に付設された原動モータ・ブレーキ１６，１１６を起動させることにより、第１印刷機Ａと第２印刷機Ｂの位相ズレが防止されて同期状態が保持される。
【０２６４】
この際、本実施例では、各印刷機Ａ，Ｂの速度をロータリ・エンコーダ１８，１１８で検出し、停止指令により速度がゼロになった場合、仮想マスタ・ジェネレータ１３に同期運転停止指令を出して各印刷機Ａ，Ｂの同期制御を解除し、それと同時に、各印刷機Ａ，Ｂの原動モータ１５，１１５の原動モータ・ブレーキ１６，１１６を起動させ、各印刷機Ａ，Ｂの停止中は原動モータ・ブレーキ１６，１１６で各印刷機Ａ，Ｂの回転を停止させるようになっている。
【０２６５】
これにより、各印刷機Ａ，Ｂの停止中にも原動モータ１５，１１５及び原動モータ・ドライバ１４６に電流を流さずに済み、消費電力の低減とモータ及びモータ軸受部の耐久性の向上が図れるという本来的な効果に加えて、各印刷機Ａ，Ｂの位相ズレが全くなくなるという利点が得られる。尚、本実施例では二つの印刷機Ａ，Ｂ間の同期制御に関して説明したが、本発明は三以上の印刷機間の同期制御にも適用できることは言うまでもない。
【実施例６】
【０２６６】
図５３は本発明の実施例６を示す中央制御装置のブロック図、図５４−ａは中央制御装置の動作フロー図、図５４−ｂは中央制御装置の動作フロー図、図５４−ｃは中央制御装置の動作フロー図、図５５は中央制御装置の動作フロー図、図５６は中央制御装置の動作フロー図である。
【０２６７】
これは、前述した実施例２において、印刷機を停止させる際に、各ユニットの速度がゼロになった場合、仮想マスタ・ジェネレータ１３に同期運転停止指令を出して各ユニットの同期制御を解除すると同時に、駆動モータ・ブレーキ２７ａ〜２７ｅを起動させるようにした例である。従って、本実施例において、印刷機の各ユニットの同期制御装置の概略構成図、仮想マスタ・ジェネレータのブロック図、印刷機の各ユニットの駆動制御装置のブロック図、仮想マスタ・ジェネレータの動作フロー図及び印刷機の各ユニットの駆動制御装置の動作フロー図は、実施例２と同様なので、実施例２を参照して詳しい説明は省略する。
【０２６８】
図５３に示すように、中央制御装置１２は、ＣＰＵ４０とＲＯＭ４１とＲＡＭ４２との他に、印刷機の緩動速度用メモリ４３、設定速度用メモリ４４、原点合わせ準備時間用メモリ４５、仮想マスタ・ジェネレータに設定速度を送信する時間間隔用メモリ４６、現在の印刷機の各ユニットの速度用メモリ４８Ａ、同期運転停止した印刷機のユニットの番号用メモリ４９Ａ及び内部クロック・カウンタ５０が各入出力装置５１〜５４及びインタフェース５５と共に母線（ＢＵＳ）５６で接続されてなる。
【０２６９】
入出力装置５１には、キーボートや各種スイッチ及びボタン等の入力装置５７とＣＲＴやランプ等の表示器５８とプリンタやＦ・Ｄドライブ等の出力装置５９が接続される。入出力装置５２には、速度設定器６０が接続される。入出力装置５３には、印刷機の第１〜第４ユニットの駆動モータ・ブレーキ用回路６１ａ〜６１ｄを介して印刷機の第１〜第４ユニットの駆動モータ・ブレーキ２７ａ〜２７ｄがそれぞれ接続される。入出力装置５４には、Ａ／Ｄ変換器６３ａ〜６３ｄ及びＦ／Ｖ変換器６４ａ〜６４ｄを介して印刷機の第１〜第４ユニットの駆動モータ用ロータリ・エンコーダ２９ａ〜２９ｄが接続される。そして、インタフェース５５には、仮想マスタ・ジェネレータ１３が接続される。
【０２７０】
そして、印刷機の第１〜第４ユニット３〜６の同期制御にあたって、先ず中央制御装置１２は、図５４−ａ，図５４−ｂ，図５４−ｃ，図５５及び図５６に示す動作フローにしたがって動作する。
【０２７１】
即ち、ステップＰ１で同期運転スイッチがＯＮされ、ステップＰ２で印刷機駆動スイッチがＯＮされると、ステップＰ３で印刷機の各ユニットの駆動モータ・ブレーキ用回路６１ａ〜６１ｄに作動解除信号が出力される。次に、ステップＰ４で仮想マスタ・ジェネレータ１３に原点合わせ準備開始指令が送信されると、ステップＰ５で緩動速度用メモリ４３より緩動速度が読み込まれる。次に、ステップＰ６で設定速度用メモリ４４に緩動速度が書き込まれると、ステップＰ７で仮想マスタ・ジェネレータ１３に設定（緩動）速度が送信される。次に、ステップＰ８で内部クロック・カウンタ（経過時間のカウント用）５０のカウントが開始されると、ステップＰ９で原点合わせ準備時間用メモリ４５より原点合わせ準備時間が読み込まれる。次に、ステップＰ１０で内部クロック・カウンタ５０のカウント値が読み込まれ、ステップＰ１１で内部クロック・カウンタ５０のカウント値が原点合わせ準備時間以上になると、ステップＰ１２で仮想マスタ・ジェネレータ１３に原点合わせ準備完了指令が送信される。
【０２７２】
次に、ステップＰ１３で仮想マスタ・ジェネレータ１３に原点合わせ開始指令が送信された後、ステップＰ１４で緩動速度用メモリ４３より緩動速度が読み込まれると、ステップＰ１５で設定速度用メモリ４４に緩動速度が書き込まれる。次に、ステップＰ１６で内部クロック・カウンタ５０のカウントが開始されると、ステップＰ１７で仮想マスタ・ジェネレータに設定速度を送信する時間間隔用メモリ４６より仮想マスタ・ジェネレータ１３に設定速度を送信する時間間隔が読み込まれる。次に、ステップＰ１８で内部クロック・カウンタ５０のカウント値が読み込まれると、ステップＰ１９で内部クロック・カウンタ５０のカウント値が仮想マスタ・ジェネレータ１３に設定速度を送信する時間間隔以上か否かを判断し、可であればステップＰ２０で設定速度用メモリ４４より設定（緩動）速度が読み込まれた後、ステップＰ２１で仮想マスタ・ジェネレータ１３に設定（緩動）速度が送信され、その後ステップＰ１６に戻る。
【０２７３】
前記ステップＰ１９で否であれば、ステップＰ２２で仮想マスタ・ジェネレータ１３より原点合わせ完了信号が送信されたか否かを判断し、可であればステップＰ２３で仮想マスタ・ジェネレータ１３より原点合わせ完了信号が受信される。次に、ステップＰ２４で仮想マスタ・ジェネレータに設定速度を送信する時間間隔用メモリ４６より仮想マスタ・ジェネレータ１３に設定速度を送信する時間間隔が読み込まれる。次に、ステップＰ２５で内部クロック・カウンタ５０のカウント値が読み込まれ、ステップＰ２６で内部クロック・カウンタ５０のカウント値が仮想マスタ・ジェネレータ１３に設定速度を送信する時間間隔以上になると、ステップＰ２７で設定速度用メモリ４４より設定（緩動）速度が読み込まれ、その後、ステップＰ２８で仮想マスタ・ジェネレータ１３に設定（緩動）速度が送信される。
【０２７４】
次に、ステップＰ２９で内部クロック・カウンタ５０のカウントが開始されると、ステップＰ３０で速度設定器６０に設定速度が入力されたか否かを判断し、可であればステップＰ３１で速度設定器６０より設定速度が読み込まれ、記憶された後、ステップＰ３２で仮想マスタ・ジェネレータに設定速度を送信する時間間隔用メモリ４６より仮想マスタ・ジェネレータ１３に設定速度を送信する時間間隔が読み込まれる。前記ステップＰ３０で否であれば、直ぐ前記ステップＰ３２に移行する。次に、ステップＰ３３で内部クロック・カウンタ５０のカウント値が読み込まれると、ステップＰ３４で内部クロック・カウンタ５０のカウント値が仮想マスタ・ジェネレータ１３に設定速度を送信する時間間隔以上か否かを判断し、可であればステップＰ３５で設定速度用メモリ４４より設定速度が読み込まれた後、ステップＰ３６で仮想マスタ・ジェネレータ１３に設定速度が送信され、その後ステップＰ２９に戻る。
【０２７５】
前記ステップＰ３４で否であれば、ステップＰ３７で印刷機の停止信号が入力されたか否かを判断し、否であればステップＰ３０に戻る。一方、可であればステップＰ３８で仮想マスタ・ジェネレータに設定速度を送信する時間間隔用メモリ４６より仮想マスタ・ジェネレータ１３に設定速度を送信する時間間隔が読み込まれる。次に、ステップＰ３９で内部クロック・カウンタ５０のカウント値が読み込まれ、ステップＰ４０で内部クロック・カウンタ５０のカウント値が仮想マスタ・ジェネレータ１３に設定速度を送信する時間間隔以上になると、ステップＰ４１で設定速度用メモリ４４より設定速度が読み込まれる。その後、ステップＰ４２で仮想マスタ・ジェネレータ１３に設定速度が送信され、ステップＰ４９に移行する。
【０２７６】
前記ステップＰ２２で否であれば、ステップＰ４３で印刷機の停止信号が入力されたか否かを判断し、否であればステップＰ１７に戻る。一方、可であればステップＰ４４で仮想マスタ・ジェネレータに設定速度を送信する時間間隔用メモリ４６より仮想マスタ・ジェネレータ１３に設定速度を送信する時間間隔が読み込まれる。次に、ステップＰ４５で内部クロック・カウンタ５０のカウント値が読み込まれ、ステップＰ４６で内部クロック・カウンタ５０のカウント値が仮想マスタ・ジェネレータ１３に設定速度を送信する時間間隔以上になると、ステップＰ４７で設定速度用メモリ４４より設定（緩動）速度が読み込まれる。その後、ステップＰ４８で仮想マスタ・ジェネレータ１３に設定（緩動）速度が送信され、ステップＰ４９に移行する。
【０２７７】
次に、ステップＰ４９で設定速度用メモリ４４にゼロが書き込まれ、ステップＰ５０で内部クロック・カウンタ５０のカウントが開始されると、ステップＰ５１で仮想マスタ・ジェネレータに設定速度を送信する時間間隔用メモリ４６より仮想マスタ・ジェネレータ１３に設定速度を送信する時間間隔が読み込まれる。次に、ステップＰ５２で内部クロック・カウンタ５０のカウント値が読み込まれ、ステップＰ５３で内部クロック・カウンタ５０のカウント値が仮想マスタ・ジェネレータ１３に設定速度を送信する時間間隔以上になると、ステップＰ５４で設定速度用メモリ４４より設定速度（ゼロ）が読み込まれる。
【０２７８】
次に、ステップＰ５５で仮想マスタ・ジェネレータ１３に設定速度（ゼロ）が送信された後、ステップＰ５６で印刷機の各ユニットの駆動モータ２６ａ〜２６ｄのロータリ・エンコーダ２９ａ〜２９ｄに接続されたＦ／Ｖ変換器６４ａ〜６４ｄの出力が読み込まれる。その後、ステップＰ５７でその読み込まれた各ユニットの駆動モータ２６ａ〜２６ｄのロータリ・エンコーダ２９ａ〜２９ｄに接続されたＦ／Ｖ変換器６４ａ〜６４ｄの出力より、現在の印刷機の各ユニットの速度が演算され、記憶される。
【０２７９】
次に、ステップＰ５８で前記演算で求められた現在のすべてのユニットの速度がゼロか否かを判断し、否であればステップＰ５０に戻る。一方、可であればステップＰ５９で仮想マスタ・ジェネレータ１３に同期運転停止指令が送信される。次に、ステップＰ６０で仮想マスタ・ジェネレータ１３より同期運転停止した印刷機のユニットの番号が送信されると、ステップＰ６１で仮想マスタ・ジェネレータ１３から同期運転停止した印刷機のユニットの番号が受信され、記憶される。次に、ステップＰ６２で同期運転停止した印刷機のユニットの駆動モータ・ブレーキ用回路に作動信号が出力されると、ステップＰ６３ですべてのユニットが同期運転停止がなされたか否かを判断し、否であればステップＰ６０に戻る。一方、可であればステップＰ６４で同期運転スイッチがＯＦＦされると動作が終了する。尚、ステップＰ６４で同期運転スイッチがＯＦＦされないでステップＰ６５で印刷機駆動スイッチがＯＮされればステップＰ３に戻る。
【０２８０】
このようにして本実施例では、印刷機の停止時には、第１〜第４ユニット３〜６の駆動モータ２６ａ〜２６ｄによる同期制御を止めて同駆動モータ２６ａ〜２６ｄに付設された駆動モータ・ブレーキ２７ａ〜２７ｄを起動させることにより、各ユニット３〜６の位相ズレが防止されて同期状態が保持される。
【０２８１】
この際、本実施例では、各ユニット３〜６の速度をロータリ・エンコーダ２９ａ〜２９ｄで検出し、停止指令により速度がゼロになった場合、仮想マスタ・ジェネレータ１３に同期運転停止指令を出して各ユニット３〜６の同期制御を解除し、それと同時に、各ユニット３〜６の駆動モータ２６ａ〜２６ｄの駆動モータ・ブレーキ２７ａ〜２７ｄを起動させ、印刷機の停止中は駆動モータ・ブレーキ２７ａ〜２７ｄで印刷機の各ユニット３〜６の回転を停止させるようになっている。
【０２８２】
これにより、印刷機の停止中にも駆動モータ２６ａ〜２６ｄ及び駆動モータ・ドライバ１４６Ａに電流を流さずに済み、消費電力の低減とモータ及びモータ軸受部の耐久性の向上が図れる。尚、本実施例では印刷機の各ユニット３〜６間の同期制御に関して説明したが、本発明は印刷機の各ユニット３〜６と折機１０との間の同期制御にも適用できることは言うまでもない。
【実施例７】
【０２８３】
図５７は本発明の実施例７を示す主印刷機の駆動制御装置のブロック図、図５８−ａは主印刷機の駆動制御装置の動作フロー図、図５８−ｂは主印刷機の駆動制御装置の動作フロー図、図５８−ｃは主印刷機の駆動制御装置の動作フロー図、図５８−ｄは主印刷機の駆動制御装置の動作フロー図、図５９−ａは主印刷機の駆動制御装置の動作フロー図、図５９−ｂは主印刷機の駆動制御装置の動作フロー図、図５９−ｃは主印刷機の駆動制御装置の動作フロー図、図６０−ａは主印刷機の駆動制御装置の動作フロー図、図６０−ｂは主印刷機の駆動制御装置の動作フロー図、図６１−ａは主印刷機の駆動制御装置の動作フロー図、図６１−ｂは主印刷機の駆動制御装置の動作フロー図、図６１−ｃは主印刷機の駆動制御装置の動作フロー図である。
【０２８４】
これは、前述した実施例３において、主印刷機Ａと従属印刷機Ｂを停止させる際に、それらの速度がゼロになった場合、主印刷機Ａに対する従属印刷機の同期制御を解除すると同時に、原動モータ・ブレーキ１６，１１６を起動させるようにした例である。従って、本実施例において、複数の印刷機の同期制御装置の概略構成図、従属印刷機の駆動制御装置のブロック図、従属印刷機の駆動制御装置の動作フロー図は、実施例３と同様なので、実施例３を参照して詳しい説明は省略する。
【０２８５】
図５７に示すように、主印刷機の駆動制御装置１９は、ＣＰＵ１５０とＲＯＭ１５１とＲＡＭ１５２との他に、緩動速度用メモリ１５３、主印刷機の設定速度用メモリ１５４、主印刷機の指令速度用メモリ１５５、原点合わせ準備時間用メモリ１５６、従属印刷機の駆動制御装置に主印刷機の指令速度及び従属印刷機の仮想の現在位置を送信する時間間隔用メモリ１５７、主印刷機の機械軸位置検出用カウンタのカウント値用メモリ１５８、主印刷機の機械軸の現在位置用メモリ１５９、従属印刷機の現在位置の補正値用メモリ１６０、従属印刷機の機械軸の仮想の現在位置用メモリ１６１、機械軸の原点合わせ完了信号を受信した従属印刷機の番号用メモリ１６２、主印刷機のモータ軸位置検出用カウンタのカウント値用メモリ１６３、主印刷機のモータ軸の現在位置用メモリ１６４、従属印刷機のモータ軸の仮想の現在位置用メモリ１６５、モータ軸の原点合わせ完了信号を受信した従属印刷機の番号用メモリ１６６、主印刷機の前回の指令速度用メモリ１６７、増速時の速度修正値用メモリ１６８、減速時の速度修正値用メモリ１６９、修正した主印刷機の指令速度用メモリ１７０、現在の各印刷機の速度用メモリ１７２、同期運転停止信号を受信した従属印刷機の番号用メモリ１７３及び内部クロック・カウンタ１７４が各入出力装置１７５〜１８１及びインタフェース１８２と共に母線（ＢＵＳ）１８３で接続されてなる。
【０２８６】
入出力装置１７５には、キーボートや各種スイッチ及びボタン等の入力装置１８４とＣＲＴやランプ等の表示器１８５とプリンタやＦ・Ｄドライブ等の出力装置１８６が接続される。入出力装置１７６には、速度設定器１８７が接続される。入出力装置１７７には、
Ｄ／Ａ変換器１８８を介して主印刷機の原動モータ・ドライバ１８９が接続され、この原動モータ・ドライバ１８９に主印刷機の原動モータ１５と主印刷機の原動モータ用ロータリ・エンコーダ１８が接続される。入出力装置１７８には、Ａ／Ｄ変換器１９０及びＦ／Ｖ変換器１９１を介して前記主印刷機の原動モータ用ロータリ・エンコーダ１８が接続されると共に、同じくＡ／Ｄ変換器１９２及びＦ／Ｖ変換器１９３を介して従属印刷機の原動モータ用ロータリ・エンコーダ１１８が接続される。入出力装置１７９には、主印刷機の機械軸位置検出用カウンタ１９４が接続され、このカウンタ１９４に前記主印刷機の原動モータ用ロータリ・エンコーダ１８と主印刷機の機械原点位置検出器１７が接続される。入出力装置１８０には、主印刷機のモータ軸位置検出用カウンタ１９５が接続され、このカウンタ１９５に前記主印刷機の原動モータ用ロータリ・エンコーダ１８が接続される。入出力装置１８１には、主印刷機の原動モータ・ブレーキ用回路１９６を介して主印刷機の原動モータ・ブレーキ１６が接続されると共に、従属印刷機の原動モータ・ブレーキ用回路１９７を介して従属印刷機の原動モータ・ブレーキ１１６が接続される。そして、インタフェース１８２には、従属印刷機の駆動制御装置２０が接続される。
【０２８７】
そして、主印刷機Ａに対して従属印刷機Ｂを同期制御するにあたって、主印刷機の駆動制御装置１９は、図５８−ａ，図５８−ｂ，図５８−ｃ，図５８−ｄ，図５９−ａ，図５９−ｂ，図５９−ｃ，図６０−ａ，図６０−ｂ，図６１−ａ，図６１−ｂ，図６１−ｃに示す動作フローにしたがって動作する。
【０２８８】
即ち、ステップＰ１で同期運転スイッチがＯＮされ、ステップＰ２で印刷機駆動スイッチがＯＮされると、ステップＰ３で各印刷機の原動モータ・ブレーキ用回路１９６，１９７に作動解除信号が出力される。次に、ステップＰ４で主印刷機の原動モータ・ドライバ１８９の起動信号がＯＮされると、ステップＰ５で従属印刷機の駆動制御装置２０に原点合わせ準備開始指令が送信される。次に、ステップＰ６で緩動速度用メモリ１５３より緩動速度が読み込まれると、ステップＰ７で主印刷機の設定速度用メモリ１５４に緩動速度が書き込まれる。次に、ステップＰ８で主印刷機の指令速度用メモリ１５５に緩動速度が書き込まれると、ステップＰ９で従属印刷機の駆動制御装置２０に指令(緩動)速度が送信される。次に、ステップＰ１０で主印刷機の原動モータ・ドライバ１８９に指令(緩動)速度が出力されると、ステップＰ１１で内部クロック・カウンタ(経過時間のカウント用)１７４のカウントが開始される。次に、ステップＰ１２で原点合わせ準備時間用メモリ１５６より原点合わせ準備時間が読み込まれると、ステップＰ１３で内部クロック・カウンタ１７４のカウント値が読み込まれる。
【０２８９】
ステップＰ１４で内部クロック・カウンタ１７４のカウント値が原点合わせ準備時間以上になると、ステップＰ１５で従属印刷機の駆動制御装置２０に原点合わせ準備完了指令が送信される。次に、ステップＰ１６で従属印刷機の駆動制御装置２０に原点合わせ開始指令が送信されると、ステップＰ１７で緩動速度用メモリ１５３より緩動速度が読み込まれる。次にステップＰ１８で主印刷機の設定速度用メモリ１５４に緩動速度が書き込まれると、ステップＰ１９で内部クロック・カウンタ(経過時間のカウント用)１７４のカウントが開始される。次に、ステップＰ２０で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ２１で内部クロック・カウンタ１７４のカウント値が読み込まれる。
【０２９０】
次に、ステップＰ２２で内部クロック・カウンタ１７４のカウント値が従属印刷機の駆動制御装置２０に主印刷機の指令速度及び従属印刷機の仮想の現在位置を送信する時間間隔以上になったか否かを判断し、可であればステップＰ２３で主印刷機の設定速度用メモリ１５４より設定(緩動)速度が読み込まれる。次に、ステップＰ２４で主印刷機の指令速度用メモリ１５５に設定(緩動)速度が書き込まれると、ステップＰ２５で主印刷機の機械軸位置検出用カウンタ１９４よりカウント値が読み込まれ、記憶される。次に、ステップＰ２６で主印刷機の機械軸位置検出用カウンタ１９４のカウント値より主印刷機の機械軸の現在位置が演算され、記憶されると、ステップＰ２７で従属印刷機の現在位置の補正値用メモリ１６０より従属印刷機の現在位置の補正値が読み込まれる。
【０２９１】
次に、ステップＰ２８で前記演算で求めた主印刷機の機械軸の現在位置に、読込んだ従属印刷機の現在位置の補正値を加算し、従属印刷機の機械軸の仮想の現在位置が演算され、記憶されると、ステップＰ２９で主印刷機の指令速度用メモリ１５５より主印刷機の指令(緩動)速度が読み込まれる。次に、ステップＰ３０で従属印刷機の駆動制御装置２０に主印刷機の指令(緩動)速度及び従属印刷機の機械軸の仮想の現在位置が送信されると、ステップＰ３１で主印刷機の原動モータ・ドライバ１８９に指令(緩動)速度が出力される。その後ステップＰ１９に戻る。
【０２９２】
前記ステップＰ２２で否であれば、ステップＰ３２で従属印刷機の駆動制御装置２０より機械軸の原点合わせ完了信号が送信されたか否かを判断し、可であればステップＰ３３で従属印刷機の駆動制御装置２０より機械軸の原点合わせ完了信号が受信される。次に、ステップＰ３４で機械軸の原点合わせ完了信号を受信した従属印刷機の番号が記憶されたら、ステップＰ３５ですべての従属印刷機の機械軸の原点合わせが完了したか否かを判断し、否であれば前述したステップＰ１９にもどる。
【０２９３】
一方、可であればステップＰ３６で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ３７で内部クロック・カウンタ１７４のカウント値が読み込まれる。次に、ステップＰ３８で内部クロック・カウンタ１７４のカウント値が従属印刷機の駆動制御装置２０に主印刷機の指令速度及び従属印刷機の仮想の現在位置を送信する時間間隔以上になったら、ステップＰ３９で主印刷機の設定速度用メモリ１５４より設定(緩動)速度が読み込まれる。次に、ステップＰ４０で主印刷機の指令速度用メモリ１５５に設定(緩動)速度が書き込まれると、ステップＰ４１で主印刷機の機械軸位置検出用カウンタ１９４よりカウント値が読み込まれ、記憶される。次に、ステップＰ４２で主印刷機の機械軸位置検出用カウンタ１９４のカウント値より主印刷機の機械軸の現在位置が演算され、記憶されると、ステップＰ４３で従属印刷機の現在位置の補正値用メモリ１６０より従属印刷機の現在位置の補正値が読み込まれる。
【０２９４】
次に、ステップＰ４４で前記演算で求めた主印刷機の機械軸の現在位置に、読込んだ従属印刷機の現在位置の補正値を加算し、従属印刷機の機械軸の仮想の現在位置が演算され、記憶されると、ステップＰ４５で主印刷機の指令速度用メモリ１５５より主印刷機の指令(緩動)速度が読み込まれる。次に、ステップＰ４６で従属印刷機の駆動制御装置２０に主印刷機の指令(緩動)速度及び従属印刷機の機械軸の仮想の現在位置が送信されると、ステップＰ４７で主印刷機の原動モータ・ドライバ１８９に指令(緩動)速度が出力され、その後、後述するステップＰ６１に移行する。
【０２９５】
前記ステップＰ３２で否であれば、ステップＰ４８で印刷機の停止信号が入力されたか否かを判断する。ここで否であればステップＰ２０に戻り、可であればステップＰ４９で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ５０で内部クロック・カウンタ１７４のカウント値が読み込まれる。次に、ステップＰ５１で内部クロック・カウンタ１７４のカウント値が従属印刷機の駆動制御装置２０に主印刷機の指令速度及び従属印刷機の仮想の現在位置を送信する時間間隔以上になったら、ステップＰ５２で主印刷機の設定速度用メモリ１５４より設定(緩動)速度が読み込まれる。次に、ステップＰ５３で主印刷機の指令速度用メモリ１５５に設定(緩動)速度が書き込まれると、ステップＰ５４で主印刷機の機械軸位置検出用カウンタ１９４よりカウント値が読み込まれ、記憶される。次に、ステップＰ５５で主印刷機の機械軸位置検出用カウンタ１９４のカウント値より主印刷機の機械軸の現在位置が演算され、記憶されると、ステップＰ５６で従属印刷機の現在位置の補正値用メモリ１６０より従属印刷機の現在位置の補正値が読み込まれる。
【０２９６】
次に、ステップＰ５７で前記演算で求めた主印刷機の機械軸の現在位置に、読込んだ従属印刷機の現在位置の補正値を加算し、従属印刷機の機械軸の仮想の現在位置が演算され、記憶されると、ステップＰ５８で主印刷機の指令速度用メモリ１５５より主印刷機の指令(緩動)速度が読み込まれる。次に、ステップＰ５９で従属印刷機の駆動制御装置２０に主印刷機の指令(緩動)速度及び従属印刷機の機械軸の仮想の現在位置が送信されると、ステップＰ６０で主印刷機の原動モータ・ドライバ１８９に指令(緩動)速度が出力される。その後、後述するステップＰ１３１に移行する。
【０２９７】
前述したステップＰ６１で内部クロック・カウンタ(経過時間のカウント用)１７４のカウントが開始され、次に、ステップＰ６２で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ６３で内部クロック・カウンタ１７４のカウント値が読み込まれる。次に、ステップＰ６４で内部クロック・カウンタ１７４のカウント値が従属印刷機の駆動制御装置２０に主印刷機の指令速度及び従属印刷機の仮想の現在位置を送信する時間間隔以上になったら、ステップＰ６５で主印刷機の設定速度用メモリ１５４より設定(緩動)速度が読み込まれる。次に、ステップＰ６６で主印刷機の指令速度用メモリ１５５に設定(緩動)速度が書き込まれると、ステップＰ６７で主印刷機のモータ軸位置検出用カウンタ１９５よりカウント値が読み込まれ、記憶される。次に、ステップＰ６８で主印刷機のモータ軸位置検出用カウンタ１９５のカウント値より主印刷機のモータ軸の現在位置が演算され、記憶されると、ステップＰ６９で従属印刷機の現在位置の補正値用メモリ１６０より従属印刷機の現在位置の補正値が読み込まれる。
【０２９８】
次に、ステップＰ７０で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ７１で主印刷機の指令速度用メモリ１５５より主印刷機の指令(緩動)速度が読み込まれる。次に、ステップＰ７２で従属印刷機の駆動制御装置２０に主印刷機の指令(緩動)速度及び従属印刷機のモータ軸の仮想の現在位置が送信されると、ステップＰ７３で主印刷機の原動モータ・ドライバ１８９に指令(緩動)速度が出力される。その後、前述したステップＰ６１に戻る。
【０２９９】
前記ステップＰ６４で否であれば、ステップＰ７４で従属印刷機の駆動制御装置２０よりモータ軸の原点合わせ完了信号が送信されたか否かを判断し、可であればステップＰ７５で従属印刷機の駆動制御装置２０よりモータ軸の原点合わせ完了信号が受信される。次に、ステップＰ７６でモータ軸の原点合わせ完了信号を受信した従属印刷機の番号が記憶されたら、ステップＰ７７ですべての従属印刷機のモータ軸の原点合わせが完了したか否かを判断し、否であれば前述したステップＰ６１に戻る。
【０３００】
一方、可であればステップＰ７８で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ７９で内部クロック・カウンタ１７４のカウント値が読み込まれる。次に、ステップＰ８０で内部クロック・カウンタ１７４のカウント値が従属印刷機の駆動制御装置２０に主印刷機の指令速度及び従属印刷機の仮想の現在位置を送信する時間間隔以上になったら、ステップＰ８１で主印刷機の設定速度用メモリ１５４より設定(緩動)速度が読み込まれる。次に、ステップＰ８２で主印刷機の指令速度用メモリ１５５に設定(緩動)速度が書き込まれると、ステップＰ８３で主印刷機のモータ軸位置検出用カウンタ１９５よりカウント値が読み込まれ、記憶される。次に、ステップＰ８４で主印刷機のモータ軸位置検出用カウンタ１９５のカウント値より主印刷機のモータ軸の現在位置が演算され、記憶されると、ステップＰ８５で従属印刷機の現在位置の補正値用メモリ１６０より従属印刷機の現在位置の補正値が読み込まれる。
【０３０１】
次に、ステップＰ８６で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ８７で主印刷機の指令速度用メモリ１５５より主印刷機の指令(緩動)速度が読み込まれる。次に、ステップＰ８８で従属印刷機の駆動制御装置２０に主印刷機の指令(緩動)速度及び従属印刷機のモータ軸の仮想の現在位置が送信されると、ステップＰ８９で主印刷機の原動モータ・ドライバ１８９に指令(緩動)速度が出力される。次に、ステップＰ９０で主印刷機の指令速度用メモリ１５５より主印刷機の指令(緩動)速度が読み込まれたら、ステップＰ９１で主印刷機の前回の指令速度用メモリ１６７に主印刷機の指令(緩動)速度が書き込まれる。その後、後述するステップＰ１０５に移行する。
【０３０２】
前記ステップＰ７４で否であれば、ステップＰ９２で印刷機の停止信号が入力されたか否かを判断する。ここで、否であれば前述したステップＰ６１に戻り、可であればステップＰ９３で従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれると、ステップＰ９４で内部クロック・カウンタ１７４のカウント値が読み込まれる。次に、ステップＰ９５で内部クロック・カウンタ１７４のカウント値が従属印刷機の駆動制御装置２０に主印刷機の指令速度及び従属印刷機の仮想の現在位置を送信する時間間隔以上になったら、ステップＰ９６で主印刷機の設定速度用メモリ１５４より設定(緩動)速度が読み込まれる。次に、ステップＰ９７で主印刷機の指令速度用メモリ１５５に設定(緩動)速度が書き込まれると、ステップＰ９８で主印刷機のモータ軸位置検出用カウンタ１９５よりカウント値が読み込まれ、記憶される。次に、ステップＰ９９で主印刷機のモータ軸位置検出用カウンタ１９５のカウント値より主印刷機のモータ軸の現在位置が演算され、記憶されると、ステップＰ１００で従属印刷機の現在位置の補正値用メモリ１６０より従属印刷機の現在位置の補正値が読み込まれる。
【０３０３】
次に、ステップＰ１０１で前記演算で求めた主印刷機のモータ軸の現在位置に、読込んだ従属印刷機の現在位置の補正値を加算し、従属印刷機のモータ軸の仮想の現在位置が演算され、記憶されると、ステップＰ１０２で主印刷機の指令速度用メモリ１５５より主印刷機の指令(緩動)速度が読み込まれる。次に、ステップＰ１０３で従属印刷機の駆動制御装置２０に主印刷機の指令(緩動)速度及び従属印刷機のモータ軸の仮想の現在位置が送信されると、ステップＰ１０４で主印刷機の原動モータ・ドライバ１８９に指令(緩動)速度が出力される。その後、後述するステップＰ１３１に移行する。
【０３０４】
前述したステップＰ１０５で内部クロック・カウンタ(経過時間のカウント用)１７４のカウントが開始されたら、ステップＰ１０６で速度設定器１８７に設定速度が入力されたか否かを判断する。ここで、可であればステップＰ１０７で、速度設定器１８７より設定速度が読み込まれ、記憶された後、ステップＰ１０８で主印刷機の設定速度用メモリ１５４より設定速度が読み込まれる。一方、否であればステップＰ１０８に直ぐ移行する。
【０３０５】
次に、ステップＰ１０９で主印刷機の前回の指令速度用メモリ１６７より前回の指令速度が読み込まれたら、ステップＰ１１０で前記読込んだ主印刷機の設定速度が読込んだ主印刷機の前回の指令速度と等しいか否かを判断する。ここで、可であればステップＰ１１１で、主印刷機の指令速度用メモリ１５５に読込んだ主印刷機の設定速度が書き込まれてから後述するステップＰ１２０に移行する。一方、否であればステップＰ１１２で、前記読込んだ主印刷機の設定速度が読込んだ主印刷機の前回の指令速度より大きいか否かを判断し、可であればステップＰ１１３で増速時の速度修正値用メモリ１６８より増速時の速度修正値が読み込まれる。次に、ステップＰ１１４で主印刷機の前回の指令速度に読み込んだ増速時の速度修正値を加算し、修正した主印刷機の指令速度が演算され、記憶されてから、ステップＰ１１５で主印刷機の指令速度用メモリ１５５に演算で求めた修正した主印刷機の指令速度が書き込まれる。その後、後述するステップＰ１２０に移行する。
【０３０６】
前記ステップＰ１１２で否であれば、ステップＰ１１６で減速時の速度修正値用メモリ１６９より減速時の速度修正値が読み込まれたら、ステップＰ１１７で主印刷機の前回の指令速度から読み込んだ減速時の速度修正値を減算し、修正した主印刷機の指令速度が演算され、記憶される。次に、ステップＰ１１８で前記修正した主印刷機の指令速度が０より小さいか否かを判断し、可であればステップＰ１１９で前記修正した主印刷機の指令速度をゼロに書換えてから、前記ステップＰ１１５に移行する。一方、否であれば前記ステップＰ１１５に直ぐ移行する。
【０３０７】
次に、前述したステップＰ１２０で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれたら、ステップＰ１２１で内部クロック・カウンタ１７４のカウント値が読み込まれる。次に、ステップＰ１２２で内部クロック・カウンタ１７４のカウント値が従属印刷機の駆動制御装置に主印刷機の指令速度及び従属印刷機の仮想の現在の位置を送信する時間間隔以上になったら、ステップＰ１２３で主印刷機のモータ軸位置検出用カウンタ１９５からカウント値が読み込まれ、記憶される。
【０３０８】
次に、ステップＰ１２４で主印刷機のモータ軸位置検出用カウンタ１９５のカウント値より主印刷機のモータ軸の現在位置が演算され、記憶されたら、ステップＰ１２５で従属印刷機の現在位置の補正値用メモリ１６０より従属印刷機の現在位置の補正値が読み込まれる。次に、ステップＰ１２６で前記演算で求めた主印刷機のモータ軸の現在位置に、読込んだ従属印刷機の現在位置の補正値を加算し、従属印刷機のモータ軸の仮想の現在位置が演算され、記憶されてから、ステップＰ１２７で主印刷機の指令速度用メモリ１５５より主印刷機の指令速度が読み込まれる。
【０３０９】
次に、ステップＰ１２８で従属印刷機の駆動制御装置２０に主印刷機の指令速度及び従属印刷機の仮想のモータ軸の現在位置が送信されたら、ステップＰ１２９で主印刷機の原動モータ・ドライバ１８９に指令速度が出力される。次に、ステップＰ１３０で主印刷機の前回の指令速度用メモリ１６７に主印刷機の指令速度が書き込まれたら、ステップＰ１３１で印刷機の停止信号が入力されたか否かを判断する。ここで、否であれば前述したステップＰ１０５に戻り、可であればステップＰ１３２で主印刷機の設定速度用メモリ１５４にゼロが書き込まれる。
【０３１０】
次に、ステップＰ１３３で内部クロック・カウンタ(経過時間のカウント用)１７４のカウントが開始されたら、ステップＰ１３４で主印刷機の前回の指令速度用メモリ１６７より前回の指令速度が読み込まれる。次に、ステップＰ１３５で前記読込んだ主印刷機の前回の指令速度が０に等しいか否かを判断し、ここで、可であればステップＰ１３６で主印刷機の指令速度用メモリ１５５にゼロが書き込まれたら、後述するステップＰ１４３に移行し、否であればステップＰ１３７で、減速時の速度修正値用メモリ１６９より減速時の速度修正値が読み込まれる。
【０３１１】
次に、ステップＰ１３８で主印刷機の前回の指令速度から読み込んだ減速時の速度修正値を減算し、修正した主印刷機の指令速度が演算され、記憶されたら、ステップＰ１３９で前記修正した主印刷機の指令速度が０より小さいか否かを判断する。ここで、可であればステップＰ１４０で前記修正した主印刷機の指令速度をゼロに書き換えてから、ステップＰ１４１で主印刷機の指令速度用メモリ１５５に演算で求めた修正した主印刷機の指令速度が書き込まれ、否であればステップＰ１４１に直ぐ移行する。その後、ステップＰ１４２で主印刷機の前回の指令速度用メモリ１６７に演算で求めた修正した指令速度が書き込まれる。
【０３１２】
次に、前述したステップＰ１４３で、従属印刷機の駆動制御装置に主印刷機の指令速度及び従属印刷機の仮想の現在位置を送信する時間間隔用メモリ１５７より従属印刷機の駆動制御装置２０に主印刷機の指令速度及び従属印刷機の仮想の現在位置を送信する時間間隔が読み込まれたら、ステップＰ１４４で内部クロック・カウンタ１７４のカウント値が読み込まれる。次に、ステップＰ１４５で内部クロック・カウンタ１７４のカウント値が従属印刷機の駆動制御装置に主印刷機の指令速度及び従属印刷機の仮想の現在の位置を送信する時間間隔以上になったら、ステップＰ１４６で主印刷機のモータ軸位置検出用カウンタ１９５からカウント値が読み込まれ、記憶される。
【０３１３】
次に、ステップＰ１４７で主印刷機のモータ軸位置検出用カウンタ１９５のカウント値より主印刷機のモータ軸の現在位置が演算され、記憶されたら、ステップＰ１４８で従属印刷機の現在位置の補正値用メモリ１６０より従属印刷機の現在位置の補正値が読み込まれる。次に、ステップＰ１４９で前記演算で求めた主印刷機のモータ軸の現在位置に、読込んだ従属印刷機の現在位置の補正値を加算し、従属印刷機のモータ軸の仮想の現在位置が演算され、記憶されてから、ステップＰ１５０で主印刷機の指令速度用メモリ１５５より主印刷機の指令速度が読み込まれる。
【０３１４】
次に、ステップＰ１５１で従属印刷機の駆動制御装置２０に主印刷機の指令速度及び従属印刷機の仮想のモータ軸の現在位置が送信されたら、ステップＰ１５２で主印刷機の原動モータ・ドライバ１８９に指令速度が出力され、その後、ステップＰ１５３で各印刷機の原動モータのロータリ・エンコーダ１８，１１８に接続されたＦ／Ｖ変換器１９１，１９３の出力が読み込まれる。次に、ステップＰ１５４で前記読込んだ各印刷機の原動モータのロータリ・エンコーダ１８，１１８に接続されたＦ／Ｖ変換器１９１，１９３の出力より、現在の各印刷機の速度が演算され、記憶されたら、ステップＰ１５５で前記演算で求めた現在のすべての印刷機の速度がゼロか否かを判断する。
【０３１５】
前記ステップＰ１５５で否であれば前述したステップＰ１３３に戻り、可であればステップＰ１５６で従属印刷機の駆動制御装置２０に同期運転停止指令が送信される。次に、ステップＰ１５７で従属印刷機の駆動制御装置２０より同期運転停止信号が送信されたら、ステップＰ１５８で従属印刷機の駆動制御装置２０から同期運転停止信号を送信した従属印刷機の番号が受信され、記憶される。次に、ステップＰ１５９で同期運転停止信号を受信した従属印刷機の原動モータ・ブレーキ用回路１９７に作動信号が出力されたら、ステップＰ１６０ですべての従属印刷機が同期運転停止したか否かを判断する。
【０３１６】
前記ステップＰ１６０で否であれば、前述したステップＰ１５７に戻り、可であればステップＰ１６１で主印刷機の原動モータ・ドライバ１８９の起動信号がＯＦＦされる。次に、ステップＰ１６２で主印刷機の原動モータ・ブレーキ用回路１９６に作動信号が出力されたら、ステップＰ１６３で同期運転スイッチがＯＦＦされる。尚、同期運転スイッチがＯＦＦされずに、ステップＰ１６４で印刷機駆動スイッチがＯＮされたら、前述したステップＰ３に戻る。
【０３１７】
このようにして本実施例では、主印刷機Ａと従属印刷機Ｂの停止時には、原動モータ１５，１１５による同期制御を止めて同原動モータ１５，１１５に付設された原動モータ・ブレーキ１６，１１６を起動させることにより、主印刷機Ａと従属印刷機Ｂの位相ズレが防止されて同期状態が保持される。
【０３１８】
この際、本実施例では、各印刷機Ａ，Ｂの速度をロータリ・エンコーダ１８，１１８で検出し、停止指令によりそれらの速度がゼロになった場合、主印刷機Ａに対する従属印刷機の同期制御（運転）を解除し、それと同時に、各印刷機Ａ，Ｂの原動モータ１５，１１５の原動モータ・ブレーキ１６，１１６を起動させ、各印刷機Ａ，Ｂの停止中は原動モータ・ブレーキ１６，１１６で各印刷機Ａ，Ｂの回転を停止させるようになっている。
【０３１９】
これにより、各印刷機Ａ，Ｂの停止中にも原動モータ１５，１１５及び原動モータ・ドライバ１８９，２３５に電流を流さずに済み、消費電力の低減とモータ及びモータ軸受部の耐久性の向上が図れる。
【実施例８】
【０３２０】
図６２は本発明の実施例８を示す印刷機の主ユニットの駆動制御装置のブロック図、図６３−ａは主ユニットの駆動制御装置の動作フロー図、図６３−ｂは主ユニットの駆動制御装置の動作フロー図、図６３−ｃは主ユニットの駆動制御装置の動作フロー図、図６３−ｄは主ユニットの駆動制御装置の動作フロー図、図６４−ａは主ユニットの駆動制御装置の動作フロー図、図６４−ｂは主ユニットの駆動制御装置の動作フロー図、図６４−ｃは主ユニットの駆動制御装置の動作フロー図、図６５−ａは主ユニットの駆動制御装置の動作フロー図、図６５−ｂは主ユニットの駆動制御装置の動作フロー図、図６６−ａは主ユニットの駆動制御装置の動作フロー図、図６６−ｂは主ユニットの駆動制御装置の動作フロー図、図６６−ｃは主ユニットの駆動制御装置の動作フロー図である。
【０３２１】
これは、前述した実施例４において、印刷機を停止させる際に、各ユニットの速度がゼロになった場合、主ユニットに対する従属ユニットの同期制御を解除すると同時に、各ユニットの駆動モータ・ブレーキ２６ａ〜２６ｅを起動させるようにした例である。従って、本実施例において、印刷機の各ユニットの同期制御装置の概略構成図、各従属ユニットの駆動制御装置のブロック図、従属ユニットの駆動制御装置の動作フロー図は、実施例４と同様なので、実施例４を参照して詳しい説明は省略する。
【０３２２】
図６２に示すように、主ユニットの駆動制御装置３１は、ＣＰＵ１５０とＲＯＭ１５１とＲＡＭ１５２との他に、緩動速度用メモリ１５３、主ユニットの設定速度用メモリ１５４Ａ、主ユニットの指令速度用メモリ１５５Ａ、原点合わせ準備時間用メモリ１５６、従属ユニットの駆動制御装置に主ユニットの指令速度及び従属ユニットの仮想の現在位置を送信する時間間隔用メモリ１５７Ａ、主ユニットの機械軸位置検出用カウンタのカウント値用メモリ１５８Ａ、主ユニットの機械軸の現在位置用メモリ１５９Ａ、従属ユニットの現在位置の補正値用メモリ１６０Ａ、従属ユニットの機械軸の仮想の現在位置用メモリ１６１Ａ、機械軸の原点合わせ完了信号を受信した従属ユニットの番号用メモリ１６２Ａ、主ユニットのモータ軸位置検出用カウンタのカウント値用メモリ１６３Ａ、主ユニットのモータ軸の現在位置用メモリ１６４Ａ、従属ユニットのモータ軸の仮想の現在位置用メモリ１６５Ａ、モータ軸の原点合わせ完了信号を受信した従属ユニットの番号用メモリ１６６Ａ、主ユニットの前回の指令速度用メモリ１６７Ａ、増速時の速度修正値用メモリ１６８Ａ、減速時の速度修正値用メモリ１６９Ａ、修正した主ユニットの指令速度用メモリ１７０Ａ、現在の印刷機の各ユニットの速度用メモリ１７２Ａ、同期運転停止信号を受信した従属ユニットの番号用メモリ１７３Ａ及び内部クロック・カウンタ１７４が各入出力装置１７５〜１８１及びインタフェース１８２と共に母線（ＢＵＳ）１８３で接続されてなる。
【０３２３】
入出力装置１７５には、キーボートや各種スイッチ及びボタン等の入力装置１８４とＣＲＴやランプ等の表示器１８５とプリンタやＦ・Ｄドライブ等の出力装置１８６が接続される。入出力装置１７６には、速度設定器１８７が接続される。入出力装置１７７には、
Ｄ／Ａ変換器１８８を介して主ユニットの駆動モータ・ドライバ１８９Ａが接続され、この駆動モータ・ドライバ１８９Ａに主ユニットの駆動モータ２６ｅと主ユニットの駆動モータ用ロータリ・エンコーダ２９ｅが接続される。入出力装置１７８には、Ａ／Ｄ変換器１９０及びＦ／Ｖ変換器１９１を介して前記主ユニットの駆動モータ用ロータリ・エンコーダ２９ｅが接続されると共に、同じくＡ／Ｄ変換器１９２ａ〜１９２ｄ及びＦ／Ｖ変換器１９３ａ〜１９３ｄを介して第１〜第４従属ユニットの駆動モータ用ロータリ・エンコーダ２９ａ〜２９ｄが接続される。入出力装置１７９には、主ユニットの機械軸位置検出用カウンタ１９４Ａが接続され、このカウンタ１９４Ａに前記主ユニットの駆動モータ用ロータリ・エンコーダ２９ｅと主ユニットの機械原点位置検出器２８ｅが接続される。入出力装置１８０には、主ユニットのモータ軸位置検出用カウンタ１９５Ａが接続され、このカウンタ１９５Ａに前記主ユニットの駆動モータ用ロータリ・エンコーダ２９ｅが接続される。入出力装置１８１には、主ユニットの駆動モータ・ブレーキ用回路１９６Ａを介して主ユニットの駆動モータ・ブレーキ２７ｅが接続されると共に、第１〜第４従属ユニットの駆動モータ・ブレーキ用回路１９７ａ〜１９７ｄを介して第１〜第４従属ユニットの駆動モータ・ブレーキ２７ａ〜２７ｄが接続される。そして、インタフェース１８２には、後述する各従属ユニットの駆動制御装置３０ａ〜３０ｄが接続される。
【０３２４】
そして、主ユニットとしての折機１０に対して従属ユニットとしての第１〜第４ユニット３〜６を同期制御（運転）するにあたって、主ユニットの駆動制御装置３１は、図６３−ａ，図６３−ｂ，図６３−ｃ，図６３−ｄ，図６４−ａ，図６４−ｂ，図６４−ｃ，図６５−ａ，図６５−ｂ，図６６−ａ，図６６−ｂ，図６６−ｃに示す動作フローにしたがって動作する。
【０３２５】
即ち、ステップＰ１で同期運転スイッチがＯＮされ、ステップＰ２で印刷機駆動スイッチがＯＮされると、ステップＰ３で各ユニットの駆動モータ・ブレーキ用リレー１９６Ａ，１９７ａ〜１９７ｄに作動解除信号が出力される。次に、ステップＰ４で主ユニットの駆動モータ・ドライバ１８９Ａの起動信号がＯＮされると、ステップＰ５で従属ユニットの駆動制御装置３０ａ〜３０ｄに原点合わせ準備開始指令が送信される。次に、ステップＰ６で緩動速度用メモリ１５３より緩動速度が読み込まれると、ステップＰ７で主ユニットの設定速度用メモリ１５４Ａに緩動速度が書き込まれる。次に、ステップＰ８で主ユニットの指令速度用メモリ１５５Ａに緩動速度が書き込まれると、ステップＰ９で従属ユニットの駆動制御装置３０ａ〜３０ｄに指令(緩動)速度が送信される。次に、ステップＰ１０で主ユニットの駆動モータ・ドライバ１８９Ａに指令(緩動)速度が出力されると、ステップＰ１１で内部クロック・カウンタ(経過時間のカウント用)１７４のカウントが開始される。次に、ステップＰ１２で原点合わせ準備時間用メモリ１５６より原点合わせ準備時間が読み込まれると、ステップＰ１３で内部クロック・カウンタ１７４のカウント値が読み込まれる。
【０３２６】
ステップＰ１４で内部クロック・カウンタ１７４のカウント値が原点合わせ準備時間以上になると、ステップＰ１５で従属ユニットの駆動制御装置３０ａ〜３０ｄに原点合わせ準備完了指令が送信される。次に、ステップＰ１６で従属ユニットの駆動制御装置３０ａ〜３０ｄに原点合わせ開始指令が送信されると、ステップＰ１７で緩動速度用メモリ１５３より緩動速度が読み込まれる。次にステップＰ１８で主ユニットの設定速度用メモリ１５４Ａに緩動速度が書き込まれると、ステップＰ１９で内部クロック・カウンタ(経過時間のカウント用)１７４のカウントが開始される。次に、ステップＰ２０で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ２１で内部クロック・カウンタ１７４のカウント値が読み込まれる。
【０３２７】
次に、ステップＰ２２で内部クロック・カウンタ１７４のカウント値が従属ユニットの駆動制御装置３０ａ〜３０ｄに主ユニットの指令速度及び従属ユニットの仮想の現在位置を送信する時間間隔以上になったか否かを判断し、可であればステップＰ２３で主ユニットの設定速度用メモリ１５４Ａより設定(緩動)速度が読み込まれる。次に、ステップＰ２４で主ユニットの指令速度用メモリ１５５Ａに設定(緩動)速度が書き込まれると、ステップＰ２５で主ユニットの機械軸位置検出用カウンタ１９４Ａよりカウント値が読み込まれ、記憶される。次に、ステップＰ２６で主ユニットの機械軸位置検出用カウンタ１９４Ａのカウント値より主ユニットの機械軸の現在位置が演算され、記憶されると、ステップＰ２７で従属ユニットの現在位置の補正値用メモリ１６０Ａより従属ユニットの現在位置の補正値が読み込まれる。
【０３２８】
次に、ステップＰ２８で前記演算で求めた主ユニットの機械軸の現在位置に、読込んだ従属ユニットの現在位置の補正値を加算し、従属ユニットの機械軸の仮想の現在位置が演算され、記憶されると、ステップＰ２９で主ユニットの指令速度用メモリ１５５Ａより主ユニットの指令(緩動)速度が読み込まれる。次に、ステップＰ３０で従属ユニットの駆動制御装置３０ａ〜３０ｄに主ユニットの指令(緩動)速度及び従属ユニットの機械軸の仮想の現在位置が送信されると、ステップＰ３１で主ユニットの駆動モータ・ドライバ１８９Ａに指令(緩動)速度が出力される。その後ステップＰ１９に戻る。
【０３２９】
前記ステップＰ２２で否であれば、ステップＰ３２で従属ユニットの駆動制御装置３０ａ〜３０ｄより機械軸の原点合わせ完了信号が送信されたか否かを判断し、可であればステップＰ３３で従属ユニットの駆動制御装置３０ａ〜３０ｄより機械軸の原点合わせ完了信号が受信される。次に、ステップＰ３４で機械軸の原点合わせ完了信号を受信した従属ユニットの番号が記憶されたら、ステップＰ３５ですべての従属ユニットの機械軸の原点合わせが完了したか否かを判断し、否であれば前述したステップＰ１９にもどる。
【０３３０】
一方、可であればステップＰ３６で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ３７で内部クロック・カウンタ１７４のカウント値が読み込まれる。次に、ステップＰ３８で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ３９で主ユニットの設定速度用メモリ１５４Ａより設定(緩動)速度が読み込まれる。次に、ステップＰ４０で主ユニットの指令速度用メモリ１５５Ａに設定(緩動)速度が書き込まれると、ステップＰ４１で主ユニットの機械軸位置検出用カウンタ１９４Ａよりカウント値が読み込まれ、記憶される。次に、ステップＰ４２で主ユニットの機械軸位置検出用カウンタ１９４Ａのカウント値より主ユニットの機械軸の現在位置が演算され、記憶されると、ステップＰ４３で従属ユニットの現在位置の補正値用メモリ１６０Ａより従属ユニットの現在位置の補正値が読み込まれる。
【０３３１】
次に、ステップＰ４４で前記演算で求めた主ユニットの機械軸の現在位置に、読込んだ従属ユニットの現在位置の補正値を加算し、従属ユニットの機械軸の仮想の現在位置が演算され、記憶されると、ステップＰ４５で主ユニットの指令速度用メモリ１５５Ａより主ユニットの指令(緩動)速度が読み込まれる。次に、ステップＰ４６で従属ユニットの駆動制御装置３０ａ〜３０ｄに主ユニットの指令(緩動)速度及び従属ユニットの機械軸の仮想の現在位置が送信されると、ステップＰ４７で主ユニットの駆動モータ・ドライバ１８９Ａに指令(緩動)速度が出力され、その後、後述するステップＰ６１に移行する。
【０３３２】
前記ステップＰ３２で否であれば、ステップＰ４８で印刷機の停止信号が入力されたか否かを判断する。ここで否であればステップＰ２０に戻り、可であればステップＰ４９で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ５０で内部クロック・カウンタ１７４のカウント値が読み込まれる。次に、ステップＰ５１で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ５２で主ユニットの設定速度用メモリ１５４Ａより設定(緩動)速度が読み込まれる。次に、ステップＰ５３で主ユニットの指令速度用メモリ１５５Ａに設定(緩動)速度が書き込まれると、ステップＰ５４で主ユニットの機械軸位置検出用カウンタ１９４Ａよりカウント値が読み込まれ、記憶される。次に、ステップＰ５５で主ユニットの機械軸位置検出用カウンタ１９４Ａのカウント値より主ユニットの機械軸の現在位置が演算され、記憶されると、ステップＰ５６で従属ユニットの現在位置の補正値用メモリ１６０Ａより従属ユニットの現在位置の補正値が読み込まれる。
【０３３３】
次に、ステップＰ５７で前記演算で求めた主ユニットの機械軸の現在位置に、読込んだ従属ユニットの現在位置の補正値を加算し、従属ユニットの機械軸の仮想の現在位置が演算され、記憶されると、ステップＰ５８で主ユニットの指令速度用メモリ１５５Ａより主ユニットの指令(緩動)速度が読み込まれる。次に、ステップＰ５９で従属ユニットの駆動制御装置３０ａ〜３０ｄに主ユニットの指令(緩動)速度及び従属ユニットの機械軸の仮想の現在位置が送信されると、ステップＰ６０で主ユニットの駆動モータ・ドライバ１８９Ａに指令(緩動)速度が出力される。その後、後述するステップＰ１３１に移行する。
【０３３４】
前述したステップＰ６１で内部クロック・カウンタ(経過時間のカウント用)１７４のカウントが開始され、次に、ステップＰ６２で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ６３で内部クロック・カウンタ１７４のカウント値が読み込まれる。次に、ステップＰ６４で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ６５で主ユニットの設定速度用メモリ１５４Ａより設定(緩動)速度が読み込まれる。次に、ステップＰ６６で主ユニットの指令速度用メモリ１５５Ａに設定(緩動)速度が書き込まれると、ステップＰ６７で主ユニットのモータ軸位置検出用カウンタ１９５Ａよりカウント値が読み込まれ、記憶される。次に、ステップＰ６８で主ユニットのモータ軸位置検出用カウンタ１９５Ａのカウント値より主ユニットのモータ軸の現在位置が演算され、記憶されると、ステップＰ６９で従属ユニットの現在位置の補正値用メモリ１６０Ａより従属ユニットの現在位置の補正値が読み込まれる。
【０３３５】
次に、ステップＰ７０で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ７１で主ユニットの指令速度用メモリ１５５Ａより主ユニットの指令(緩動)速度が読み込まれる。次に、ステップＰ７２で従属ユニットの駆動制御装置３０ａ〜３０ｄに主ユニットの指令(緩動)速度及び従属ユニットのモータ軸の仮想の現在位置が送信されると、ステップＰ７３で主ユニットの駆動モータ・ドライバ１８９Ａに指令(緩動)速度が出力される。その後、前述したステップＰ６１に戻る。
【０３３６】
前記ステップＰ６４で否であれば、ステップＰ７４で従属ユニットの駆動制御装置３０ａ〜３０ｄよりモータ軸の原点合わせ完了信号が送信されたか否かを判断し、可であればステップＰ７５で従属ユニットの駆動制御装置３０ａ〜３０ｄよりモータ軸の原点合わせ完了信号が受信される。次に、ステップＰ７６でモータ軸の原点合わせ完了信号を受信した従属ユニットの番号が記憶されたら、ステップＰ７７ですべての従属ユニットのモータ軸の原点合わせが完了したか否かを判断し、否であれば前述したステップＰ６１に戻る。
【０３３７】
一方、可であればステップＰ７８で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ７９で内部クロック・カウンタ１７４のカウント値が読み込まれる。次に、ステップＰ８０で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ８１で主ユニットの設定速度用メモリ１５４Ａより設定(緩動)速度が読み込まれる。次に、ステップＰ８２で主ユニットの指令速度用メモリ１５５Ａに設定(緩動)速度が書き込まれると、ステップＰ８３で主ユニットのモータ軸位置検出用カウンタ１９５Ａよりカウント値が読み込まれ、記憶される。次に、ステップＰ８４で主ユニットのモータ軸位置検出用カウンタ１９５Ａのカウント値より主ユニットのモータ軸の現在位置が演算され、記憶されると、ステップＰ８５で従属ユニットの現在位置の補正値用メモリ１６０Ａより従属ユニットの現在位置の補正値が読み込まれる。
【０３３８】
次に、ステップＰ８６で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ８７で主ユニットの指令速度用メモリ１５５Ａより主ユニットの指令(緩動)速度が読み込まれる。次に、ステップＰ８８で従属ユニットの駆動制御装置３０ａ〜３０ｄに主ユニットの指令(緩動)速度及び従属ユニットのモータ軸の仮想の現在位置が送信されると、ステップＰ８９で主ユニットの駆動モータ・ドライバ１８９Ａに指令(緩動)速度が出力される。次に、ステップＰ９０で主ユニットの指令速度用メモリ１５５Ａより主ユニットの指令(緩動)速度が読み込まれたら、ステップＰ９１で主ユニットの前回の指令速度用メモリ１６７Ａに主ユニットの指令(緩動)速度が書き込まれる。その後、後述するステップＰ１０５に移行する。
【０３３９】
前記ステップＰ７４で否であれば、ステップＰ９２で印刷機の停止信号が入力されたか否かを判断する。ここで、否であれば前述したステップＰ６１に戻り、可であればステップＰ９３で従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれると、ステップＰ９４で内部クロック・カウンタ１７４のカウント値が読み込まれる。次に、ステップＰ９５で内部クロック・カウンタ１７４のカウント値が従属ユニットの駆動制御装置３０ａ〜３０ｄに主ユニットの指令速度及び従属ユニットの仮想の現在位置を送信する時間間隔以上になったら、ステップＰ９６で主ユニットの設定速度用メモリ１５４Ａより設定(緩動)速度が読み込まれる。次に、ステップＰ９７で主ユニットの指令速度用メモリ１５５Ａに設定(緩動)速度が書き込まれると、ステップＰ９８で主ユニットのモータ軸位置検出用カウンタ１９５Ａよりカウント値が読み込まれ、記憶される。次に、ステップＰ９９で主ユニットのモータ軸位置検出用カウンタ１９５Ａのカウント値より主ユニットのモータ軸の現在位置が演算され、記憶されると、ステップＰ１００で従属ユニットの現在位置の補正値用メモリ１６０Ａより従属ユニットの現在位置の補正値が読み込まれる。
【０３４０】
次に、ステップＰ１０１で前記演算で求めた主ユニットのモータ軸の現在位置に、読込んだ従属ユニットの現在位置の補正値を加算し、従属ユニットのモータ軸の仮想の現在位置が演算され、記憶されると、ステップＰ１０２で主ユニットの指令速度用メモリ１５５Ａより主ユニットの指令(緩動)速度が読み込まれる。次に、ステップＰ１０３で従属ユニットの駆動制御装置３０ａ〜３０ｄに主ユニットの指令(緩動)速度及び従属ユニットのモータ軸の仮想の現在位置が送信されると、ステップＰ１０４で主ユニットの駆動モータ・ドライバ１８９Ａに指令(緩動)速度が出力される。その後、後述するステップＰ１３２に移行する。
【０３４１】
前述したステップＰ１０５で内部クロック・カウンタ(経過時間のカウント用)１７４のカウントが開始されたら、ステップＰ１０６で速度設定器１８７に設定速度が入力されたか否かを判断する。ここで、可であればステップＰ１０７で、速度設定器１８７より設定速度が読み込まれ、記憶された後、ステップＰ１０８で主ユニットの設定速度用メモリ１５４Ａより設定速度が読み込まれる。一方、否であればステップＰ１０８に直ぐ移行する。
【０３４２】
次に、ステップＰ１０９で主ユニットの前回の指令速度用メモリ１６７Ａより前回の指令速度が読み込まれたら、ステップＰ１１０で前記読込んだ主ユニットの設定速度が読込んだ主ユニットの前回の指令速度と等しいか否かを判断する。ここで、可であればステップＰ１１１で、主ユニットの指令速度用メモリ１５５Ａに読込んだ主ユニットの設定速度が書き込まれてから後述するステップＰ１２０に移行する。一方、否であればステップＰ１１２で、前記読込んだ主ユニットの設定速度が読込んだ主ユニットの前回の指令速度より大きいか否かを判断し、可であればステップＰ１１３で増速時の速度修正値用メモリ１６８Ａより増速時の速度修正値が読み込まれる。次に、ステップＰ１１４で主ユニットの前回の指令速度に読み込んだ増速時の速度修正値を加算し、修正した主ユニットの指令速度が演算され、記憶されてから、ステップＰ１１５で主ユニットの指令速度用メモリ１５５Ａに演算で求めた修正した主ユニットの指令速度が書き込まれる。その後、後述するステップＰ１２０に移行する。
【０３４３】
前記ステップＰ１１２で否であれば、ステップＰ１１６で減速時の速度修正値用メモリ１６９Ａより減速時の速度修正値が読み込まれたら、ステップＰ１１７で主ユニットの前回の指令速度から読み込んだ減速時の速度修正値を減算し、修正した主ユニットの指令速度が演算され、記憶される。次に、ステップＰ１１８で前記修正した主ユニットの指令速度が０より小さいか否かを判断し、可であればステップＰ１１９で前記修正した主ユニットの指令速度をゼロに書換えてから、前記ステップＰ１１５に移行する。一方、否であれば前記ステップＰ１１５に直ぐ移行する。
【０３４４】
次に、前述したステップＰ１２０で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれたら、ステップＰ１２１で内部クロック・カウンタ１７４のカウント値が読み込まれる。次に、ステップＰ１２２で内部クロック・カウンタ１７４のカウント値が従属ユニットの駆動制御装置に主ユニットの指令速度及び従属ユニットの仮想の現在の位置を送信する時間間隔以上になったら、ステップＰ１２３で主ユニットのモータ軸位置検出用カウンタ１９５Ａからカウント値が読み込まれ、記憶される。
【０３４５】
次に、ステップＰ１２４で主ユニットのモータ軸位置検出用カウンタ１９５Ａのカウント値より主ユニットのモータ軸の現在位置が演算され、記憶されたら、ステップＰ１２５で従属ユニットの現在位置の補正値用メモリ１６０Ａより従属ユニットの現在位置の補正値が読み込まれる。次に、ステップＰ１２６で前記演算で求めた主ユニットのモータ軸の現在位置に、読込んだ従属ユニットの現在位置の補正値を加算し、従属ユニットのモータ軸の仮想の現在位置が演算され、記憶されてから、ステップＰ１２７で主ユニットの指令速度用メモリ１５５Ａより主ユニットの指令速度が読み込まれる。
【０３４６】
次に、ステップＰ１２８で従属ユニットの駆動制御装置３０ａ〜３０ｄに主ユニットの指令速度及び従属ユニットの仮想のモータ軸の現在位置が送信されたら、ステップＰ１２９で主ユニットの駆動モータ・ドライバ１８９Ａに指令速度が出力される。次に、ステップＰ１３０で主ユニットの前回の指令速度用メモリ１６７Ａに主ユニットの指令速度が書き込まれたら、ステップＰ１３１で印刷機の停止信号が入力されたか否かを判断する。ここで、否であれば前述したステップＰ１０５に戻り、可であればステップＰ１３２で主ユニットの設定速度用メモリ１５４Ａにゼロが書き込まれる。
【０３４７】
次に、ステップＰ１３３で内部クロック・カウンタ(経過時間のカウント用)１７４のカウントが開始されたら、ステップＰ１３４で主ユニットの前回の指令速度用メモリ１６７Ａより前回の指令速度が読み込まれる。次に、ステップＰ１３５で前記読込んだ主ユニットの前回の指令速度が０に等しいか否かを判断し、ここで、可であればステップＰ１３６で主ユニットの指令速度用メモリ１５５Ａにゼロが書き込まれたら、後述するステップＰ１４３に移行し、否であればステップＰ１３７で、減速時の速度修正値用メモリ１６９Ａより減速時の速度修正値が読み込まれる。
【０３４８】
次に、ステップＰ１３８で主ユニットの前回の指令速度から読み込んだ減速時の速度修正値を減算し、修正した主ユニットの指令速度が演算され、記憶されたら、ステップＰ１３９で前記修正した主ユニットの指令速度が０より小さいか否かを判断する。ここで、可であればステップＰ１４０で前記修正した主ユニットの指令速度をゼロに書き換えてから、ステップＰ１４１で主ユニットの指令速度用メモリ１５５Ａに演算で求めた修正した主ユニットの指令速度が書き込まれ、否であればステップＰ１４１に直ぐ移行する。その後、ステップＰ１４２で主ユニットの前回の指令速度用メモリ１６７Ａに演算で求めた修正した指令速度が書き込まれる。
【０３４９】
次に、前述したステップＰ１４３で、従属ユニットの駆動制御装置に主ユニットの指令速度及び従属ユニットの仮想の現在位置を送信する時間間隔用メモリ１５７Ａより従属ユニットの駆動制御装置３０ａ〜３０ｄに主ユニットの指令速度及び従属ユニットの仮想の現在位置を送信する時間間隔が読み込まれたら、ステップＰ１４４で内部クロック・カウンタ１７４のカウント値が読み込まれる。次に、ステップＰ１４５で内部クロック・カウンタ１７４のカウント値が従属ユニットの駆動制御装置に主ユニットの指令速度及び従属ユニットの仮想の現在の位置を送信する時間間隔以上になったら、ステップＰ１４６で主ユニットのモータ軸位置検出用カウンタ１９５Ａからカウント値が読み込まれ、記憶される。
【０３５０】
次に、ステップＰ１４７で主ユニットのモータ軸位置検出用カウンタ１９５Ａのカウント値より主ユニットのモータ軸の現在位置が演算され、記憶されたら、ステップＰ１４８で従属ユニットの現在位置の補正値用メモリ１６０Ａより従属ユニットの現在位置の補正値が読み込まれる。次に、ステップＰ１４９で前記演算で求めた主ユニットのモータ軸の現在位置に、読込んだ従属ユニットの現在位置の補正値を加算し、従属ユニットのモータ軸の仮想の現在位置が演算され、記憶されてから、ステップＰ１５０で主ユニットの指令速度用メモリ１５５Ａより主ユニットの指令速度が読み込まれる。
【０３５１】
次に、ステップＰ１５１で従属ユニットの駆動制御装置３０ａ〜３０ｄに主ユニットの指令速度及び従属ユニットの仮想のモータ軸の現在位置が送信されたら、ステップＰ１５２で主ユニットの駆動モータ・ドライバ１８９Ａに指令速度が出力され、その後、ステップＰ１５３で各ユニットの駆動モータのロータリ・エンコーダ２９ａ〜２９ｅに接続されたＦ／Ｖ変換器１９１，１９３ａ〜１９３ｄの出力が読み込まれる。次に、ステップＰ１５４で前記読込んだ各印刷機の駆動モータのロータリ・エンコーダ２９ａ〜２９ｅに接続されたＦ／Ｖ変換器１９１，１９３ａ〜１９３ｄの出力より、現在の各ユニットの速度が演算され、記憶されたら、ステップＰ１５５で前記演算で求めた現在のすべてのユニットの速度がゼロか否かを判断する。
【０３５２】
前記ステップＰ１５５で否であれば前述したステップＰ１３３に戻り、可であればステップＰ１５６で従属ユニットの駆動制御装置３０ａ〜３０ｄに同期運転停止指令が送信される。次に、ステップＰ１５７で従属ユニットの駆動制御装置３０ａ〜３０ｄより同期運転停止信号が送信されたら、ステップＰ１５８で従属ユニットの駆動制御装置３０ａ〜３０ｄから同期運転停止信号を送信した従属ユニットの番号が受信され、記憶される。次に、ステップＰ１５９で同期運転停止信号を受信した従属ユニットの駆動モータ・ブレーキ用リレー１９７ａ〜１９７ｄに作動信号が出力されたら、ステップＰ１６０ですべての従属ユニットが同期運転停止したか否かを判断する。
【０３５３】
前記ステップＰ１６０で否であれば、前述したステップＰ１５７に戻り、可であればステップＰ１６１で主ユニットの駆動モータ・ドライバ１８９Ａの起動信号がＯＦＦされる。次に、ステップＰ１６２で主ユニットの駆動モータ・ブレーキ用回路１９６Ａに作動信号が出力されたら、ステップＰ１６３で同期運転スイッチがＯＦＦされる。尚、同期運転スイッチがＯＦＦされずに、ステップＰ１６４で印刷機駆動スイッチがＯＮされたら、前述したステップＰ３に戻る。
【０３５４】
このようにして本実施例では、印刷機の停止時には、駆動モータ２６ａ〜２６ｅによる同期制御を止めて同駆動モータ２６ａ〜２６ｅに付設された駆動モータ・ブレーキ２７ａ〜２７ｅを起動させることにより、主ユニットとしての折機１０と従属ユニットとしての第１〜第４ユニット３〜６の位相ズレが防止されて同期状態が保持される。
【０３５５】
この際、本実施例では、第１〜第４ユニット３〜６及び折機１０の速度をロータリ・エンコーダ２９ａ〜２９ｅで検出し、停止指令により速度がゼロになった場合、折機１０に対する第１〜第４ユニット３〜６の同期制御（運転）を解除し、それと同時に、第１〜第４ユニット３〜６及び折機１０の駆動モータ２６ａ〜２６ｅの駆動モータ・ブレーキ２７ａ〜２７ｅを起動させ、印刷機停止中は駆動モータ・ブレーキ２７ａ〜２７ｅで第１〜第４ユニット３〜６及び折機１０の回転を停止させるようになっている。
【０３５６】
これにより、印刷機の停止中にも駆動モータ２６ａ〜２６ｅ及び駆動モータ・ドライバ１８９Ａ，２３５Ａに電流を流さずに済み、消費電力の低減とモータ及びモータ軸受部の耐久性の向上が図れる。
【図面の簡単な説明】
【０３５７】
【図１】本発明の実施例１を示す複数の印刷機の同期制御装置の概略構成図である。
【図２】中央制御装置のブロック図である。
【図３】仮想マスタ・ジェネレータのブロック図である。
【図４】各印刷機の駆動制御装置のブロック図である。
【図５−ａ】中央制御装置の動作フロー図である。
【図５−ｂ】中央制御装置の動作フロー図である。
【図５−ｃ】中央制御装置の動作フロー図である。
【図６】中央制御装置の動作フロー図である。
【図７】中央制御装置の動作フロー図である。
【図８−ａ】仮想マスタ・ジェネレータの動作フロー図である。
【図８−ｂ】仮想マスタ・ジェネレータの動作フロー図である。
【図８−ｃ】仮想マスタ・ジェネレータの動作フロー図である。
【図９−ａ】仮想マスタ・ジェネレータの動作フロー図である。
【図９−ｂ】仮想マスタ・ジェネレータの動作フロー図である。
【図１０−ａ】仮想マスタ・ジェネレータの動作フロー図である。
【図１０−ｂ】仮想マスタ・ジェネレータの動作フロー図である。
【図１１】仮想マスタ・ジェネレータの動作フロー図である。
【図１２−ａ】各印刷機の駆動制御装置の動作フロー図である。
【図１２−ｂ】各印刷機の駆動制御装置の動作フロー図である。
【図１２−ｃ】各印刷機の駆動制御装置の動作フロー図である。
【図１３】各印刷機の駆動制御装置の動作フロー図である。
【図１４−ａ】各印刷機の駆動制御装置の動作フロー図である。
【図１４−ｂ】各印刷機の駆動制御装置の動作フロー図である。
【図１５】本発明の実施例２を示す印刷機の複数の各部の同期制御装置の概略構成図である。
【図１６】中央制御装置のブロック図である。
【図１７】仮想マスタ・ジェネレータのブロック図である。
【図１８】印刷機の各ユニットの駆動制御装置のブロック図である。
【図１９−ａ】中央制御装置の動作フロー図である。
【図１９−ｂ】中央制御装置の動作フロー図である。
【図１９−ｃ】中央制御装置の動作フロー図である。
【図２０】中央制御装置の動作フロー図である。
【図２１】中央制御装置の動作フロー図である。
【図２２−ａ】仮想マスタ・ジェネレータの動作フロー図である。
【図２２−ｂ】仮想マスタ・ジェネレータの動作フロー図である。
【図２２−ｃ】仮想マスタ・ジェネレータの動作フロー図である。
【図２３−ａ】仮想マスタ・ジェネレータの動作フロー図である。
【図２３−ｂ】仮想マスタ・ジェネレータの動作フロー図である。
【図２４−ａ】仮想マスタ・ジェネレータの動作フロー図である。
【図２４−ｂ】仮想マスタ・ジェネレータの動作フロー図である。
【図２５】仮想マスタ・ジェネレータの動作フロー図である。
【図２６−ａ】各印刷機の各ユニットの駆動制御装置の動作フロー図である。
【図２６−ｂ】各印刷機の各ユニットの駆動制御装置の動作フロー図である。
【図２６−ｃ】各印刷機の各ユニットの駆動制御装置の動作フロー図である。
【図２７】各印刷機の各ユニットの駆動制御装置の動作フロー図である。
【図２８−ａ】各印刷機の各ユニットの駆動制御装置の動作フロー図である。
【図２８−ｂ】各印刷機の各ユニットの駆動制御装置の動作フロー図である。
【図２９】本発明の実施例３を示す複数の印刷機の同期制御装置の概略構成図である。
【図３０】主印刷機の駆動制御装置のブロック図である。
【図３１】従属印刷機の駆動制御装置のブロック図である。
【図３２−ａ】主印刷機の駆動制御装置の動作フロー図である。
【図３２−ｂ】主印刷機の駆動制御装置の動作フロー図である。
【図３２−ｃ】主印刷機の駆動制御装置の動作フロー図である。
【図３２−ｄ】主印刷機の駆動制御装置の動作フロー図である。
【図３３−ａ】主印刷機の駆動制御装置の動作フロー図である。
【図３３−ｂ】主印刷機の駆動制御装置の動作フロー図である。
【図３３−ｃ】主印刷機の駆動制御装置の動作フロー図である。
【図３４−ａ】主印刷機の駆動制御装置の動作フロー図である。
【図３４−ｂ】主印刷機の駆動制御装置の動作フロー図である。
【図３５−ａ】主印刷機の駆動制御装置の動作フロー図である。
【図３５−ｂ】主印刷機の駆動制御装置の動作フロー図である。
【図３５−ｃ】主印刷機の駆動制御装置の動作フロー図である。
【図３６−ａ】従属印刷機の駆動制御装置の動作フロー図である。
【図３６−ｂ】従属印刷機の駆動制御装置の動作フロー図である。
【図３７】従属印刷機の駆動制御装置の動作フロー図である。
【図３８−ａ】従属印刷機の駆動制御装置の動作フロー図である。
【図３８−ｂ】従属印刷機の駆動制御装置の動作フロー図である。
【図３９】本発明の実施例４を示す印刷機の複数の各部の同期制御装置の概略構成図である。
【図４０】主ユニットの駆動制御装置のブロック図である。
【図４１】従属ユニットの駆動制御装置のブロック図である。
【図４２−ａ】主ユニットの駆動制御装置の動作フロー図である。
【図４２−ｂ】主ユニットの駆動制御装置の動作フロー図である。
【図４２−ｃ】主ユニットの駆動制御装置の動作フロー図である。
【図４２−ｄ】主ユニットの駆動制御装置の動作フロー図である。
【図４３−ａ】主ユニットの駆動制御装置の動作フロー図である。
【図４３−ｂ】主ユニットの駆動制御装置の動作フロー図である。
【図４３−ｃ】主ユニットの駆動制御装置の動作フロー図である。
【図４４−ａ】主ユニットの駆動制御装置の動作フロー図である。
【図４４−ｂ】主ユニットの駆動制御装置の動作フロー図である。
【図４５−ａ】主ユニットの駆動制御装置の動作フロー図である。
【図４５−ｂ】主ユニットの駆動制御装置の動作フロー図である。
【図４５−ｃ】主ユニットの駆動制御装置の動作フロー図である。
【図４６−ａ】従属ユニットの駆動制御装置の動作フロー図である。
【図４６−ｂ】従属ユニットの駆動制御装置の動作フロー図である。
【図４７】従属ユニットの駆動制御装置の動作フロー図である。
【図４８−ａ】従属ユニットの駆動制御装置の動作フロー図である。
【図４８−ｂ】従属ユニットの駆動制御装置の動作フロー図である。
【図４９】本発明の実施例５を示す中央制御装置のブロック図である。
【図５０−ａ】中央制御装置の動作フロー図である。
【図５０−ｂ】中央制御装置の動作フロー図である。
【図５０−ｃ】中央制御装置の動作フロー図である。
【図５１】中央制御装置の動作フロー図である。
【図５２】中央制御装置の動作フロー図である。
【図５３】本発明の実施例６を示す中央制御装置のブロック図である。
【図５４−ａ】中央制御装置の動作フロー図である。
【図５４−ｂ】中央制御装置の動作フロー図である。
【図５４−ｃ】中央制御装置の動作フロー図である。
【図５５】中央制御装置の動作フロー図である。
【図５６】中央制御装置の動作フロー図である。
【図５７】本発明の実施例７を示す主印刷機の駆動制御装置のブロック図である。
【図５８−ａ】主印刷機の駆動制御装置の動作フロー図である。
【図５８−ｂ】主印刷機の駆動制御装置の動作フロー図である。
【図５８−ｃ】主印刷機の駆動制御装置の動作フロー図である。
【図５８−ｄ】主印刷機の駆動制御装置の動作フロー図である。
【図５９−ａ】主印刷機の駆動制御装置の動作フロー図である。
【図５９−ｂ】主印刷機の駆動制御装置の動作フロー図である。
【図５９−ｃ】主印刷機の駆動制御装置の動作フロー図である。
【図６０−ａ】主印刷機の駆動制御装置の動作フロー図である。
【図６０−ｂ】主印刷機の駆動制御装置の動作フロー図である。
【図６１−ａ】主印刷機の駆動制御装置の動作フロー図である。
【図６１−ｂ】主印刷機の駆動制御装置の動作フロー図である。
【図６１−ｃ】主印刷機の駆動制御装置の動作フロー図である。
【図６２】本発明の実施例８を示す主ユニットの駆動制御装置のブロック図である。
【図６３−ａ】主ユニットの駆動制御装置の動作フロー図である。
【図６３−ｂ】主ユニットの駆動制御装置の動作フロー図である。
【図６３−ｃ】主ユニットの駆動制御装置の動作フロー図である。
【図６３−ｄ】主ユニットの駆動制御装置の動作フロー図である。
【図６４−ａ】主ユニットの駆動制御装置の動作フロー図である。
【図６４−ｂ】主ユニットの駆動制御装置の動作フロー図である。
【図６４−ｃ】主ユニットの駆動制御装置の動作フロー図である。
【図６５−ａ】主ユニットの駆動制御装置の動作フロー図である。
【図６５−ｂ】主ユニットの駆動制御装置の動作フロー図である。
【図６６−ａ】主ユニットの駆動制御装置の動作フロー図である。
【図６６−ｂ】主ユニットの駆動制御装置の動作フロー図である。
【図６６−ｃ】主ユニットの駆動制御装置の動作フロー図である。
【符号の説明】
【０３５８】
１，１０１  給紙部、２，１０２  インフィード部、３〜６，１０３〜１０６  第１〜第４（印刷）ユニット、７，１０７  乾燥機、８，１０８  クーリング部、９，１０９  ドラッグ部、１０，１１０  折機、１１，１１１  機械軸（ラインシャフト）、１２  中央制御装置（制御手段）、１３  仮想マスタ・ジェネレータ、１４，１１４  駆動制御装置、１５，１１５  原動モータ（第１，第２の駆動用モータ）、１６，１１６  原動モータ・ブレーキ（制動手段）、１７，１１７  機械原点位置検出器、１８，１１８  ロータリ・エンコーダ（速度検出手段）、１９  主印刷機の駆動制御装置、２０  従属印刷機の駆動制御装置、２１〜２５  駆動制御装置、２６ａ〜２６ｅ  駆動モータ（駆動用モータ）、２７ａ〜２７ｅ  駆動モータ・ブレーキ（制動手段）、２８ａ〜２８ｅ  機械原点位置検出器、２９ａ〜２９ｅ  ロータリ・エンコーダ（速度検出手段）、３０ａ〜３０ｄ  従属ユニットの駆動制御装置、３１  主ユニットの駆動制御装置、４０  ＣＰＵ、４１  ＲＯＭ、４２  ＲＡＭ、４３  印刷機の緩動速度用メモリ、４４  設定速度用メモリ、４５  原点合わせ準備時間用メモリ、４６  仮想マスタ・ジェネレータに設定速度を送信する時間間隔用メモリ、４７  印刷機の原動モータのブレーキを作動させる印刷機の速度用メモリ、４７Ａ  印刷機のユニットの駆動モータのブレーキを作動させる印刷機のユニットの速度用メモリ、４８  現在の各印刷機の速度用メモリ、４８Ａ  現在の印刷機の各ユニットの速度用メモリ、４９  同期運転停止した印刷機の番号用メモリ、４９Ａ  同期運転停止した印刷機ユニットの番号用メモリ、５０  内部クロック・カウンタ、５１〜５４  入出力装置、５５  インタフェース、５６  母線（ＢＵＳ）、５７  入力装置、５８  表示器、５９  出力装置、６０  速度設定器、６１  第１印刷機の原動モータ・ブレーキ用回路、６１ａ〜６１ｄ  第１〜第４ユニットの駆動モータ・ブレーキ用回路、６２  第２印刷機の原動モータ・ブレーキ用回路、６３，６３ａ〜６３ｂ  Ａ／Ｄ変換器、６４，６４ａ〜６４ｄ  Ｆ／Ｖ変換器、６５  Ａ／Ｄ変換器、６６  Ｆ／Ｖ変換器、７０  ＣＰＵ、７１  ＲＯＭ、７２  ＲＡＭ、７３  現在の設定速度用メモリ、７４  前回の設定速度用メモリ、７５  仮想の機械軸の現在位置用メモリ、７６  各印刷機の現在位置の補正値用メモリ、７６Ａ  印刷機の各ユニットの現在位置の補正値用メモリ、７７  修正した各印刷機の仮想の機械軸の現在位置用メモリ、７７Ａ  修正した印刷機の各ユニットの仮想の機械軸の現在位置用メモリ、７８  仮想マスタ・ジェネレータに設定速度を送信する時間間隔用メモリ、７９  仮想の現在位置の修正値用メモリ、８０  修正した仮想の機械軸の現在位置用メモリ、８１  機械軸の原点合わせ完了信号を受信した印刷機の番号用メモリ、８１Ａ  機械軸の原点合わせ完了信号を受信した印刷機のユニットの番号用メモリ、８２  仮想のモータ軸の現在位置用メモリ、８３  仮想のモータ軸の現在位置の修正値用メモリ、８４  修正した仮想のモータ軸の現在位置用メモリ、８５  修正した各印刷機の仮想のモータ軸の現在位置用メモリ、８５Ａ  修正した印刷機の各ユニットの仮想のモータ軸の現在位置用メモリ、８６  モータ軸の原点合わせ完了信号���受信した印刷機の番号用メモリ、８６Ａ  モータ軸の原点合わせ完了信号を受信した印刷機のユニットの番号用メモリ、８７  増速時の速度修正値用メモリ、８８  減速時の速度修正値用メモリ、８９  同期運転停止信号を受信した印刷機の番号用メモリ、８９Ａ  同期運転停止信号を受信した印刷機のユニットの番号用メモリ、９０  インタフェース、９１  母線（ＢＵＳ）、１２０  ＣＰＵ、１２１  ＲＯＭ、１２２  ＲＡＭ、１２３  現在の設定速度用メモリ、１２４  指令速度用メモリ、１２５  仮想の機械軸の現在位置用メモリ、１２６  機械軸位置検出用カウンタのカウント値用メモリ、１２７  機械軸の現在位置用メモリ、１２８  機械軸の現在位置の差用メモリ、１２９  機械軸の現在位置の差の絶対値用メモリ、１３０  機械軸の位置の差の許容値用メモリ、１３１  機械軸の現在位置の差−設定速度の補正値変換テーブル用メモリ、１３２  設定速度の補正値用メモリ、１３３  仮想のモータ軸の現在位置用メモリ、１３４  モータ軸位置検出用カウンタのカウント値用メモリ、１３５  モータ軸の現在位置用メモリ、１３６  モータ軸の現在位置の差用メモリ、１３７  モータ軸の現在位置の差の絶対値用メモリ、１３８  モータ軸の位置の差の許容値用メモリ、１３９  モータ軸の現在位置の差−設定速度の補正値変換テーブル用メモリ、１４０〜１４２  入出力装置、１４３  インタフェース、１４４  母線（ＢＵＳ）、１４５  Ｄ／Ａ変換器、１４６  印刷機の原動モータ・ドライバ、１４６Ａ  印刷機のユニットの駆動モータ・ドライバ、１４７  機械軸位置検出用カウンタ、１４８  モータ軸位置検出用カウンタ、１５０  ＣＰＵ、１５１ＲＯＭ、１５２  ＲＡＭ、１５３  緩動速度用メモリ、１５４  主印刷機の設定速度用メモリ、１５５  主印刷機の指令速度用メモリ、１５６  原点合わせ準備時間用メモリ、１５７  従属印刷機の駆動制御装置に主印刷機の指令速度及び従属印刷機の仮想の現在位置を送信する時間間隔用メモリ、１５８  主印刷機の機械軸位置検出用カウンタのカウント値用メモリ、１５９  主印刷機の機械軸の現在位置用メモリ、１６０  従属印刷機の現在位置の補正値用メモリ、１６１  従属印刷機の機械軸の仮想の現在位置用メモリ、１６２  機械軸の原点合わせ完了信号を受信した従属印刷機の番号用メモリ、１６３  主印刷機のモータ軸位置検出用カウンタのカウント値用メモリ、１６４  主印刷機のモータ軸の現在位置用メモリ、１６５  従属印刷機のモータ軸の仮想の現在位置用メモリ、１６６  モータ軸の原点合わせ完了信号を受信した従属印刷機の番号用メモリ、１６７  主印刷機の前回の指令速度用メモリ、１６８  増速時の速度修正値用メモリ、１６９  減速時の速度修正値用メモリ、１７０  修正した主印刷機の指令速度用メモリ、１７１  印刷機の原動モータのブレーキを作動させる印刷機の速度用メモリ、１７２  現在の各印刷機の速度用メモリ、１７３  同期運転停止信号を受信した従属印刷機の番号用メモリ、１７４  内部クロック・カウンタ、１７５〜１８１  各入出力装置、１８２  インタフェース、１８３  母線（ＢＵＳ）、１８４  入力装置、１８５  表示器、１８６  出力装置、１８７  速度設定器、１８８  Ｄ／Ａ変換器、１８９  主印刷機の原動モータ・ドライバ、１９０  Ａ／Ｄ変換器、１９１  Ｆ／Ｖ変換器、１９２  Ａ／Ｄ変換器、１９３  Ｆ／Ｖ変換器、１９４  主印刷機の機械軸位置検出用カウンタ、１９５  主印刷機のモータ軸位置検出用カウンタ、１９６  主印刷機の原動モータ・ブレーキ用回路、１９７  従属印刷機の原動モータ・ブレーキ用回路、２００  ＣＰＵ、２０１  ＲＯＭ、２０２  ＲＡＭ、２０３  主印刷機の指令速度用メモリ、２０４  従属印刷機の指令速度用メモリ、２０５  従属印刷機の機械軸の仮想の現在位置用メモリ、２０６  従属印刷機の機械軸位置検出用カウンタのカウント値用メモリ、２０７  従属印刷機の機械軸の現在位置用メモリ、２０８  機械軸の現在位置の差用メモリ、２０９  機械軸の現在位置の差の絶対値用メモリ、２１０  機械軸の位置の差の許容値用メモリ、２１１  機械軸の現在位置の差−指令速度の補正値変換テーブル用メモリ、２１２  従属印刷機の指令速度の補正値用メモリ、２１３  従属印刷機のモータ軸の仮想の現在位置用メモリ、２１４  従属印刷機のモータ軸位置検出用カウンタのカウント値用メモリ、２１５  従属印刷機のモータ軸の現在位置用メモリ、２１６  モータ軸の現在位置の差用メモリ、２１７  モータ軸の現在位置の差の絶対値用メモリ、２１８  モータ軸の位置の差の許容値用メモリ、２１９  モータ軸の現在位置の差−指令速度の補正値変換テーブル用メモリ、２２０  内部クロック・カウンタ、２２１〜２２７  各入出力装置、２２８  インタフェース、２２９  母線（ＢＵＳ）、２３０  入力装置、２３１  表示器、２３２  出力装置、２３３  速度設定器、２３４  Ｄ／Ａ変換器、２３５  従属印刷機の原動モータ・ドライバ、２３６  Ａ／Ｄ変換器、２３７  Ｆ／Ｖ変換器、２３８  従属印刷機の機械軸位置検出用カウンタ、２３９  従属印刷機のモータ軸位置検出用カウンタ、２４０  従属印刷機の原動モータ・ブレーキ用回路、１５４Ａ  主ユニットの設定速度用メモリ、１５５Ａ  主ユニットの指令速度用メモリ、１５７Ａ  従属ユニットの駆動制御装置に主ユニットの指令速度及び従属ユニットの仮想の現在位置を送信する時間間隔用メモリ、１５８Ａ  主ユニットの機械軸位置検出用カウンタのカウント値用メモリ、１５９Ａ  主ユニットの機械軸の現在位置用メモリ、１６０Ａ  従属ユニットの現在位置の補正値用メモリ、１６１Ａ  従属ユニットの機械軸の仮想の現在位置用メモリ、１６２Ａ  機械軸の原点合わせ完了信号を受信した従属ユニットの番号用メモリ、１６３Ａ  主ユニットのモータ軸位置検出用カウンタのカウント値用メモリ、１６４Ａ  主ユニットのモータ軸の現在位置用メモリ、１６５Ａ  従属ユニットのモータ軸の仮想の現在位置用メモリ、１６６Ａ  モータ軸の原点合わせ完了信号を受信した従属ユニットの番号用メモリ、１６７Ａ  主ユニットの前回の指令速度用メモリ、１６８Ａ  増速時の速度修正値用メモリ、１６９Ａ  減速時の速度修正値用メモリ、１７０Ａ  修正した主ユニットの指令速度用メモリ、１７１Ａ  印刷機のユニットの駆動モータのブレーキを作動させる印刷機のユニットの速度用メモリ、１７２Ａ  現在の印刷機の各ユニットの速度用メモリ、１７３Ａ  同期運転停止信号を受信した従属ユニットの番号用メモリ、１８９Ａ  主ユニットの駆動モータ・ドライバ、１９２ａ〜１９２ｄ  Ａ／Ｄ変換器、１９３ａ〜１９３ｄ  Ｆ／Ｖ変換器、１９４Ａ  主ユニットの機械軸位置検出用カウンタ、１９５Ａ  主ユニットのモータ軸位置検出用カウンタ、１９６Ａ  主ユニットの駆動モータ・ブレーキ用回路、１９７ａ〜１９７ｄ  従属ユニットの駆動モータ・ブレーキ用回路、２０３Ａ  主ユニットの指令速度用メモリ、２０４Ａ  従属ユニットの指令速度用メモリ、２０５Ａ  従属ユニットの機械軸の仮想の現在位置用メモリ、２０６Ａ  従属ユニットの機械軸位置検出用カウンタのカウント値用メモリ、２０７Ａ  従属ユニットの機械軸の現在位置用メモリ、２０８Ａ  機械軸の現在位置の差用メモリ、２０９Ａ  機械軸の現在位置の差の絶対値用メモリ、２１０Ａ  機械軸の位置の差の許容値用メモリ、２１１Ａ  機械軸の現在位置の差−指令速度の補正値変換テーブル用メモリ、２１２Ａ  従属ユニットの指令速度の補正値用メモリ、２１３Ａ  従属ユニットのモータ軸の仮想の現在位置用メモリ、２１４Ａ  従属ユニットのモータ軸位置検出用カウンタのカウント値用メモリ、２１５Ａ  従属ユニットのモータ軸の現在位置用メモリ、２１６Ａ  モータ軸の現在位置の差用メモリ、２３５Ａ  従属ユニットの駆動モータ・ドライバ、２３８Ａ  従属ユニットの機械軸位置検出用カウンタ、２３９Ａ  従属ユニットのモータ軸位置検出用カウンタ、２４０Ａ  従属ユニットの駆動モータ・ブレーキ用回路、Ａ  第１印刷機，主印刷機、Ｂ  第２印刷機，従属印刷機、Ｗ，Ｗ１，Ｗ２  巻取紙（ウェブ）。
【図１】
2005304109.tif 000003
【図２】
2005304109.tif 000004
【図３】
2005304109.tif 000005
【図４】
2005304109.tif 000006
【図５−ａ】
2005304109.tif 000007
【図５−ｂ】
2005304109.tif 000008
【図５−ｃ】
2005304109.tif 000009
【図６】
2005304109.tif 000010
【図７】
2005304109.tif 000011
【図８−ａ】
2005304109.tif 000012
【図８−ｂ】
2005304109.tif 000013
【図８−ｃ】
2005304109.tif 000014
【図９−ａ】
2005304109.tif 000015
【図９−ｂ】
2005304109.tif 000016
【図１０−ａ】
2005304109.tif 000017
【図１０−ｂ】
2005304109.tif 000018
【図１１】
2005304109.tif 000019
【図１２−ａ】
2005304109.tif 000020
【図１２−ｂ】
2005304109.tif 000021
【図１２−ｃ】
2005304109.tif 000022
【図１３】
2005304109.tif 000023
【図１４−ａ】
2005304109.tif 000024
【図１４−ｂ】
2005304109.tif 000025
【図１５】
2005304109.tif 000026
【図１６】
2005304109.tif 000027
【図１７】
2005304109.tif 000028
【図１８】
2005304109.tif 000029
【図１９−ａ】
2005304109.tif 000030
【図１９−ｂ】
2005304109.tif 000031
【図１９−ｃ】
2005304109.tif 000032
【図２０】
2005304109.tif 000033
【図２１】
2005304109.tif 000034
【図２２−ａ】
2005304109.tif 000035
【図２２−ｂ】
2005304109.tif 000036
【図２２−ｃ】
2005304109.tif 000037
【図２３−ａ】
2005304109.tif 000038
【図２３−ｂ】
2005304109.tif 000039
【図２４−ａ】
2005304109.tif 000040
【図２４−ｂ】
2005304109.tif 000041
【図２５】
2005304109.tif 000042
【図２６−ａ】
2005304109.tif 000043
【図２６−ｂ】
2005304109.tif 000044
【図２６−ｃ】
2005304109.tif 000045
【図２７】
2005304109.tif 000046
【図２８−ａ】
2005304109.tif 000047
【図２８−ｂ】
2005304109.tif 000048
【図２９】
2005304109.tif 000049
【図３０】
2005304109.tif 000050
【図３１】
2005304109.tif 000051
【図３２−ａ】
2005304109.tif 000052
【図３２−ｂ】
2005304109.tif 000053
【図３２−ｃ】
2005304109.tif 000054
【図３２−ｄ】
2005304109.tif 000055
【図３３−ａ】
2005304109.tif 000056
【図３３−ｂ】
2005304109.tif 000057
【図３３−ｃ】
2005304109.tif 000058
【図３４−ａ】
2005304109.tif 000059
【図３４−ｂ】
2005304109.tif 000060
【図３５−ａ】
2005304109.tif 000061
【図３５−ｂ】
2005304109.tif 000062
【図３５−ｃ】
2005304109.tif 000063
【図３６−ａ】
2005304109.tif 000064
【図３６−ｂ】
2005304109.tif 000065
【図３７】
2005304109.tif 000066
【図３８−ａ】
2005304109.tif 000067
【図３８−ｂ】
2005304109.tif 000068
【図３９】
2005304109.tif 000069
【図４０】
2005304109.tif 000070
【図４１】
2005304109.tif 000071
【図４２−ａ】
2005304109.tif 000072
【図４２−ｂ】
2005304109.tif 000073
【図４２−ｃ】
2005304109.tif 000074
【図４２−ｄ】
2005304109.tif 000075
【図４３−ａ】
2005304109.tif 000076
【図４３−ｂ】
2005304109.tif 000077
【図４３−ｃ】
2005304109.tif 000078
【図４４−ａ】
2005304109.tif 000079
【図４４−ｂ】
2005304109.tif 000080
【図４５−ａ】
2005304109.tif 000081
【図４５−ｂ】
2005304109.tif 000082
【図４５−ｃ】
2005304109.tif 000083
【図４６−ａ】
2005304109.tif 000084
【図４６−ｂ】
2005304109.tif 000085
【図４７】
2005304109.tif 000086
【図４８−ａ】
2005304109.tif 000087
【図４８−ｂ】
2005304109.tif 000088
【図４９】
2005304109.tif 000089
【図５０−ａ】
2005304109.tif 000090
【図５０−ｂ】
2005304109.tif 000091
【図５０−ｃ】
2005304109.tif 000092
【図５１】
2005304109.tif 000093
【図５２】
2005304109.tif 000094
【図５３】
2005304109.tif 000095
【図５４−ａ】
2005304109.tif 000096
【図５４−ｂ】
2005304109.tif 000097
【図５４−ｃ】
2005304109.tif 000098
【図５５】
2005304109.tif 000099
【図５６】
2005304109.tif 000100
【図５７】
2005304109.tif 000101
【図５８−ａ】
2005304109.tif 000102
【図５８−ｂ】
2005304109.tif 000103
【図５８−ｃ】
2005304109.tif 000104
【図５８−ｄ】
2005304109.tif 000105
【図５９−ａ】
2005304109.tif 000106
【図５９−ｂ】
2005304109.tif 000107
【図５９−ｃ】
2005304109.tif 000108
【図６０−ａ】
2005304109.tif 000109
【図６０−ｂ】
2005304109.tif 000110
【図６１−ａ】
2005304109.tif 000111
【図６１−ｂ】
2005304109.tif 000112
【図６１−ｃ】
2005304109.tif 000113
【図６２】
2005304109.tif 000114
【図６３−ａ】
2005304109.tif 000115
【図６３−ｂ】
2005304109.tif 000116
【図６３−ｃ】
2005304109.tif 000117
【図６３−ｄ】
2005304109.tif 000118
【図６４−ａ】
2005304109.tif 000119
【図６４−ｂ】
2005304109.tif 000120
【図６４−ｃ】
2005304109.tif 000121
【図６５−ａ】
2005304109.tif 000122
【図６５−ｂ】
2005304109.tif 000123
【図６６−ａ】
2005304109.tif 000124
【図６６−ｂ】
2005304109.tif 000125
【図６６−ｃ】
2005304109.tif 000126
【手続補正書】
【提出日】平成16年6月15日(2004.6.15)
【手続補正１】
【補正対象書類名】明細書
【補正対象項目名】０１８４
【補正方法】変更
【補正の内容】
【０１８４】
前述したステップＰ４９で主印刷機の駆動制御装置１９より主印刷機の指令速度及び従属印刷機のモータ軸の仮想の現在位置が送信されたか否かを判断し、ここで、否であればステップＰ６６で、主印刷機の駆動制御装置１９より同期運転停止指令が送信されたか否かを判断する。ここで、可であればステップＰ６７で、主印刷機の駆動制御装置１９から同期運転停止指令が受信される。次に、ステップＰ６８で従属印刷機の原動モータ・ドライバ２３５の起動信号がＯＦＦされると、ステップＰ６９で主印刷機の駆動制御装置１９に同期運転停止信号が送信され、ステップＰ１に戻る。一方、前記ステップＰ６６で否であれば、直ぐステップＰ１に戻る。
【手続補正２】
【補正対象書類名】明細書
【補正対象項目名】０２２９
【補正方法】変更
【補正の内容】
【０２２９】
前記ステップＰ１６１で否であれば、前述したステップＰ１５８に戻り、可であればステップＰ１６２で主ユニットの駆動モータ・ドライバ１８９Ａの起動信号がＯＦＦされる。次に、ステップＰ１６３で主ユニットの駆動モータ・ブレーキ用回路１９６Ａに作動信号が出力されたら、ステップＰ１６４で同期運転スイッチがＯＦＦされる。尚、同期運転スイッチがＯＦＦされずに、ステップＰ１６５で印刷機駆動スイッチがＯＮされたら、前述したステップＰ３に戻る。
【手続補正３】
【補正対象書類名】明細書
【補正対象項目名】０２４２
【補正方法】変更
【補正の内容】
【０２４２】
前記ステップＰ４９で可であれば、ステップＰ５０で主ユニットの駆動制御装置３１から主ユニットの指令速度及び従属ユニットのモータ軸の仮想の現在位置が受信され、記憶される。次に、ステップＰ５１で従属ユニットのモータ軸位置検出用カウンタ２３９Ａよりカウント値が読み込まれ、記憶されたら、ステップＰ５２で前記読込んだ従属ユニットのモータ軸位置検出用カウンタ２３９Ａのカウント値より従属ユニットのモータ軸の現在位置が演算され、記憶される。
【手続補正４】
【補正対象書類名】明細書
【補正対象項目名】０３５８
【補正方法】変更
【補正の内容】
【０３５８】
１，１０１  給紙部、２，１０２  インフィード部、３〜６，１０３〜１０６  第１〜第４（印刷）ユニット、７，１０７  乾燥機、８，１０８  クーリング部、９，１０９  ドラッグ部、１０，１１０  折機、１１，１１１  機械軸（ラインシャフト）、１２  中央制御装置（制御手段）、１３  仮想マスタ・ジェネレータ、１４，１１４  駆動制御装置、１５，１１５  原動モータ（第１，第２の駆動用モータ）、１６，１１６  原動モータ・ブレーキ（制動手段）、１７，１１７  機械原点位置検出器、１８，１１８  ロータリ・エンコーダ（速度検出手段）、１９  主印刷機の駆動制御装置、２０  従属印刷機の駆動制御装置、２１〜２５  駆動制御装置、２６ａ〜２６ｅ  駆動モータ（駆動用モータ）、２７ａ〜２７ｅ  駆動モータ・ブレーキ（制動手段）、２８ａ〜２８ｅ  機械原点位置検出器、２９ａ〜２９ｅ  ロータリ・エンコーダ（速度検出手段）、３０ａ〜３０ｄ  従属ユニットの駆動制御装置、３１  主ユニットの駆動制御装置、４０  ＣＰＵ、４１  ＲＯＭ、４２  ＲＡＭ、４３  印刷機の緩動速度用メモリ、４４  設定速度用メモリ、４５  原点合わせ準備時間用メモリ、４６  仮想マスタ・ジェネレータに設定速度を送信する時間間隔用メモリ、４７  印刷機の原動モータのブレーキを作動させる印刷機の速度用メモリ、４７Ａ  印刷機のユニットの駆動モータのブレーキを作動させる印刷機のユニットの速度用メモリ、４８  現在の各印刷機の速度用メモリ、４８Ａ  現在の印刷機の各ユニットの速度用メモリ、４９  同期運転停止した印刷機の番号用メモリ、４９Ａ  同期運転停止した印刷機のユニットの番号用メモリ、５０  内部クロック・カウンタ、５１〜５４  入出力装置、５５  インタフェース、５６  母線（ＢＵＳ）、５７  入力装置、５８  表示器、５９  出力装置、６０  速度設定器、６１  第１印刷機の原動モータ・ブレーキ用回路、６１ａ〜６１ｄ  第１〜第４ユニットの駆動モータ・ブレーキ用回路、６２  第２印刷機の原動モータ・ブレーキ用回路、６３，６３ａ〜６３ｂ  Ａ／Ｄ変換器、６４，６４ａ〜６４ｄ  Ｆ／Ｖ変換器、６５  Ａ／Ｄ変換器、６６  Ｆ／Ｖ変換器、７０  ＣＰＵ、７１  ＲＯＭ、７２  ＲＡＭ、７３  現在の設定速度用メモリ、７４  前回の設定速度用メモリ、７５  仮想の機械軸の現在位置用メモリ、７６  各印刷機の現在位置の補正値用メモリ、７６Ａ  印刷機の各ユニットの現在位置の補正値用メモリ、７７  修正した各印刷機の仮想の機械軸の現在位置用メモリ、７７Ａ  修正した印刷機の各ユニットの仮想の機械軸の現在位置用メモリ、７８  仮想マスタ・ジェネレータに設定速度を送信する時間間隔用メモリ、７９  仮想の現在位置の修正値用メモリ、８０  修正した仮想の機械軸の現在位置用メモリ、８１  機械軸の原点合わせ完了信号を受信した印刷機の番号用メモリ、８１Ａ  機械軸の原点合わせ完了信号を受信した印刷機のユニットの番号用メモリ、８２  仮想のモータ軸の現在位置用メモリ、８３  仮想のモータ軸の現在位置の修正値用メモリ、８４  修正した仮想のモータ軸の現在位置用メモリ、８５  修正した各印刷機の仮想のモータ軸の現在位置用メモリ、８５Ａ  修正した印刷機の各ユニットの仮想のモータ軸の現在位置用メモリ、８６  モータ軸の原点合わせ完了信���を受信した印刷機の番号用メモリ、８６Ａ  モータ軸の原点合わせ完了信号を受信した印刷機のユニットの番号用メモリ、８７  増速時の速度修正値用メモリ、８８  減速時の速度修正値用メモリ、８９  同期運転停止信号を受信した印刷機の番号用メモリ、８９Ａ  同期運転停止信号を受信した印刷機のユニットの番号用メモリ、９０  インタフェース、９１  母線（ＢＵＳ）、１２０  ＣＰＵ、１２１  ＲＯＭ、１２２  ＲＡＭ、１２３  現在の設定速度用メモリ、１２４  指令速度用メモリ、１２５  仮想の機械軸の現在位置用メモリ、１２６  機械軸位置検出用カウンタのカウント値用メモリ、１２７  機械軸の現在位置用メモリ、１２８  機械軸の現在位置の差用メモリ、１２９  機械軸の現在位置の差の絶対値用メモリ、１３０  機械軸の位置の差の許容値用メモリ、１３１  機械軸の現在位置の差−設定速度の補正値変換テーブル用メモリ、１３２  設定速度の補正値用メモリ、１３３  仮想のモータ軸の現在位置用メモリ、１３４  モータ軸位置検出用カウンタのカウント値用メモリ、１３５  モータ軸の現在位置用メモリ、１３６  モータ軸の現在位置の差用メモリ、１３７  モータ軸の現在位置の差の絶対値用メモリ、１３８  モータ軸の位置の差の許容値用メモリ、１３９  モータ軸の現在位置の差−設定速度の補正値変換テーブル用メモリ、１４０〜１４２  入出力装置、１４３  インタフェース、１４４  母線（ＢＵＳ）、１４５  Ｄ／Ａ変換器、１４６  印刷機の原動モータ・ドライバ、１４６Ａ  印刷機のユニットの駆動モータ・ドライバ、１４７  機械軸位置検出用カウンタ、１４８  モータ軸位置検出用カウンタ、１５０  ＣＰＵ、１５１ＲＯＭ、１５２  ＲＡＭ、１５３  緩動速度用メモリ、１５４  主印刷機の設定速度用メモリ、１５５  主印刷機の指令速度用メモリ、１５６  原点合わせ準備時間用メモリ、１５７  従属印刷機の駆動制御装置に主印刷機の指令速度及び従属印刷機の仮想の現在位置を送信する時間間隔用メモリ、１５８  主印刷機の機械軸位置検出用カウンタのカウント値用メモリ、１５９  主印刷機の機械軸の現在位置用メモリ、１６０  従属印刷機の現在位置の補正値用メモリ、１６１  従属印刷機の機械軸の仮想の現在位置用メモリ、１６２  機械軸の原点合わせ完了信号を受信した従属印刷機の番号用メモリ、１６３  主印刷機のモータ軸位置検出用カウンタのカウント値用メモリ、１６４  主印刷機のモータ軸の現在位置用メモリ、１６５  従属印刷機のモータ軸の仮想の現在位置用メモリ、１６６  モータ軸の原点合わせ完了信号を受信した従属印刷機の番号用メモリ、１６７  主印刷機の前回の指令速度用メモリ、１６８  増速時の速度修正値用メモリ、１６９  減速時の速度修正値用メモリ、１７０  修正した主印刷機の指令速度用メモリ、１７１  印刷機の原動モータのブレーキを作動させる印刷機の速度用メモリ、１７２  現在の各印刷機の速度用メモリ、１７３  同期運転停止信号を受信した従属印刷機の番号用メモリ、１７４  内部クロック・カウンタ、１７５〜１８１  各入出力装置、１８２  インタフェース、１８３  母線（ＢＵＳ）、１８４  入力装置、１８５  表示器、１８６  出力装置、１８７  速度設定器、１８８  Ｄ／Ａ変換器、１８９  主印刷機の原動モータ・ドライバ、１９０  Ａ／Ｄ変換器、１９１  Ｆ／Ｖ変換器、１９２  Ａ／Ｄ変換器、１９３  Ｆ／Ｖ変換器、１９４  主印刷機の機械軸位置検出用カウンタ、１９５  主印刷機のモータ軸位置検出用カウンタ、１９６  主印刷機の原動モータ・ブレーキ用回路、１９７  従属印刷機の原動モータ・ブレーキ用回路、２００  ＣＰＵ、２０１  ＲＯＭ、２０２  ＲＡＭ、２０３  主印刷機の指令速度用メモリ、２０４  従属印刷機の指令速度用メモリ、２０５  従属印刷機の機械軸の仮想の現在位置用メモリ、２０６  従属印刷機の機械軸位置検出用カウンタのカウント値用メモリ、２０７  従属印刷機の機械軸の現在位置用メモリ、２０８  機械軸の現在位置の差用メモリ、２０９  機械軸の現在位置の差の絶対値用メモリ、２１０  機械軸の位置の差の許容値用メモリ、２１１  機械軸の現在位置の差−指令速度の補正値変換テーブル用メモリ、２１２  従属印刷機の指令速度の補正値用メモリ、２１３  従属印刷機のモータ軸の仮想の現在位置用メモリ、２１４  従属印刷機のモータ軸位置検出用カウンタのカウント値用メモリ、２１５  従属印刷機のモータ軸の現在位置用メモリ、２１６  モータ軸の現在位置の差用メモリ、２１７  モータ軸の現在位置の差の絶対値用メモリ、２１８  モータ軸の位置の差の許容値用メモリ、２１９  モータ軸の現在位置の差−指令速度の補正値変換テーブル用メモリ、２２０  内部クロック・カウンタ、２２１〜２２７  各入出力装置、２２８  インタフェース、２２９  母線（ＢＵＳ）、２３０  入力装置、２３１  表示器、２３２  出力装置、２３３  速度設定器、２３４  Ｄ／Ａ変換器、２３５  従属印刷機の原動モータ・ドライバ、２３６  Ａ／Ｄ変換器、２３７  Ｆ／Ｖ変換器、２３８  従属印刷機の機械軸位置検出用カウンタ、２３９  従属印刷機のモータ軸位置検出用カウンタ、２４０  従属印刷機の原動モータ・ブレーキ用回路、１５４Ａ  主ユニットの設定速度用メモリ、１５５Ａ  主ユニットの指令速度用メモリ、１５７Ａ  従属ユニットの駆動制御装置に主ユニットの指令速度及び従属ユニットの仮想の現在位置を送信する時間間隔用メモリ、１５８Ａ  主ユニットの機械軸位置検出用カウンタのカウント値用メモリ、１５９Ａ  主ユニットの機械軸の現在位置用メモリ、１６０Ａ  従属ユニットの現在位置の補正値用メモリ、１６１Ａ  従属ユニットの機械軸の仮想の現在位置用メモリ、１６２Ａ  機械軸の原点合わせ完了信号を受信した従属ユニットの番号用メモリ、１６３Ａ  主ユニットのモータ軸位置検出用カウンタのカウント値用メモリ、１６４Ａ  主ユニットのモータ軸の現在位置用メモリ、１６５Ａ  従属ユニットのモータ軸の仮想の現在位置用メモリ、１６６Ａ  モータ軸の原点合わせ完了信号を受信した従属ユニットの番号用メモリ、１６７Ａ  主ユニットの前回の指令速度用メモリ、１６８Ａ  増速時の速度修正値用メモリ、１６９Ａ  減速時の速度修正値用メモリ、１７０Ａ  修正した主ユニットの指令速度用メモリ、１７１Ａ  印刷機のユニットの駆動モータのブレーキを作動させる印刷機のユニットの速度用メモリ、１７２Ａ  現在の印刷機の各ユニットの速度用メモリ、１７３Ａ  同期運転停止信号を受信した従属ユニットの番号用メモリ、１８９Ａ  主ユニットの駆動モータ・ドライバ、１９２ａ〜１９２ｄ  Ａ／Ｄ変換器、１９３ａ〜１９３ｄ  Ｆ／Ｖ変換器、１９４Ａ  主ユニットの機械軸位置検出用カウンタ、１９５Ａ  主ユニットのモータ軸位置検出用カウンタ、１９６Ａ  主ユニットの駆動モータ・ブレーキ用回路、１９７ａ〜１９７ｄ  従属ユニットの駆動モータ・ブレーキ用回路、２０３Ａ  主ユニットの指令速度用メモリ、２０４Ａ  従属ユニットの指令速度用メモリ、２０５Ａ  従属ユニットの機械軸の仮想の現在位置用メモリ、２０６Ａ  従属ユニットの機械軸位置検出用カウンタのカウント値用メモリ、２０７Ａ  従属ユニットの機械軸の現在位置用メモリ、２０８Ａ  機械軸の現在位置の差用メモリ、２０９Ａ  機械軸の現在位置の差の絶対値用メモリ、２１０Ａ  機械軸の位置の差の許容値用メモリ、２１１Ａ  機械軸の現在位置の差−指令速度の補正値変換テーブル用メモリ、２１２Ａ  従属ユニットの指令速度の補正値用メモリ、２１３Ａ  従属ユニットのモータ軸の仮想の現在位置用メモリ、２１４Ａ  従属ユニットのモータ軸位置検出用カウンタのカウント値用メモリ、２１５Ａ  従属ユニットのモータ軸の現在位置用メモリ、２１６Ａ  モータ軸の現在位置の差用メモリ、２３５Ａ  従属ユニットの駆動モータ・ドライバ、２３８Ａ  従属ユニットの機械軸位置検出用カウンタ、２３９Ａ  従属ユニットのモータ軸位置検出用カウンタ、２４０Ａ  従属ユニットの駆動モータ・ブレーキ用回路、Ａ  第１印刷機，主印刷機、Ｂ  第２印刷機，従属印刷機、Ｗ，Ｗ１，Ｗ２  巻取紙（ウェブ）。
【手続補正５】
【補正対象書類名】図面
【補正対象項目名】図１２−ａ
【補正方法】変更
【補正の内容】
【図１２−ａ】
2005304109.tif 000127
【手続補正６】
【補正対象書類名】図面
【補正対象項目名】図１６
【補正方法】変更
【補正の内容】
【図１６】
2005304109.tif 000128
【手続補正７】
【補正対象書類名】図面
【補正対象項目名】図２６−ａ
【補正方法】変更
【補正の内容】
【図２６−ａ】
2005304109.tif 000129
【手続補正８】
【補正対象書類名】図面
【補正対象項目名】図５３
【補正方法】変更
【補正の内容】
【図５３】
2005304109.tif 000130